(57)【要約】【課題】シーンを容易に選択させる。【解決手段】１以上の空間を照明する１以上の照明機器を制御する携帯端末において実行されるプログラムであって、携帯端末は、表示部を備え、携帯端末のコンピュータに対して、携帯端末が存在する場所を示す端末場所情報を取得させ、１以上の照明機器による１以上の照明状態を示す１以上のシーンと、１以上のシーンのそれぞれの場所を示す１以上のシーン場所情報とを対応付けて記憶するメモリを用いて、端末場所情報と１以上のシーン場所情報とに基づいて、１以上のシーンのそれぞれに対応する１以上のシーンアイコンを並び替えて、表示部へ表示させ、１以上のシーンアイコンのうちの１つのシーンアイコンが選択された場合に、選択されたシーンアイコンに対応するシーンが示す照明状態で１以上の空間を照明するように１以上の照明機器を制御するための制御信号を、１以上の照明機器へ送信させる。【選択図】図２５
2015144116.tif 000002
【特許請求の範囲】
【請求項１】
１以上の空間を照明する１以上の照明機器を制御する携帯端末において実行されるプログラムであって、
前記携帯端末は、表示部を備え、
前記携帯端末のコンピュータに対して、
前記携帯端末が存在する場所を示す端末場所情報を取得させ、
前記１以上の照明機器による１以上の照明状態を示す１以上のシーンと、前記１以上のシーンのそれぞれの場所を示す１以上のシーン場所情報とを対応付けて記憶するメモリを用いて、前記端末場所情報と前記１以上のシーン場所情報とに基づいて、前記１以上のシーンのそれぞれに対応する１以上のシーンアイコンを並び替えて、前記表示部へ表示させ、
前記１以上のシーンアイコンのうちの１つのシーンアイコンが選択された場合に、選択されたシーンアイコンに対応するシーンが示す照明状態で前記１以上の空間を照明するように前記１以上の照明機器を制御するための制御信号を、前記１以上の照明機器へ送信させる
プログラム。
【請求項２】
前記端末場所情報は、前記携帯端末が存在する部屋又は区域を特定する情報であり、
前記１以上のシーン場所情報は、前記１以上のシーンのそれぞれの部屋又は区域を特定する情報である
請求項１に記載のプログラム。
【請求項３】
前記１以上のシーンアイコンの表示では、前記１以上のシーン場所情報のうち、前記端末場所情報が特定する部屋又は区域に一致するシーン場所情報に対応するシーンアイコンが優先されるように、前記１以上のシーンアイコンを並び替えて、前記表示部へ表示させる
請求項２に記載のプログラム。
【請求項４】
さらに、
前記１以上のシーンアイコンとともに場所入力ボタンを、前記表示部へ表示させ、
前記場所入力ボタンが選択された場合に、前記端末場所情報をユーザに入力させるための第１入力促進画面を、前記表示部へ表示させる
請求項２又は３に記載のプログラム。
【請求項５】
さらに、
前記１以上のシーン場所情報をユーザに入力させるための第２入力促進画面を、前記表示部へ表示させる
請求項２〜４のいずれか１項に記載のプログラム。
【請求項６】
前記端末場所情報は、前記携帯端末が存在する場所の緯度、経度及び階数を特定する情報であり、
前記１以上のシーン場所情報は、前記１以上のシーンのそれぞれの場所の緯度、経度及び階数を特定する情報である
請求項１に記載のプログラム。
【請求項７】
前記１以上のシーンアイコンの表示では、前記端末場所情報が特定する緯度、経度及び階数から決定される位置までの距離が短い順に、前記１以上のシーン場所情報に対応する１以上のシーンアイコンを並び替えて、前記表示部へ表示させる
請求項６に記載のプログラム。
【請求項８】
さらに、
前記１以上のシーンアイコンと、シーン設定ボタンとを含むシーン選択画面を、前記表示部へ表示させ、
前記シーン設定ボタンが選択された場合、前記１以上の照明機器による新たな照明状態を示す新規シーンを設定するための設定画面と、設定完了ボタンとを含むシーン設定画面を、前記表示部へ表示させ、
ユーザによる前記設定画面の操作によって設定された照明状態を示す設定情報に基づいて前記１以上の照明機器を制御するための制御信号を、前記１以上の照明機器へ送信させ、
前記設定完了ボタンが選択されたときの前記設定情報を前記新規シーンの設定情報として、前記メモリへ記憶させ、
前記シーン設定ボタン又は前記設定完了ボタンが選択されたときに前記携帯端末が存在する場所を示す場所情報を取得させ、
取得した場所情報を、前記新規シーンの場所を示す新規シーン場所情報として、前記新規シーンに対応付けて前記メモリへ記憶させる
請求項１〜７のいずれか１項に記載のプログラム。
【請求項９】
前記携帯端末は、さらに、撮像部を備え、
さらに、
前記１以上のシーンアイコンと、シーン設定ボタンとを含むシーン選択画面を、前記表示部へ表示させ、
前記シーン設定ボタンが選択された場合、前記１以上の照明機器による新たな照明状態を示す新規シーンを設定するための設定画面と、設定完了ボタンとを含むシーン設定画面を、前記表示部へ表示させ、
ユーザによる前記設定画面の操作によって設定された照明状態を示す設定情報に基づいて前記１以上の照明機器を制御するための制御信号を、前記１以上の照明機器へ送信させ、
前記設定完了ボタンが選択された後、前記撮像部を起動させ、
前記設定完了ボタンが選択されたときの前記設定情報を前記新規シーンの設定情報として、前記メモリへ記憶させ、かつ、前記撮像部によって画像が取得された場合、当該画像を前記新規シーンのシーンアイコンとして、前記メモリへ記憶させ、
前記撮像部によって撮像が行われたときに前記携帯端末が存在する場所を示す場所情報を取得させ、
取得した場所情報を、前記新規シーンの場所を示す新規シーン場所情報として、前記新規シーンに対応付けて前記メモリへ記憶させ、
前記新規シーンのシーンアイコンを含む新規シーン選択画面を、前記表示部へ表示させる
請求項１〜７のいずれか１項に記載のプログラム。
【請求項１０】
さらに、
前記１以上のシーンアイコンのうちの１つのシーンアイコンが選択されたときに前記携帯端末が存在する場所を示す場所情報を取得させ、
取得した場所情報を、選択されたシーンアイコンに対応するシーンである選択シーンの場所を示すシーン場所情報として、前記選択シーンに対応付けて前記メモリへ記憶させる
請求項１〜７のいずれか１項に記載のプログラム。
【請求項１１】
前記携帯端末は、無線ＬＡＮ機器と通信可能であり、
前記端末場所情報の取得では、前記無線ＬＡＮ機器が発信する無線信号情報に含まれる、前記無線ＬＡＮ機器に固有の識別子に基づいて、前記携帯端末が存在する場所を特定させることで、前記端末場所情報を取得させる
請求項１〜１０のいずれか１項に記載のプログラム。
【請求項１２】
前記携帯端末は、Ｂｌｕｅｔｏｏｔｈ（登録商標）通信機器と通信可能であり、
前記端末場所情報の取得では、前記Ｂｌｕｅｔｏｏｔｈ（登録商標）通信機器が発信する無線信号情報に含まれる、前記Ｂｌｕｅｔｏｏｔｈ（登録商標）通信機器に固有の識別子に基づいて、前記携帯端末が存在する場所を特定させることで、前記端末場所情報を取得させる
請求項１〜１０のいずれか１項に記載のプログラム。
【請求項１３】
前記携帯端末は、可視光通信機器から発信される可視光帯域の電磁波を受信するセンサ部を備え、
前記端末場所情報の取得では、前記電磁波に含まれる、前記可視光通信機器に固有の識別子に基づいて、前記携帯端末が存在する場所を特定させることで、前記端末場所情報を取得させる
請求項１〜１０のいずれか１項に記載のプログラム。
【請求項１４】
前記携帯端末は、スピーカーから発信される超音波を受信するマイクロフォン部を備え、
前記端末場所情報の取得では、前記超音波に含まれる、前記スピーカーに固有の識別子に基づいて、前記携帯端末が存在する場所を特定させることで、前記端末場所情報を取得させる
請求項１〜１０のいずれか１項に記載の携帯端末のプログラム。
【請求項１５】
前記携帯端末は、ＩＭＥＳ（Ｉｎｄｏｏｒ  ＭＥｓｓａｇｉｎｇ  Ｓｙｓｔｅｍ）受信部を備え、
前記端末場所情報の取得では、前記携帯端末と通信を行うＩＭＥＳ送信機が発信する無線信号情報に含まれる緯度、経度及び階数を示す情報に基づいて、前記携帯端末が存在する場所を特定させることで、前記端末場所情報を取得させる
請求項１〜１０のいずれか１項に記載のプログラム。
【請求項１６】
１以上の空間を照明する１以上の照明機器を制御する携帯端末において実行されるプログラムであって、
前記携帯端末は、表示部を備え、
前記携帯端末のコンピュータに対して、
現在時刻を示す現在時間情報を取得させ、
前記１以上の照明機器による１以上の照明状態を示す１以上のシーンと、前記１以上のシーンのそれぞれの時刻を示す１以上のシーン時間情報とを対応付けて記憶するメモリを用いて、前記現在時間情報と前記１以上のシーン時間情報とに基づいて、前記１以上のシーンのそれぞれに対応する１以上のシーンアイコンを並び替えて、前記表示部へ表示させ、
前記１以上のシーンアイコンのうちの１つのシーンアイコンが選択された場合に、選択されたシーンアイコンに対応するシーンが示す照明状態で前記１以上の空間を照明するように前記１以上の照明機器を制御するための制御信号を、前記１以上の照明機器へ送信させる
プログラム。
【請求項１７】
前記１以上のシーンアイコンの表示では、前記現在時刻に近い順に、前記１以上のシーン時間情報に対応する１以上のシーンアイコンを並び替えて、前記表示部へ表示させる
請求項１６に記載のプログラム。
【請求項１８】
さらに、
前記１以上のシーンアイコンのうちの１つのシーンアイコンが選択された時刻を示す時間情報を取得させ、
取得した時間情報を、選択されたシーンアイコンに対応するシーンである選択シーンの時刻を示すシーン時間情報として、前記選択シーンに対応付けて前記メモリへ記憶させる
請求項１６又は１７に記載のプログラム。
【請求項１９】
さらに、
前記１つのシーンアイコンが選択される度に、取得された時間情報を前記メモリへ記憶させ、
前記シーン時間情報の記憶では、前記メモリに記憶された複数の時間情報が示す複数の時刻の平均時刻を、前記シーン時間情報として前記メモリへ記憶させる
請求項１８に記載のプログラム。
【請求項２０】
さらに、
前記１以上のシーンアイコンと、シーン設定ボタンとを含むシーン選択画面を、前記表示部へ表示させ、
前記シーン設定ボタンが選択された場合、前記１以上の照明機器による新たな照明状態を示す新規シーンを設定するための設定画面と、設定完了ボタンとを含むシーン設定画面を、前記表示部へ表示させ、
ユーザによる前記設定画面の操作によって設定された照明状態を示す設定情報に基づいて前記１以上の照明機器を制御するための制御信号を、前記１以上の照明機器へ送信させ、
前記設定完了ボタンが選択されたときの前記設定情報を前記新規シーンの設定情報として、前記メモリへ記憶させ、
前記シーン設定ボタン又は前記設定完了ボタンが選択された時刻を示す時間情報を取得させ、
取得した時間情報を、前記新規シーンの時刻を示す新規シーン時間情報として、前記新規シーンに対応付けて前記メモリへ記憶させる
請求項１６又は１７に記載のプログラム。
【請求項２１】
前記携帯端末は、さらに、撮像部を備え、
さらに、
前記１以上のシーンアイコンと、シーン設定ボタンとを含むシーン選択画面を、前記表示部へ表示させ、
前記シーン設定ボタンが選択された場合、前記１以上の照明機器による新たな照明状態を示す新規シーンを設定するための設定画面と、設定完了ボタンとを含むシーン設定画面を、前記表示部へ表示させ、
ユーザによる前記設定画面の操作によって設定された照明状態を示す設定情報に基づいて前記１以上の照明機器を制御するための制御信号を、前記１以上の照明機器へ送信させ、
前記設定完了ボタンが選択された後、前記撮像部を起動させ、
前記設定完了ボタンが選択されたときの前記設定情報を前記新規シーンの設定情報として、前記メモリへ記憶させ、かつ、前記撮像部によって画像が取得された場合、当該画像を前記新規シーンのシーンアイコンとして、前記メモリへ記憶させ、
前記撮像部によって撮像が行われた時刻を示す時間情報を取得させ、
取得した時間情報を、前記新規シーンの時刻を示す新規シーン時間情報として、前記新規シーンに対応付けて前記メモリへ記憶させ、
前記新規シーンのシーンアイコンを含む新規シーン選択画面を、前記表示部へ表示させる
請求項１６又は１７に記載の携帯端末のプログラム。
【請求項２２】
１以上の空間を照明する１以上の照明機器を制御する携帯端末の制御方法であって、
前記携帯端末は、表示部を備え、
前記携帯端末の制御方法は、前記携帯端末のコンピュータに対して、
前記携帯端末が存在する場所を示す端末場所情報を取得させ、
前記１以上の照明機器による１以上の照明状態を示す１以上のシーンと、前記１以上のシーンのそれぞれの場所を示す１以上のシーン場所情報とを対応付けて記憶するメモリを用いて、前記端末場所情報と前記１以上のシーン場所情報とに基づいて、前記１以上のシーンのそれぞれに対応する１以上のシーンアイコンを並び替えて、前記表示部へ表示させ、
前記１以上のシーンアイコンのうちの１つのシーンアイコンが選択された場合に、選択されたシーンアイコンに対応するシーンが示す照明状態で前記１以上の空間を照明するように前記１以上の照明機器を制御するための制御信号を、前記１以上の照明機器へ送信させる
携帯端末の制御方法。
【請求項２３】
１以上の空間を照明する１以上の照明機器を制御する携帯端末の制御方法であって、
前記携帯端末は、表示部を備え、
前記携帯端末の制御方法は、前記携帯端末のコンピュータに対して、
現在時刻を示す現在時間情報を取得させ、
前記１以上の照明機器による１以上の照明状態を示す１以上のシーンと、前記１以上のシーンのそれぞれの時刻を示す１以上のシーン時間情報とを対応付けて記憶するメモリを用いて、前記現在時間情報と前記１以上のシーン時間情報とに基づいて、前記１以上のシーンのそれぞれに対応する１以上のシーンアイコンを並び替えて、前記表示部へ表示させ、
前記１以上のシーンアイコンのうちの１つのシーンアイコンが選択された場合に、選択されたシーンアイコンに対応するシーンが示す照明状態で前記１以上の空間を照明するように前記１以上の照明機器を制御するための制御信号を、前記１以上の照明機器へ送信させる
携帯端末の制御方法。
【請求項２４】
請求項２２に記載の制御方法を実行する携帯端末。
【請求項２５】
請求項２３に記載の制御方法を実行する携帯端末。
【発明の詳細な説明】
【技術分野】
【０００１】
本発明は、空間を照明する照明機器を制御する携帯端末の制御方法などに関する。
【背景技術】
【０００２】
従来、照明機器が発する光の明るさ及び色をスライダで調整することで照明のシーンを作成し、作成したシーンに基づいて照明機器を制御する照明システムコントローラが開示されている（特許文献１参照）。
【先行技術文献】
【特許文献】
【０００３】
【特許文献１】特表２０１１−５１９１２８号公報
【発明の概要】
【発明が解決しようとする課題】
【０００４】
しかしながら、上記従来の照明システムコントローラでは、ユーザがシーンを容易に選択できないという課題がある。
【０００５】
上記従来の照明システムコントローラでは、シーンを選択する状況に関係なく、シーン選択画面は同一である。このため、シーンを選択する状況が変わる度に、その状況に応じたシーンを探して選択する必要があり、ユーザに煩わしい作業が強いられてしまう。
【０００６】
そこで、本発明は、シーンを容易に選択させることができる携帯端末の制御方法を提供する。
【課題を解決するための手段】
【０００７】
上記課題を解決するため、本発明の一態様に係る携帯端末の制御方法は、１以上の空間を照明する１以上の照明機器を制御する携帯端末の制御方法であって、前記携帯端末は、表示部を備え、前記携帯端末の制御方法は、前記携帯端末のコンピュータに対して、前記携帯端末が存在する場所を示す端末場所情報を取得させ、前記１以上の照明機器による１以上の照明状態を示す１以上のシーンと、前記１以上のシーンのそれぞれの場所を示す１以上のシーン場所情報とを対応付けて記憶するメモリを用いて、前記端末場所情報と前記１以上のシーン場所情報とに基づいて、前記１以上のシーンのそれぞれに対応する１以上のシーンアイコンを並び替えて、前記表示部へ表示させ、前記１以上のシーンアイコンのうちの１つのシーンアイコンが選択された場合に、選択されたシーンアイコンに対応するシーンが示す照明状態で前記１以上の空間を照明するように前記１以上の照明機器を制御するための制御信号を、前記１以上の照明機器へ送信させる。
【０００８】
なお、これらの包括的又は具体的な態様は、システム、装置、集積回路、コンピュータプログラム又はコンピュータ読み取り可能なＣＤ−ＲＯＭなどの記録媒体で実現されてもよく、システム、装置、集積回路、コンピュータプログラム及び記録媒体の任意な組み合わせで実現されてもよい。
【発明の効果】
【０００９】
本発明に係る携帯端末の制御方法によれば、シーンを容易に選択させることができる。
【図面の簡単な説明】
【００１０】
【図１】図１は、実施の形態１に係る照明システムの一例を示すブロック図である。
【図２】図２は、実施の形態１に係るシーン情報の一例を示す図である。
【図３Ａ】図３Ａは、実施の形態１に係るシーン選択画面の一例を示す図である。
【図３Ｂ】図３Ｂは、実施の形態１に係るシーン選択画面の別の一例を示す図である。
【図４】図４は、実施の形態１に係る操作対象照明情報の一例を示す図である。
【図５】図５は、実施の形態１に係るシーン作成画面の一例を示す図である。
【図６】図６は、実施の形態１に係るシーン名入力画面の一例を示す図である。
【図７】図７は、実施の形態１に係る撮影確認画面の一例を示す図である。
【図８】図８は、実施の形態１に係る新規シーン選択画面の一例を示す図である。
【図９】図９は、実施の形態１に係る新規シーン選択画面の別の一例を示す図である。
【図１０Ａ】図１０Ａは、実施の形態１に係るシーンの作成方法の一例を示すフローチャートである。
【図１０Ｂ】図１０Ｂは、実施の形態１に係るシーンの作成方法の一例を示すフローチャートである。
【図１１】図１１は、実施の形態１に係る表示優先度の設定方法の一例を示すフローチャートである。
【図１２】図１２は、実施の形態１に係るシーンの作成方法において表示される画面遷移の一例を示す図である。
【図１３】図１３は、実施の形態１に係る携帯端末の場所情報を取得するための構成の一例を示すブロック図である。
【図１４】図１４は、実施の形態１に係る携帯端末の場所情報を取得するための構成の別の一例を示すブロック図である。
【図１５】図１５は、実施の形態１に係る携帯端末の場所情報を取得するための構成の別の一例を示すブロック図である。
【図１６】図１６は、実施の形態１に係る携帯端末の場所情報を取得するための構成の別の一例を示すブロック図である。
【図１７】図１７は、実施の形態１の変形例１に係るシーン選択画面の一例を示す図である。
【図１８】図１８は、実施の形態１の変形例１に係る現在場所選択画面の一例を示す図である。
【図１９】図１９は、実施の形態１の変形例１に係るシーン場所選択画面の一例を示す図である。
【図２０】図２０は、実施の形態１の変形例２に係る携帯端末の場所情報を取得するための構成の一例を示すブロック図である。
【図２１】図２１は、実施の形態１の変形例２に係る表示優先度の設定方法の一例を示すフローチャートである。
【図２２】図２２は、実施の形態２に係るシーン編集画面の一例を示す図である。
【図２３Ａ】図２３Ａは、実施の形態２に係るシーンの編集方法の一例を示すフローチャートである。
【図２３Ｂ】図２３Ｂは、実施の形態２に係るシーンの編集方法の一例を示すフローチャートである。
【図２４】図２４は、実施の形態２に係るシーンの編集方法において表示される画面遷移の一例を示す図である。
【図２５】図２５は、実施の形態１及び２の変形例に係るシーンの設定方法の一例を示すフローチャートである。
【図２６】図２６は、実施の形態１及び２の変形例に係る照明システムの一例を示すブロック図である。
【図２７】図２７は、実施の形態３に係る照明システムの一例を示すブロック図である。
【図２８】図２８は、実施の形態３に係るシーン情報の一例を示す図である。
【図２９Ａ】図２９Ａは、実施の形態３に係るシーン選択画面の一例を示す図である。
【図２９Ｂ】図２９Ｂは、実施の形態３に係るシーン選択画面の別の一例を示す図である。
【図３０】図３０は、実施の形態３に係る新規シーン選択画面の一例を示す図である。
【図３１Ａ】図３１Ａは、実施の形態３に係るシーンの作成方法の一例を示すフローチャートである。
【図３１Ｂ】図３１Ｂは、実施の形態３に係るシーンの作成方法の一例を示すフローチャートである。
【図３２】図３２は、実施の形態３に係る表示優先度の設定方法の一例を示すフローチャートである。
【図３３】図３３は、実施の形態３に係るシーンの作成方法において表示される画面遷移の一例を示す図である。
【図３４Ａ】図３４Ａは、実施の形態４に係るシーンの編集方法の一例を示すフローチャートである。
【図３４Ｂ】図３４Ｂは、実施の形態４に係るシーンの編集方法の一例を示すフローチャートである。
【図３５】図３５は、実施の形態４に係るシーンの編集方法において表示される画面遷移の一例を示す図である。
【図３６】図３６は、実施の形態４に係る選択履歴情報を示す図である。
【図３７】図３７は、実施の形態３及び４の変形例に係るシーン情報の一例を示す図である。
【図３８】図３８は、実施の形態３及び４の変形例に係る表示優先度の設定方法の一例を示すフローチャートである。
【図３９】図３９は、実施の形態３及び４の変形例に係るシーンの設定方法の一例を示すフローチャートである。
【図４０】図４０は、実施の形態３及び４の変形例に係る照明システムの一例を示すブロック図である。
【図４１】図４１は、実施の形態の変形例に係るシーン情報の一例を示す図である。
【図４２】図４２は、実施の形態の変形例に係る表示優先度の設定方法の一例を示すフローチャートである。
【発明を実施するための形態】
【００１１】
（本発明の基礎となった知見）
本発明者は、「背景技術」の欄において記載した照明システムコントローラに関し、以下の問題が生じることを見出した。
【００１２】
上記従来の照明システムコントローラでは、作成したシーンとシーン名とを対応付けて記録する。ユーザがシーンを選択しようとする場合には、シーン名がディスプレイに表示される。これにより、ユーザは、ディスプレイに表示されたシーン名を選択することで、予め作成しておいたシーンに基づいて照明機器を制御することができる。
【００１３】
しかしながら、シーンの登録数が増加するにつれて、多くのシーンの中から所望のシーンを探さなければならず、ユーザに煩わしい作業を強いることになる。例えば、１画面に表示させるシーンの個数に限りがある場合、所望のシーンを探すためには、画面を切り替えるための操作が必要になる。
【００１４】
また、シーン名を見ただけでは、そのシーン名に対応するシーンがどのようなものであるかを確認することができない。例えば、シーンを作成した時からシーンを選択しようとする時までに長い期間が経過した場合などにおいて、ユーザは、どのようなシーンを作成したのかを忘れてしまっている場合がある。そこで、このような場合に、シーン名だけでなく、シーンの雰囲気を示す画像などを表示させることも考えられる。
【００１５】
しかしながら、この場合も、シーンの登録数が増加するにつれて、多くのシーンの中から所望のシーンを探さなければならず、ユーザに煩わしい作業を強いることになる。例えば、１画面に全てのシーン名と画像とを表示させた場合には、シーン名及び画像のそれぞれが小さくなり、所望のシーンを探すのが困難になる。
【００１６】
そこで、シーンを選択する状況に応じて、シーンを容易に選択させることができる技術が求められる。
【００１７】
このような問題を解決するために、本発明の一態様に係る携帯端末の制御方法は、１以上の空間を照明する１以上の照明機器を制御する携帯端末の制御方法であって、前記携帯端末は、表示部を備え、前記携帯端末の制御方法は、前記携帯端末のコンピュータに対して、前記携帯端末が存在する場所を示す端末場所情報を取得させ、前記１以上の照明機器による１以上の照明状態を示す１以上のシーンと、前記１以上のシーンのそれぞれの場所を示す１以上のシーン場所情報とを対応付けて記憶するメモリを用いて、前記端末場所情報と前記１以上のシーン場所情報とに基づいて、前記１以上のシーンのそれぞれに対応する１以上のシーンアイコンを並び替えて、前記表示部へ表示させ、前記１以上のシーンアイコンのうちの１つのシーンアイコンが選択された場合に、選択されたシーンアイコンに対応するシーンが示す照明状態で前記１以上の空間を照明するように前記１以上の照明機器を制御するための制御信号を、前記１以上の照明機器へ送信させる。
【００１８】
これにより、端末場所情報と１以上のシーン場所情報とに基づいて１以上のシーンアイコンを並び替えて表示させるので、携帯端末が存在する場所に応じたシーン選択画面を生成することができる。したがって、ユーザにシーンを容易に選択させることができる。
【００１９】
また、例えば、前記端末場所情報は、前記携帯端末が存在する部屋又は区域を特定する情報であり、前記１以上のシーン場所情報は、前記１以上のシーンのそれぞれの部屋又は区域を特定する情報であってもよい。
【００２０】
これにより、携帯端末が存在する部屋又は区域に応じたシーン選択画面を生成することができる。したがって、例えば、家庭又は商業施設などでより効果を奏し、ユーザにシーンを容易に選択させることができる。
【００２１】
また、例えば、前記１以上のシーンアイコンの表示では、前記１以上のシーン場所情報のうち、前記端末場所情報が特定する部屋又は区域に一致するシーン場所情報に対応するシーンアイコンが優先されるように、前記１以上のシーンアイコンを並び替えて、前記表示部へ表示させてもよい。
【００２２】
これにより、例えば、ユーザが携帯端末とともに「リビングルーム」に居るときは「リビングルーム」に応じたシーンアイコンを表示させ、「寝室」に居るときには「寝室」に応じたシーンアイコンを表示させることができるので、ユーザにシーンを容易に選択させることができる。
【００２３】
また、例えば、前記携帯端末の制御方法は、さらに、前記１以上のシーンアイコンとともに場所入力ボタンを、前記表示部へ表示させ、前記場所入力ボタンが選択された場合に、前記端末場所情報をユーザに入力させるための第１入力促進画面を、前記表示部へ表示させてもよい。
【００２４】
これにより、端末場所情報をユーザが入力することができるので、ユーザが望むタイミングでユーザが望むような画面を表示させることができる。例えば、ある部屋に居るユーザが別の部屋のシーンを確認することができる。したがって、利便性をより高めることができる。
【００２５】
また、例えば、前記携帯端末の制御方法は、さらに、前記１以上のシーン場所情報をユーザに入力させるための第２入力促進画面を、前記表示部へ表示させてもよい。
【００２６】
これにより、シーン場所情報をユーザが入力することができるので、ユーザが望む場所でユーザが望むシーンを設定することができる。例えば、ある部屋に居るユーザが別の部屋のシーンを設定することができる。したがって、利便性をより高めることができる。
【００２７】
また、例えば、前記端末場所情報は、前記携帯端末が存在する場所の緯度、経度及び階数を特定する情報であり、前記１以上のシーン場所情報は、前記１以上のシーンのそれぞれの場所の緯度、経度及び階数を特定する情報であってもよい。
【００２８】
これにより、携帯端末が存在する場所を数値で特定することができるので、シーンアイコンの並び替えを精度良く行うことができる。したがって、ユーザにシーンをより容易に選択させることができる。
【００２９】
また、例えば、前記１以上のシーンアイコンの表示では、前記端末場所情報が特定する緯度、経度及び階数から決定される位置までの距離が短い順に、前記１以上のシーン場所情報に対応する１以上のシーンアイコンを並び替えて、前記表示部へ表示させてもよい。
【００３０】
これにより、例えば、携帯端末が存在する場所に近いシーンから優先的に表示させることができるので、ユーザにシーンをより容易に選択させることができる。
【００３１】
また、例えば、前記携帯端末の制御方法は、さらに、前記１以上のシーンアイコンと、シーン設定ボタンとを含むシーン選択画面を、前記表示部へ表示させ、前記シーン設定ボタンが選択された場合、前記１以上の照明機器による新たな照明状態を示す新規シーンを設定するための設定画面と、設定完了ボタンとを含むシーン設定画面を、前記表示部へ表示させ、ユーザによる前記設定画面の操作によって設定された照明状態を示す設定情報に基づいて前記１以上の照明機器を制御するための制御信号を、前記１以上の照明機器へ送信させ、前記設定完了ボタンが選択されたときの前記設定情報を前記新規シーンの設定情報として、前記メモリへ記憶させ、前記シーン設定ボタン又は前記設定完了ボタンが選択されたときに前記携帯端末が存在する場所を示す場所情報を取得させ、取得した場所情報を、前記新規シーンの場所を示す新規シーン場所情報として、前記新規シーンに対応付けて前記メモリへ記憶させてもよい。
【００３２】
これにより、シーンの設定開始時又は完了時に携帯端末が存在する場所をシーンの場所として設定することができるので、シーンの場所を正確に設定することができる。
【００３３】
また、例えば、前記携帯端末は、さらに、撮像部を備え、前記携帯端末の制御方法は、さらに、前記１以上のシーンアイコンと、シーン設定ボタンとを含むシーン選択画面を、前記表示部へ表示させ、前記シーン設定ボタンが選択された場合、前記１以上の照明機器による新たな照明状態を示す新規シーンを設定するための設定画面と、設定完了ボタンとを含むシーン設定画面を、前記表示部へ表示させ、ユーザによる前記設定画面の操作によって設定された照明状態を示す設定情報に基づいて前記１以上の照明機器を制御するための制御信号を、前記１以上の照明機器へ送信させ、前記設定完了ボタンが選択された後、前記撮像部を起動させ、前記設定完了ボタンが選択されたときの前記設定情報を前記新規シーンの設定情報として、前記メモリへ記憶させ、かつ、前記撮像部によって画像が取得された場合、当該画像を前記新規シーンのシーンアイコンとして、前記メモリへ記憶させ、前記撮像部によって撮像が行われたときに前記携帯端末が存在する場所を示す場所情報を取得させ、取得した場所情報を、前記新規シーンの場所を示す新規シーン場所情報として、前記新規シーンに対応付けて前記メモリへ記憶させ、前記新規シーンのシーンアイコンを含む新規シーン選択画面を、前記表示部へ表示させてもよい。
【００３４】
これにより、シーンアイコンとして設定される画像が取得された時に携帯端末が存在する場所をシーンの場所として設定することができるので、シーンの場所をより正確に設定することができる。
【００３５】
また、例えば、前記携帯端末の制御方法は、さらに、前記１以上のシーンアイコンのうちの１つのシーンアイコンが選択されたときに前記携帯端末が存在する場所を示す場所情報を取得させ、取得した場所情報を、選択されたシーンアイコンに対応するシーンである選択シーンの場所を示すシーン場所情報として、前記選択シーンに対応付けて前記メモリへ記憶させてもよい。
【００３６】
これにより、シーンアイコンの選択時に携帯端末が存在する場所をシーンの場所として設定することができるので、シーンの場所を正確に設定することができる。つまり、ユーザが実際にシーンを利用した場所をシーンの場所として設定するので、ユーザの行動に則した場所の設定を行うことができ、今後のシーンの選択をより容易にすることができる。
【００３７】
また、例えば、前記携帯端末は、無線ＬＡＮ機器と通信可能であり、前記端末場所情報の取得では、前記無線ＬＡＮ機器が発信する無線信号情報に含まれる、前記無線ＬＡＮ機器に固有の識別子に基づいて、前記携帯端末が存在する場所を特定させることで、前記端末場所情報を取得させてもよい。
【００３８】
これにより、無線ＬＡＮ機能を利用して自動的に端末場所情報を取得することができるので、ユーザの負担を軽減し、利便性を高めることができる。
【００３９】
また、例えば、前記携帯端末は、Ｂｌｕｅｔｏｏｔｈ（登録商標）通信機器と通信可能であり、前記端末場所情報の取得では、前記Ｂｌｕｅｔｏｏｔｈ（登録商標）通信機器が発信する無線信号情報に含まれる、前記Ｂｌｕｅｔｏｏｔｈ（登録商標）通信機器に固有の識別子に基づいて、前記携帯端末が存在する場所を特定させることで、前記端末場所情報を取得させてもよい。
【００４０】
これにより、Ｂｌｕｅｔｏｏｔｈ（登録商標）通信機能を利用して自動的に端末場所情報を取得することができるので、ユーザの負担を軽減し、利便性を高めることができる。
【００４１】
また、例えば、前記携帯端末は、可視光通信機器から発信される可視光帯域の電磁波を受信するセンサ部を備え、前記端末場所情報の取得では、前記電磁波に含まれる、前記可視光通信機器に固有の識別子に基づいて、前記携帯端末が存在する場所を特定させることで、前記端末場所情報を取得させてもよい。
【００４２】
これにより、可視光通信を利用して自動的に端末場所情報を取得することができるので、ユーザの負担を軽減し、利便性を高めることができる。
【００４３】
また、例えば、前記携帯端末は、スピーカーから発信される超音波を受信するマイクロフォン部を備え、前記端末場所情報の取得では、前記超音波に含まれる、前記スピーカーに固有の識別子に基づいて、前記携帯端末が存在する場所を特定させることで、前記端末場所情報を取得させてもよい。
【００４４】
これにより、超音波を利用して自動的に端末場所情報を取得することができるので、ユーザの負担を軽減し、利便性を高めることができる。
【００４５】
また、例えば、前記携帯端末は、ＩＭＥＳ（Ｉｎｄｏｏｒ  ＭＥｓｓａｇｉｎｇ  Ｓｙｓｔｅｍ）受信部を備え、前記端末場所情報の取得では、前記携帯端末と通信を行うＩＭＥＳ送信機が発信する無線信号情報に含まれる緯度、経度及び階数を示す情報に基づいて、前記携帯端末が存在する場所を特定させることで、前記端末場所情報を取得させてもよい。
【００４６】
これにより、ＩＭＥＳを利用して自動的かつ正確に端末場所情報を取得することができるので、ユーザの負担を軽減し、利便性を高めることができる。
【００４７】
また、例えば、１以上の空間を照明する１以上の照明機器を制御する携帯端末の制御方法であって、前記携帯端末は、表示部を備え、前記携帯端末の制御方法は、前記携帯端末のコンピュータに対して、現在時刻を示す現在時間情報を取得させ、前記１以上の照明機器による１以上の照明状態を示す１以上のシーンと、前記１以上のシーンのそれぞれの時刻を示す１以上のシーン時間情報とを対応付けて記憶するメモリを用いて、前記現在時間情報と前記１以上のシーン時間情報とに基づいて、前記１以上のシーンのそれぞれに対応する１以上のシーンアイコンを並び替えて、前記表示部へ表示させ、前記１以上のシーンアイコンのうちの１つのシーンアイコンが選択された場合に、選択されたシーンアイコンに対応するシーンが示す照明状態で前記１以上の空間を照明するように前記１以上の照明機器を制御するための制御信号を、前記１以上の照明機器へ送信させてもよい。
【００４８】
これにより、現在時間情報と１以上のシーン時間情報とに基づいて１以上のシーンアイコンを並び替えて表示させるので、現在時刻に応じたシーン選択画面を生成することができる。したがって、ユーザにシーンを容易に選択させることができる。
【００４９】
また、例えば、前記１以上のシーンアイコンの表示では、前記現在時刻に近い順に、前記１以上のシーン時間情報に対応する１以上のシーンアイコンを並び替えて、前記表示部へ表示させてもよい。
【００５０】
これにより、例えば、現在時刻に近いシーンから優先的に表示させることができるので、ユーザにシーンをより容易に選択させることができる。
【００５１】
また、例えば、前記携帯端末の制御方法は、さらに、前記１以上のシーンアイコンのうちの１つのシーンアイコンが選択された時刻を示す時間情報を取得させ、取得した時間情報を、選択されたシーンアイコンに対応するシーンである選択シーンの時刻を示すシーン時間情報として、前記選択シーンに対応付けて前記メモリへ記憶させてもよい。
【００５２】
これにより、シーンアイコンの選択時刻をシーンの時刻として設定することができるので、シーンの時刻を正確に設定することができる。つまり、ユーザが実際にシーンを利用した時刻をシーンの時刻として設定するので、ユーザの行動に則した時刻の設定を行うことができ、今後のシーンの選択をより容易にすることができる。
【００５３】
また、例えば、前記携帯端末の制御方法は、さらに、前記１つのシーンアイコンが選択される度に、取得された時間情報を前記メモリへ記憶させ、前記シーン時間情報の記憶では、前記メモリに記憶された複数の時間情報が示す複数の時刻の平均時刻を、前記シーン時間情報として前記メモリへ記憶させてもよい。
【００５４】
これにより、同一のシーンアイコンが複数回選択される場合は、シーンアイコンが選択された複数の時刻の平均時刻をシーンの時刻として設定することができるので、シーンの時刻をより正確に設定することができる。つまり、ユーザが実際にシーンを利用した複数の時刻を平均するので、ユーザの行動に則した時刻の設定を行うことができ、今後のシーンの選択をより容易にすることができる。
【００５５】
また、例えば、前記携帯端末の制御方法は、さらに、前記１以上のシーンアイコンと、シーン設定ボタンとを含むシーン選択画面を、前記表示部へ表示させ、前記シーン設定ボタンが選択された場合、前記１以上の照明機器による新たな照明状態を示す新規シーンを設定するための設定画面と、設定完了ボタンとを含むシーン設定画面を、前記表示部へ表示させ、ユーザによる前記設定画面の操作によって設定された照明状態を示す設定情報に基づいて前記１以上の照明機器を制御するための制御信号を、前記１以上の照明機器へ送信させ、前記設定完了ボタンが選択されたときの前記設定情報を前記新規シーンの設定情報として、前記メモリへ記憶させ、前記シーン設定ボタン又は前記設定完了ボタンが選択された時刻を示す時間情報を取得させ、取得した時間情報を、前記新規シーンの時刻を示す新規シーン時間情報として、前記新規シーンに対応付けて前記メモリへ記憶させてもよい。
【００５６】
これにより、シーンの設定開始時刻又は完了時刻をシーンの時刻として設定することができるので、シーンの時刻を正確に設定することができる。
【００５７】
また、例えば、前記携帯端末は、さらに、撮像部を備え、前記携帯端末の制御方法は、さらに、前記１以上のシーンアイコンと、シーン設定ボタンとを含むシーン選択画面を、前記表示部へ表示させ、前記シーン設定ボタンが選択された場合、前記１以上の照明機器による新たな照明状態を示す新規シーンを設定するための設定画面と、設定完了ボタンとを含むシーン設定画面を、前記表示部へ表示させ、ユーザによる前記設定画面の操作によって設定された照明状態を示す設定情報に基づいて前記１以上の照明機器を制御するための制御信号を、前記１以上の照明機器へ送信させ、前記設定完了ボタンが選択された後、前記撮像部を起動させ、前記設定完了ボタンが選択されたときの前記設定情報を前記新規シーンの設定情報として、前記メモリへ記憶させ、かつ、前記撮像部によって画像が取得された場合、当該画像を前記新規シーンのシーンアイコンとして、前記メモリへ記憶させ、前記撮像部によって撮像が行われた時刻を示す時間情報を取得させ、取得した時間情報を、前記新規シーンの時刻を示す新規シーン時間情報として、前記新規シーンに対応付けて前記メモリへ記憶させ、前記新規シーンのシーンアイコンを含む新規シーン選択画面を、前記表示部へ表示させてもよい。
【００５８】
これにより、シーンアイコンとして設定される画像が取得された時刻をシーンの時刻として設定することができるので、シーンの時刻をより正確に設定することができる。
【００５９】
なお、これらの包括的又は具体的な態様は、システム、装置、集積回路、コンピュータプログラム又はコンピュータ読み取り可能なＣＤ−ＲＯＭなどの記録媒体で実現されてもよく、システム、装置、集積回路、コンピュータプログラム及び記録媒体の任意な組み合わせで実現されてもよい。
【００６０】
以下では、実施の形態について、図面を参照しながら具体的に説明する。
【００６１】
なお、以下で説明する実施の形態は、いずれも包括的又は具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００６２】
（実施の形態１）
まず、実施の形態１に係る照明システムの機能構成について、図１を用いて説明する。図１は、実施の形態１に係る照明システム１０を示すブロック図である。
【００６３】
図１に示すように、照明システム１０は、携帯端末１００と、第１照明機器２００と、第２照明機器２０１とを備える。携帯端末１００は、第１照明機器２００及び第２照明機器２０１とネットワークを介して接続されている。
【００６４】
次に、携帯端末１００の構成について説明する。
【００６５】
携帯端末１００は、１以上の空間を照明する１以上の照明機器を制御する端末の一例である。具体的には、携帯端末１００は、１以上の照明機器（図１に示す例では、第１照明機器２００及び第２照明機器２０１）の点灯、消灯、調光及び調色などを制御する。
【００６６】
携帯端末１００は、ディスプレイ及びカメラ機能を備える。例えば、携帯端末１００は、スマートフォンや携帯電話、タブレット端末、ＰＤＡ（Ｐｅｒｓｏｎａｌ  Ｄｉｇｉｔａｌ  Ａｓｓｉｓｔａｎｔ）などの携帯情報端末などである。
【００６７】
図１に示すように、携帯端末１００は、入力部１１０と、表示部１２０と、表示制御部１３０と、撮像部１４０と、照明情報管理部１５０と、照明制御部１６０と、通信部１７０と、端末場所特定部１８０とを備える。
【００６８】
入力部１１０は、ユーザによる操作入力を受け付ける。例えば、入力部１１０は、ユーザによるシーンの選択及び設定などの操作入力を受け付ける。具体的には、入力部１１０は、表示部１２０に表示されるＧＵＩ（Ｇｒａｐｈｉｃａｌ  Ｕｓｅｒ  Ｉｎｔｅｒｆａｃｅ）コンポーネント（ウィジェット）の操作を受け付ける。入力部１１０は、ユーザによる操作に基づいた情報を、表示制御部１３０、照明情報管理部１５０、照明制御部１６０及び端末場所特定部１８０などに出力する。
【００６９】
例えば、入力部１１０は、表示部１２０に表示されるプッシュボタンのユーザによる押下を検出する。また、入力部１１０は、表示部１２０に表示されるスライダをユーザが操作することで設定される設定値を取得する。また、入力部１１０は、表示部１２０に表示されるテキストボックスに、ユーザによって入力されたテキストを取得する。
【００７０】
例えば、入力部１１０は、タッチスクリーン（タッチパネル）の静電容量センサなどの各種センサである。つまり、入力部１１０は、タッチスクリーンの入力機能を実現する。入力部１１０は、具体的には、タッチスクリーンに表示されたＧＵＩコンポーネントに対するユーザの操作を受け付ける。より具体的には、入力部１１０は、タッチスクリーンに表示されたプッシュボタンの押下、もしくは、スライダの操作を検出し、又は、ソフトウェアキーボードを介して入力されたテキストなどを取得する。なお、入力部１１０は、携帯端末１００に設けられた物理的なボタンでもよい。
【００７１】
表示部１２０は、表示制御部１３０によって生成された画面（画像）を表示する。例えば、表示部１２０は、シーン選択画面、シーン設定画面、シーン名入力画面、及び、撮影確認画面などを表示する。各画面は、ユーザによって操作可能なＧＵＩコンポーネントを含んでいる。なお、表示部１２０に表示される画面の具体例については、後で説明する。
【００７２】
例えば、表示部１２０は、液晶ディスプレイ又は有機ＥＬ（Ｏｒｇａｎｉｃ  Ｅｌｅｃｔｒｏ−Ｌｕｍｉｎｅｓｃｅｎｃｅ：ＯＥＬ）ディスプレイである。具体的には、表示部１２０は、タッチスクリーン（タッチパネル）の表示機能を実現する。
【００７３】
表示制御部１３０は、表示部１２０に表示するための画面を生成する。具体的には、表示制御部１３０は、シーン選択画面、シーン設定画面、シーン名入力画面、及び、撮影確認画面などを生成する。表示制御部１３０は、生成した各画面を表示部１２０に表示させる。
【００７４】
具体的には、表示制御部１３０は、照明情報管理部１５０によって管理されるシーン情報と、端末場所特定部１８０によって取得される端末場所情報とに基づいてシーン選択画面を生成する。また、表示制御部１３０は、照明情報管理部１５０によって管理される操作対象照明情報に基づいてシーン設定画面を生成する。
【００７５】
例えば、表示制御部１３０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などで構成される。
【００７６】
撮像部１４０は、撮影画像を取得するためのカメラ機能を実現する。具体的には、撮像部１４０は、新規シーンの設定完了ボタンが選択された後に起動される。撮像部１４０が取得した画像は、シーンアイコンとして照明情報管理部１５０によって管理される。
【００７７】
例えば、撮像部１４０は、カメラユニットである。具体的には、撮像部１４０は、光学レンズ及びイメージセンサなどを有する。撮像部１４０は、光学レンズを介して入射した光を、イメージセンサによって画像信号に変換して出力する。
【００７８】
なお、撮像部１４０の起動とは、撮像部１４０による撮影が可能な状態になることである。例えば、起動とは、シャッターボタンを押下することで、画像を取得することができる状態になることである。具体的には、起動とは、画像を取得するためのアプリケーションソフトウェアが立ち上がることである。例えば、起動とは、ライブビュー画像とシャッターボタンとが表示部１２０に表示されることである。
【００７９】
照明情報管理部１５０は、シーン情報及び操作対象照明情報を管理する。シーン情報は、１以上のシーンと、対応するシーンの場所を示す１以上のシーン場所情報とを含む情報である。操作対象照明情報は、携帯端末１００によって制御可能な１以上の照明機器を示す情報である。シーン情報及び操作対象照明情報については、図２及び図４を用いて後で説明する。
【００８０】
例えば、照明情報管理部１５０は、ＲＡＭ又は不揮発性メモリなどのメモリである。なお、照明情報管理部１５０は、携帯端末１００に着脱可能なメモリでもよい。
【００８１】
照明制御部１６０は、１以上の照明機器（第１照明機器２００及び第２照明機器２０１）を制御するための制御信号を生成する。照明制御部１６０は、通信部１７０を介して、生成した制御信号を１以上の照明機器に送信する。例えば、照明制御部１６０は、ＣＰＵ、ＲＯＭ及びＲＡＭなどで構成される。
【００８２】
制御信号は、例えば、照明機器毎に生成され、対応する照明機器の機能に応じた設定パラメータ、及び、その設定値を含んでいる。具体的には、制御信号は、調光機能の設定値（調光比）又は調色機能の設定値（色温度）などを示す情報を含んでいる。
【００８３】
通信部１７０は、照明制御部１６０によって生成された制御信号を、ネットワークを介して接続された１以上の照明機器に送信する。
【００８４】
例えば、通信部１７０は、無線ＬＡＮ（Ｌｏｃａｌ  Ａｒｅａ  Ｎｅｔｗｏｒｋ）モジュール、Ｂｌｕｅｔｏｏｔｈ（登録商標）モジュール、ＮＦＣ（Ｎｅａｒ  Ｆｉｅｌｄ  Ｃｏｍｍｕｎｉｃａｔｉｏｎ）モジュールなどの通信インタフェースである。なお、通信部１７０は、有線ＬＡＮ端子などでもよい。
【００８５】
端末場所特定部１８０は、携帯端末１００が存在する場所を示す端末場所情報を取得する。例えば、端末場所特定部１８０は、携帯端末１００の現在位置を示す情報を、端末場所情報として取得する。具体的には、端末場所情報は、携帯端末１００が存在する部屋を特定する情報である。例えば、端末場所特定部１８０は、ＣＰＵ、ＲＯＭ及びＲＡＭなどで構成される。
【００８６】
また、端末場所特定部１８０は、新規シーンの設定を行う際に、携帯端末１００が存在する場所を示す場所情報を取得する。取得された場所情報は、新規シーンの場所を示す新規シーン場所情報として、設定された新規シーンに対応付けて照明情報管理部１５０によって管理される。
【００８７】
次に、携帯端末１００によって制御される１以上の照明機器について説明する。
【００８８】
第１照明機器２００及び第２照明機器２０１は、１以上の照明機器の一例である。第１照明機器２００及び第２照明機器２０１は、例えば、調光機能及び調色機能の少なくとも１つを有する。なお、第１照明機器２００及び第２照明機器２０１は、互いに異なる機種の照明機器でもよく、同種の照明機器でもよい。
【００８９】
第１照明機器２００及び第２照明機器２０１は、例えば、１以上の空間内の互いに異なる位置に配置される。第１照明機器２００及び第２照明機器２０１は、１以上の空間を異なる方向から照明することができるように配置されている。
【００９０】
ここで、１以上の空間は、例えば、「リビングルーム」、「ダイニングルーム」及び「廊下」で構成される空間である。つまり、空間は、１つの部屋、又は、扉などで接続された１以上の部屋で構成される空間である。例えば、第１照明機器２００は、主に「リビングルーム」を照明する「リビングシーリングライト」であり、第２照明機器２０１は、主に「ダイニングルーム」を照明する「ダイニングライト」である。
【００９１】
なお、第１照明機器２００及び第２照明機器２０１は、互いに異なる空間内に配置されていてもよい。すなわち、１以上の照明機器は、異なる空間を照明する照明機器を含んでいてもよい。例えば、第１照明機器２００は、「リビングルーム」に配置された「リビングシーリングライト」であり、第２照明機器２０１は、「寝室」に配置された「寝室シーリングライト」でもよい。
【００９２】
なお、以下では、家庭内における照明機器を制御する例について説明するが、これに限らない。例えば、ショッピングセンター、オフィスビル、スーパーマーケットなどの商業施設又は公共の場などに設けられた１以上の照明機器を制御してもよい。このとき、端末場所情報は、例えば、携帯端末１００が存在する区域を特定する情報である。
【００９３】
区域は、所定の領域であり、必ずしも壁又は仕切り板などで区切られた領域でなくてもよい。区域は、具体的には、ショッピングセンターもしくはオフィスビルにおける「ショップ（テナント）」、「通路」、「エレベーターホール」など、又は、スーパーマーケットにおける「レジカウンター」、「鮮魚売り場」、「野菜売り場」などである。
【００９４】
図１に示すように、第１照明機器２００は、通信部２１０と、運転制御部２２０とを備える。なお、図示しないが、第２照明機器２０１も同様に、通信部２１０と、運転制御部２２０とを備える。
【００９５】
通信部２１０は、携帯端末１００から送信される制御信号を受信する。なお、通信部２１０は、携帯端末１００の通信部１７０から送信される制御信号を、ブリッジ又はルーターなどの通信機器を介して受信してもよい。
【００９６】
例えば、通信部２１０は、無線ＬＡＮモジュール、Ｂｌｕｅｔｏｏｔｈ（登録商標）モジュール、ＮＦＣモジュールなどの通信インタフェースである。なお、通信部２１０は、有線ＬＡＮ端子などでもよい。
【００９７】
運転制御部２２０は、通信部２１０によって受信された制御信号に基づいて、第１照明機器２００の調光及び調色を行う。例えば、運転制御部２２０は、第１照明機器２００が発する光の明るさ及び色が、制御信号に含まれる設定値になるように、調光及び調色を行う。
【００９８】
以上のように、本実施の形態に係る照明システム１０では、第１照明機器２００及び第２照明機器２０１は、携帯端末１００から送信される制御信号に基づいて、明るさ及び色などが調整される。このように、本実施の形態では、携帯端末１００が１以上の照明機器を制御することで、１以上の空間の照明状態を調整することができる。
【００９９】
続いて、表示制御部１３０が生成する画面であって、表示部１２０に表示される画面について、図２〜図９を用いて説明する。
【０１００】
まず、照明情報管理部１５０に管理されているシーン情報と、シーン情報に基づいて生成されるシーン選択画面とについて、図２、図３Ａ及び図３Ｂを用いて説明する。図２は、実施の形態１に係るシーン情報の一例を示す図である。図３Ａ及び図３Ｂは、実施の形態１に係るシーン選択画面３００及び３０１を示す図である。
【０１０１】
シーン情報は、１以上のシーンを示す情報である。１以上のシーンは、１以上の照明機器による照明状態であって、１以上の空間の１以上の照明状態を示す。１つのシーンには、１つの照明状態が対応付けられている。
【０１０２】
図２に示すように、シーン情報は、シーン名と、シーンアイコンと、シーンの場所（シーン場所情報）と、照明機器の設定情報とを含んでいる。１つのシーンに対して、シーン名と、シーンアイコンと、シーン場所情報と、照明機器の設定情報とが対応付けられている。つまり、照明情報管理部１５０は、シーン毎に、シーン名と、シーンアイコンと、シーン場所情報と、照明機器の設定情報とを対応付けて管理している。
【０１０３】
シーン名は、シーンを識別するためにユーザによって設定された名称である。具体的には、シーン名は、後述するシーン名入力画面を介してユーザによって入力されたテキストである。図２に示すように、ユーザは、「パーティー」、「食事」などのユーザ自身にとって照明状態を想像しやすい名称をシーン名として設定することができるので、シーンの雰囲気を容易に推定することができる。
【０１０４】
シーンアイコンは、撮像部１４０によって取得された画像である。例えば、当該画像は、１以上の照明機器によって照明された空間を撮影することで取得された画像である。図２に示す例では、シーンとシーンアイコンとが１対１に対応付けられている。なお、シーンアイコンとして、撮像部１４０によって取得された画像の代わりに、予め定められたデフォルト画像が登録されている場合もある。
【０１０５】
シーン場所情報は、対応するシーンの場所を示す情報である。例えば、シーン場所情報は、対応するシーンが示す照明状態で照明される空間の場所を示す情報である。具体的には、シーン場所情報は、対応するシーンが設定された時、又は、対応するシーンが選択された時に、携帯端末１００が存在する場所を示す情報である。例えば、シーン場所情報は、「リビングルーム」、「寝室」などの部屋又は区域を特定する情報である。
【０１０６】
設定情報は、後述するシーン設定画面においてユーザによって設定された照明状態を示す情報である。具体的には、設定情報は、１以上の照明機器それぞれの設定パラメータ及びその設定値を示す情報である。例えば、照明機器は、調光機能及び調色機能の少なくとも１つを有するので、設定情報は、１以上の照明機器それぞれの調光設定情報及び調色設定情報の少なくとも１つを含む。
【０１０７】
調光機能は、照明機器から発せられる光の明るさを調節する機能である。調光機能の設定値（調光比）は、例えば、「０〜１００」の値で示される。調光比が大きくなるにつれて、照明機器から発せられる光の明るさが明るくなる。調光比が「０」であることは、照明機器が消灯していることを意味し、調光比が「１００」であることは、照明機器が最大電力で点灯していることを意味する。
【０１０８】
調色機能は、照明機器から発せられる光の色を調節する機能である。具体的には、調色機能は、光の色温度を調節する機能である。調色機能の設定値（色温度）は、例えば、「２１００Ｋ〜５０００Ｋ」の値で示される。色温度が低い程、暖色系の色になり、色温度が高い程、寒色系の色になる。例えば、「電球色」は、色温度が約「２８００Ｋ」であり、「温白色」は、色温度が約「３５００Ｋ」であり、「昼光色」は、色温度が約「５０００Ｋ」である。
【０１０９】
なお、１以上の照明機器は、点灯機能及び消灯機能のみを有する照明機器を含んでもよい。この場合、当該照明機器は、調光比が「０」及び「１００」のみの値に設定可能な照明機器として扱うことができる。
【０１１０】
既存のシーンとは異なる新たなシーンが設定された場合には、シーン情報に新規シーンとして登録される。このとき、新規シーンが新たに作成された場合には、新規シーンのシーン名、シーンアイコン、シーン場所情報及び設定情報がシーン情報に追加登録される。新規シーンの作成の詳細については、後で説明する。
【０１１１】
一方で、既存のシーンを編集することで新規シーンが設定された場合には、新規シーンのシーン名、シーンアイコン、シーン場所情報及び設定情報は、既存のシーンのシーン名、シーンアイコン、シーン場所情報及び設定情報の代わりに登録される。既存のシーンの編集の詳細については、実施の形態２で説明する。
【０１１２】
以上のようなシーン情報に基づいて、シーン選択画面は生成される。例えば、表示制御部１３０は、端末場所情報と１以上のシーン場所情報とに基づいて、１以上のシーンのそれぞれに対応する１以上のシーンアイコンを並び替えて、表示部１２０へ表示させる。具体的には、表示制御部１３０は、１以上のシーン場所情報のうち、端末場所情報が特定する部屋又は区域に一致するシーン場所情報に対応するシーンアイコンが優先されるように、１以上のシーンアイコンを並び替えて、表示部１２０へ表示させる。
【０１１３】
例えば、表示制御部１３０は、図２に示すシーン情報と、端末場所特定部１８０によって取得される端末場所情報とに基づいて、図３Ａ又は図３Ｂに示すシーン選択画面３００又は３０１を生成して表示部１２０に表示させる。
【０１１４】
シーン選択画面３００又は３０１は、１以上のシーンの中からユーザに１つのシーンを選択させるための画面である。また、シーン選択画面３００又は３０１は、新規シーンを設定するためのシーン設定ボタンを含んでいる。
【０１１５】
図３Ａ又は図３Ｂに示すように、シーン選択画面３００又は３０１は、１以上のシーンアイコン３１０と、シーン名３２０と、作成ボタン３３０と、編集ボタン３４０と、スクロールボタン３５０とを含んでいる。
【０１１６】
１以上のシーンアイコン３１０は、１以上のシーンに１対１に対応している。シーンアイコン３１０は、撮像部１４０によって取得された画像である。具体的には、シーンアイコン３１０は、対応するシーンが示す照明状態で照明された空間を撮影することで取得された画像である。
【０１１７】
シーンアイコン３１０は、ユーザによって選択可能である。つまり、シーンアイコン３１０は、タッチスクリーンに触れるユーザの指などによって選択される。入力部１１０は、シーンアイコン３１０が選択されたことを検出した場合、表示制御部１３０及び照明制御部１６０に、選択されたシーンアイコン３１０を示す情報を通知する。
【０１１８】
例えば、図３Ａに示すように、「食事」を示すシーンアイコン３１０は、所定の枠３６０で囲まれている。これは、「食事」を示すシーンアイコン３１０が現在選択されていることを意味し、「食事」を示すシーンアイコン３１０に対応する照明状態で空間が照明されていることを意味している。
【０１１９】
なお、シーンアイコン３１０が選択されていることを示す方法は、これに限らない。例えば、選択されたシーンアイコン３１０をハイライト表示又は点滅表示させてもよい。あるいは、選択されたシーンアイコン３１０に対応するシーン名３２０を太字で表示してもよい。
【０１２０】
シーンアイコン３１０は、シーン場所情報と端末場所情報とに基づいて並び替えて表示されている。具体的には、シーン情報に含まれる複数のシーン場所情報のうち、端末場所情報に一致するシーン場所情報に対応するシーンアイコンが優先されるように並び替えて表示される。
【０１２１】
シーン名３２０は、対応するシーンアイコン３１０の下方に表示されている。なお、シーン名３２０は、シーンアイコン３１０の近傍に表示されればよい。例えば、シーン名３２０は、シーンアイコン３１０の左方、右方又は上方に表示されてもよい。また、シーン名３２０は、シーンアイコン３１０に重複して表示されてもよい。
【０１２２】
なお、シーン名３２０は、表示されなくてもよい。また、シーン名３２０が表示されている場合には、シーンアイコン３１０だけでなく、シーン名３２０が選択可能であってもよい。
【０１２３】
作成ボタン３３０及び編集ボタン３４０は、シーン設定ボタンの一例である。作成ボタン３３０は、シーンを新規作成するためのボタンであり、編集ボタン３４０は、既存のシーンを編集するためのボタンである。
【０１２４】
作成ボタン３３０及び編集ボタン３４０は、ＧＵＩコンポーネントの一例であり、例えば、プッシュボタンである。ユーザによって作成ボタン３３０又は編集ボタン３４０が選択された場合、後述するシーン作成画面又はシーン編集画面が表示部１２０に表示される。具体的には、入力部１１０が作成ボタン３３０又は編集ボタン３４０の押下を検出した場合に、表示制御部１３０は、シーン作成画面又はシーン編集画面を生成し、表示部１２０に表示させる。
【０１２５】
なお、実施の形態１では、作成ボタン３３０が選択された場合について説明する。編集ボタン３４０が選択された場合については、実施の形態２で説明する。
【０１２６】
スクロールボタン３５０は、表示されるシーンアイコン３１０を変更するためのボタンである。つまり、スクロールボタン３５０は、シーンアイコン３１０の表示を切り替えるボタンである。例えば、シーン選択画面３００に表示可能な最大の数のシーンより多くのシーンが設定済みである場合、ユーザは、スクロールボタン３５０を選択することで、シーン選択画面３００に他のシーンのシーンアイコンを表示させて選択することができる。
【０１２７】
スクロールボタン３５０は、ＧＵＩコンポーネントの一例であり、例えば、プッシュボタンである。なお、スクロールボタン３５０は、プッシュボタンではなく、スクロールバーなどでもよい。
【０１２８】
図３Ａに示す例では、シーン選択画面３００に８個のシーンアイコン３１０が表示されている。このとき、１０個のシーンが設定済みである場合は、入力部１１０がスクロールボタン３５０の押下を検出した場合に、表示制御部１３０は、残りの２個のシーンに対応するシーンアイコンを含むシーン選択画面３００を生成して表示させる。
【０１２９】
具体的には、スクロールボタン３５０は、ページ切り替え用のボタンである。例えば、スクロールボタン３５０が選択された場合に、表示制御部１３０は、８個のシーンアイコンが表示された画面を、２個のシーンアイコンが表示された画面に変更する。
【０１３０】
あるいは、スクロールボタン３５０が選択された場合に、表示制御部１３０は、１以上の所定数ずつシーンアイコンを入れ替えて表示させてもよい。例えば、表示制御部１３０は、右側のスクロールボタン３５０が選択された場合に、「パーティー」のシーンアイコンを削除し、残りの７個のシーンアイコンを寄せた後、他のシーンアイコンを表示させてもよい。
【０１３１】
ここで、図３Ａに示すシーン選択画面３００と、図３Ｂに示すシーン選択画面３０１とを比較することで、端末場所情報と１以上のシーン場所情報とに基づいてシーンアイコンを並び替える処理について説明する。
【０１３２】
図３Ａに示すシーン選択画面３００は、携帯端末１００の存在する場所が「リビングルーム」である場合に表示されるシーン選択画面である。例えば、表示制御部１３０は、端末場所情報が「リビングルーム」を特定する情報である場合に、「リビングルーム」のシーンに、他より高い表示優先度を設定する。そして、表示制御部１３０は、設定した表示優先度に基づいてシーン選択画面３００を生成して、表示部１２０に表示させる。
【０１３３】
したがって、図３Ａに示すように、複数のシーンアイコンのうち、「リビングルーム」のシーンに対応するシーンアイコンが優先的に表示される。具体的には、図２に示すように「リビングルーム」のシーンは、「パーティー」、「食事」、「くつろぎ」、「団らん」、「省エネ」、「おやすみ」の６個のシーンであるから、これら６個のシーンアイコン３１０が優先的に表示されている。
【０１３４】
一方で、図３Ｂに示すシーン選択画面３０１は、携帯端末１００の存在する場所が「寝室」である場合に表示されるシーン選択画面である。具体的には、表示制御部１３０は、端末場所情報が「寝室」を特定する情報である場合に、「寝室」のシーンに、他より高い表示優先度を設定する。そして、表示制御部１３０は、設定した表示優先度に基づいてシーン選択画面３０１を生成して、表示部１２０に表示させる。
【０１３５】
図３Ｂに示すように、複数のシーンアイコンのうち、「寝室」のシーンに対応するシーンアイコンが優先的に表示されている。具体的には、「しっとり落ち着き」、「ホテルのくつろぎ」、「おやすみ前読書」などの「寝室」のシーンに対応する８個のシーンアイコン３１０が表示されている。
【０１３６】
以上のように、携帯端末１００の存在する場所に応じて、表示部１２０に表示されるシーン選択画面が異なるように、表示制御部１３０は、表示優先度が高いシーンに対応するシーンアイコンを優先的に並び替えて表示させる。なお、複数のシーンのそれぞれに表示優先度を設定する処理の具体例については、図１１を用いて後で説明する。
【０１３７】
例えば、１画面に表示可能なシーンアイコンの個数がＮ（Ｎは自然数）である場合、表示制御部１３０は、表示優先度が最も高いシーンからＮ番目に高いシーンまでのＮ個のシーンに対応するシーンアイコンを含むシーン選択画面３００又は３０１を生成する。
【０１３８】
なお、スクロールボタン３５０がページ切り替え用のボタンである場合において、スクロールボタン３５０が選択されたとき、表示優先度がＮ＋１番目に高いシーンから２Ｎ番目に高いシーンまでのＮ個のシーンに対応するシーンアイコンが表示される。一方で、スクロールボタン３５０が例えば１個ずつシーンアイコンを変更するためのボタンである場合において、スクロールボタン３５０が選択されたとき、表示優先度が最も高いシーンの代わりに、表示優先度がＮ＋１番目に高いシーンに対応するシーンアイコンが表示される。
【０１３９】
次に、照明情報管理部１５０に管理されている操作対象照明情報と、操作対象照明情報に基づいて生成されるシーン作成画面とについて、図４及び図５を用いて説明する。図４は、実施の形態１に係る操作対象照明情報の一例を示す図である。図５は、実施の形態１に係るシーン作成画面４００を示す図である。
【０１４０】
操作対象照明情報は、携帯端末１００によって制御可能な１以上の照明機器を示す情報である。
【０１４１】
図４に示すように、操作対象照明情報は、品番（型番）、照明機器名及び設定パラメータを含んでいる。１つの照明機器に対して、品番、照明機器名及び設定パラメータが対応付けられている。つまり、照明情報管理部１５０は、照明機器毎に、品番、照明機器名及び設定パラメータを対応付けて管理している。
【０１４２】
品番（型番）は、照明機器の種別を示す情報である。具体的には、品番は、照明機器の消費電力、形状及び機能などに基づいて規定された識別符号である。
【０１４３】
照明機器名は、照明機器を識別するためにユーザによって設定された名称である。図４に示すように、ユーザは、「リビングシーリングライト」、「ダイニングライト」などのユーザ自身にとって照明機器の設置位置などを判別しやすい名称を設定することができる。このため、シーンを設定する際に、どの照明機器を調整すればよいかが容易に判断できる。
【０１４４】
設定パラメータは、照明機器の調整可能な機能を示す情報である。具体的には、設定パラメータは、調光機能及び調色機能などを示す情報である。図４に示すように、照明機器によって有する機能は異なっている。
【０１４５】
操作対象照明情報は、予めユーザなどによって生成された情報である。また、操作対象照明情報に、新たな照明機器に関する情報を追加することもできる。
【０１４６】
例えば、新たな照明機器を操作対象として登録する場合に、携帯端末１００は、ユーザに、登録しようとする照明機器の品番を入力させる。具体的には、携帯端末１００は、照明の品番を入力させるための画面を表示し、当該画面を介して入力されたテキストを照明機の品番として取得する。
【０１４７】
そして、携帯端末１００は、入力された品番を所定のデータベースと照合することにより、対象となる照明機器の設定パラメータを取得することができる。なお、所定のデータベースは、複数の品番と設定パラメータとを対応付けたデータベースであり、例えば、携帯端末１００がネットワークを介して接続可能なサーバ、又は、携帯端末１００自身のメモリなどに保存されている。
【０１４８】
さらに、携帯端末１００は、ユーザに、登録しようとする照明機器の名称を入力させる。具体的には、携帯端末１００は、照明機器名を入力させるための画面を表示し、当該画面を介して入力されたテキストを照明機器名として取得する。
【０１４９】
以上のような操作対象照明情報に基づいて、シーン作成画面は生成される。具体的には、表示制御部１３０は、図４に示す操作対象照明情報に基づいて、図５に示すシーン作成画面４００を生成して表示部１２０に表示させる。
【０１５０】
シーン作成画面４００は、シーン設定画面の一例であり、既存のシーンとは別に新たなシーンを新規作成するための画面である。シーン作成画面４００は、図３Ａ又は図３Ｂに示すシーン選択画面３００又は３０１の作成ボタン３３０が選択された場合に表示される。
【０１５１】
図５に示すように、シーン作成画面４００は、設定画面４１０と、完了ボタン４２０とを含んでいる。
【０１５２】
設定画面４１０は、１以上の照明機器による新たな照明状態を示す新規シーンを設定するための画面である。具体的には、設定画面４１０は、新規シーンを作成するための画面である。
【０１５３】
図５に示すように、設定画面４１０は、調光スライダ４１１ａと、調色スライダ４１１ｂと、照明機器名４１２と、スクロールボタン４１３とを含んでいる。例えば、設定画面４１０は、操作対象照明情報に登録されている１以上の照明機器のそれぞれに対して、照明機器名４１２と設定用のスライダとを含んでいる。設定用のスライダとしては、照明機器に対応する設定パラメータに応じて、例えば、調光スライダ４１１ａ及び調色スライダ４１１ｂの少なくとも１つが表示される。
【０１５４】
調光スライダ４１１ａは、ＧＵＩコンポーネントの一例であり、調光機能の設定値（調光比）を設定するためのスライダである。つまり、ユーザは、調光スライダ４１１ａを操作することで、対応する照明機器から発せられる光の明るさを調整することができる。
【０１５５】
例えば、調光スライダ４１１ａは、調光比を「０〜１００」の値で設定可能である。図５に示す例では、調光スライダ４１１ａを「明」に近づける程、調光比が「１００」に近づき、照明機器から発せられる光が明るくなる。また、調光スライダ４１１ａを「暗」に近づける程、調光比が「０」に近づき、照明機器から発せられる光が暗くなる。
【０１５６】
なお、例えば、点灯機能及び消灯機能のみを有する照明機器の場合、対応する調光スライダ４１１ａは、調光比が「０」と「１００」との２値のみを取ることができる。
【０１５７】
調色スライダ４１１ｂは、ＧＵＩコンポーネントの一例であり、調色機能の設定値（色温度）を設定するためのスライダである。つまり、ユーザは、調色スライダ４１１ｂを操作することで、対応する照明機器から発せられる光の色を調整することができる。
【０１５８】
例えば、調色スライダ４１１ｂは、色温度を「２１００Ｋ〜５０００Ｋ」の値で設定可能である。図５に示す例では、調色スライダ４１１ｂを「暖」に近づける程、色温度が低くなり、照明機器から発せられる光は暖色系の色になる。また、調色スライダ４１１ｂを「寒」に近づける程、色温度が高くなり、照明機器から発せられる光は寒色系の色になる。
【０１５９】
なお、調色機能を有さない照明機器の場合、調色スライダ４１１ｂは、表示されない。つまり、どの照明機器にどのスライダを表示させるかは、操作対象照明情報の設定パラメータに基づいて決定される。
【０１６０】
照明機器名４１２は、対応する調光スライダ４１１ａ及び調色スライダ４１１ｂの近傍に表示される。図５に示す例では、照明機器名４１２は、スライダの下方に表示されているが、左方、右方又は上方に表示されてもよい。また、照明機器名４１２は、スライダに重複して表示されてもよい。
【０１６１】
スクロールボタン４１３は、表示される照明機器のスライダを変更するためのボタンである。つまり、スクロールボタン４１３は、設定対象（操作対象）となる照明機器を変更するためのボタンである。言い換えると、スクロールボタン４１３は、照明機器の設定画面を切り替えるボタンである。例えば、設定画面４１０に表示可能な最大の数の照明機器より多くの照明機器が操作可能である場合、ユーザは、スクロールボタン４１３を選択することで、設定画面４１０に他の照明機器のスライダを表示させて操作することができる。
【０１６２】
スクロールボタン４１３は、ＧＵＩコンポーネントの一例であり、例えば、プッシュボタンである。なお、スクロールボタン４１３は、プッシュボタンではなく、スクロールバーなどでもよい。
【０１６３】
図５に示す例では、設定画面４１０に５個の照明機器名４１２と、対応するスライダ（調光スライダ４１１ａ及び調色スライダ４１１ｂ）とが表示されている。このとき、７個の照明機器が操作対象である場合は、入力部１１０がスクロールボタン４１３の押下を検出したときに、表示制御部１３０は、残りの２個の照明機器に対応する照明機器名及びスライダを含む設定画面４１０を生成して表示させる。
【０１６４】
具体的には、スクロールボタン４１３は、ページ切り替え用のボタンである。例えば、スクロールボタン４１３が選択された場合に、表示制御部１３０は、５個の照明機器名４１２と、対応するスライダとが表示された画面を、２個の照明機器名４１２と、対応するスライダとが表示された画面に変更する。
【０１６５】
あるいは、スクロールボタン４１３が選択された場合に、表示制御部１３０は、１以上の所定数ずつ照明機器を入れ替えて表示させてもよい。例えば、表示制御部１３０は、右側のスクロールボタン４１３が選択された場合に、「リビングシーリングライト」の照明機器名及びスライダを削除し、残りの４つの照明機器名及びスライダを左に寄せた後、他の照明機器名及びスライダを表示させてもよい。
【０１６６】
完了ボタン４２０は、設定完了ボタンの一例であり、１以上の照明機器の設定を完了するためのボタンである。すなわち、完了ボタン４２０は、１以上の照明機器による照明状態の設定を完了するためのボタンであり、具体的には、調光比及び色温度の設定を完了するためのボタンである。
【０１６７】
完了ボタン４２０は、ＧＵＩコンポーネントの一例であり、例えば、プッシュボタンである。ユーザによって完了ボタン４２０が選択された場合、１以上の照明機器に対する調光及び調色の設定は完了する。例えば、入力部１１０が完了ボタン４２０の押下を検出した場合に、表示制御部１３０は、シーン名入力画面を生成し、表示部１２０に表示させる。
【０１６８】
なお、調光スライダ４１１ａ及び調色スライダ４１１ｂの代わりに、テキストボックスを表示してもよい。入力部１１０は、テキストボックスに入力された数値を調光比又は色温度として取得してもよい。
【０１６９】
あるいは、例えば、調光比の場合、「０」、「２０」、「４０」、「６０」、「８０」、「１００」などを選択肢とするラジオボタン、チェックボックス、ドロップダウンリスト、又は、リストボックスなどを表示してもよい。その他、各種ＧＵＩコンポーネントを調光及び調色の設定に利用することができる。
【０１７０】
なお、シーン作成画面４００が表示される際の各スライダの初期位置は、予め定められたデフォルト値に対応する位置でもよく、あるいは、現在の空間の照明状態を示す設定値に対応する位置でもよい。例えば、デフォルト値は、調光比が「０」、「５０」、「１００」などであり、色温度が「２１００Ｋ」、「３５００Ｋ」、「５０００Ｋ」などである。
【０１７１】
次に、表示制御部１３０が生成するシーン名入力画面について、図６を用いて説明する。図６は、実施の形態１に係るシーン名入力画面５００を示す図である。
【０１７２】
シーン名入力画面５００は、ユーザにシーン名を入力させるための画面である。シーン名入力画面５００は、１以上の照明機器の設定が完了した後に表示される。具体的には、シーン名入力画面５００は、図５に示すシーン作成画面４００の完了ボタン４２０が選択された場合に表示される。
【０１７３】
図６に示すように、シーン名入力画面５００は、コメント５１０と、テキストボックス５２０と、確認ボタン５３０と、キャンセルボタン５４０とを含んでいる。
【０１７４】
コメント５１０は、ユーザが行うべき操作を提示するためのテキストである。具体的には、コメント５１０は、ユーザにシーン名の入力を促すためのテキストである。例えば、図６に示すように、「シーン名を入力してください」というコメント５１０が表示される。なお、コメント５１０の代わりに、音声でユーザにシーン名の入力を促してもよい。
【０１７５】
テキストボックス５２０は、ＧＵＩコンポーネントの一例であり、ユーザがテキストを入力するためのインタフェースである。テキストボックス５２０には、ユーザによって入力されたテキストが表示される。例えば、ユーザが「エクササイズ」と入力した場合、図６に示すように、「エクササイズ」がテキストボックス５２０に表示される。
【０１７６】
具体的には、入力部１１０は、ユーザが入力したテキストを取得する。そして、表示制御部１３０は、入力部１１０によって取得されたテキストがテキストボックス５２０に表示されるようなシーン名入力画面５００を生成し、表示部１２０に表示させる。
【０１７７】
確認ボタン５３０は、ＧＵＩコンポーネントの一例であり、例えば、プッシュボタンである。確認ボタン５３０は、シーン名の入力が完了したことをユーザに確認させるためのボタンである。
【０１７８】
確認ボタン５３０が選択された場合、テキストボックス５２０に入力されたテキストがシーン名としてメモリに記憶される。具体的には、入力部１１０が確認ボタン５３０の押下を検出した場合、照明情報管理部１５０は、テキストボックス５２０に入力されたテキストをシーン名として管理する。
【０１７９】
キャンセルボタン５４０は、ＧＵＩコンポーネントの一例であり、例えば、プッシュボタンである。キャンセルボタン５４０は、シーン名の入力を中止することをユーザに確認させるためのボタンである。
【０１８０】
キャンセルボタン５４０が選択された場合、シーン名の入力処理は中止され、例えば、シーン作成画面４００が表示部１２０に表示され、照明機器の再設定を行うことができる。なお、キャンセルボタン５４０が選択された場合に、シーンの作成処理を中止してもよい。つまり、キャンセルボタン５４０が選択された場合、シーン選択画面３００又は３０１が表示されてもよい。
【０１８１】
なお、シーン名入力画面５００は、完了ボタン４２０が選択された場合に表示される例について示したが、これに限らない。例えば、シーン名入力画面５００は、１以上の照明機器の設定が完了する前に表示されてもよい。具体的には、シーン名入力画面５００は、図３Ａ又は図３Ｂに示すシーン選択画面３００又は３０１の作成ボタン３３０が選択された場合に、表示されてもよい。あるいは、シーン作成画面４００が表示される際に、テキストボックス５２０が同時に表示されてもよい。
【０１８２】
次に、表示制御部１３０が生成する撮影確認画面について、図７を用いて説明する。図７は、実施の形態１に係る撮影確認画面６００を示す図である。
【０１８３】
撮影確認画面６００は、ユーザにシーンアイコン用の画像を撮影するか否かを確認するための画面である。言い換えると、撮影確認画面６００は、撮像部１４０による撮像を行うか否かを確認するための画面である。
【０１８４】
撮影確認画面６００は、１以上の照明機器の設定が完了した後に表示される。例えば、撮影確認画面６００は、シーン作成画面４００の完了ボタン４２０が選択された後に表示される。具体的には、撮影確認画面６００は、シーン名入力画面５００の確認ボタン５３０が選択された場合に表示される。
【０１８５】
図７に示すように、撮影確認画面６００は、コメント６１０と、同意ボタン６２０と、不同意ボタン６３０とを含んでいる。
【０１８６】
コメント６１０は、ユーザが行うべき操作を提示するためのテキストである。具体的には、コメント６１０は、撮像部１４０による撮像を行うか否かをユーザに確認するためのテキストである。例えば、図７に示すように、「シーンのアイコンを撮影しますか？」というコメント６１０が表示される。なお、コメント６１０の代わりに、音声でユーザに撮影の確認を行ってもよい。
【０１８７】
同意ボタン６２０は、ＧＵＩコンポーネントの一例であり、例えば、プッシュボタンである。同意ボタン６２０は、撮像部１４０を起動させるための起動ボタンの一例であり、コメント６１０に対する同意を示すボタンである。
【０１８８】
同意ボタン６２０が選択された場合、撮像部１４０は起動される。具体的には、入力部１１０が同意ボタン６２０の押下を検出した場合に、撮像部１４０は、撮像が可能な状態になる。
【０１８９】
不同意ボタン６３０は、ＧＵＩコンポーネントの一例であり、例えば、プッシュボタンである。不同意ボタン６３０は、撮像部１４０を起動させないための不起動ボタンの一例であり、コメント６１０に対する不同意を示すボタンである。
【０１９０】
不同意ボタン６３０が選択された場合、撮像部１４０は起動されない。つまり、不同意ボタン６３０が選択された場合、撮像部１４０は起動されず、撮影画像の代わりにデフォルト画像がシーンアイコンとしてメモリに記憶される。具体的には、入力部１１０が不同意ボタン６３０の押下を検出した場合、照明情報管理部１５０は、予め定められたデフォルト画像をシーンアイコンとして管理する。
【０１９１】
なお、撮影確認画面６００は、シーン名入力画面５００の確認ボタン５３０が選択された場合に表示される例について示したが、これに限らない。例えば、撮影確認画面６００は、シーン作成画面４００の完了ボタン４２０が選択された時に表示されてもよい。
【０１９２】
次に、表示制御部１３０が生成する新規シーン選択画面について、図８を用いて説明する。図８は、実施の形態１に係る新規シーン選択画面７００を示す図である。
【０１９３】
新規シーン選択画面７００は、新規シーンの設定終了後に表示されるシーン選択画面である。具体的には、新規シーン選択画面７００は、既存のシーン選択画面に新規シーンのシーンアイコンが追加された画面である。
【０１９４】
新規シーン選択画面７００は、１以上のシーンアイコン３１０と、シーン名３２０と、新規シーンのシーンアイコン７１０と、新規シーンのシーン名７２０とを含んでいる。例えば、新規シーン選択画面７００は、撮像部１４０による撮像が終了された場合に表示される。
【０１９５】
シーンアイコン７１０は、既存のシーン選択画面（例えば、図３Ａに示すシーン選択画面３００）に追加された新規シーンのシーンアイコンである。具体的には、シーンアイコン７１０は、撮像部１４０によって取得された画像である。例えば、シーンアイコン７１０は、新規シーンが示す照明状態で照明された空間を撮影することで取得された画像である。具体的には、シーンアイコン７１０は、図７に示す撮影確認画面６００の同意ボタン６２０が選択された場合に、撮像部１４０によって取得された画像である。
【０１９６】
シーン名７２０は、新規シーンのシーン名である。具体的には、シーン名７２０は、図６に示すシーン名入力画面５００のテキストボックス５２０に入力されたテキストである。
【０１９７】
なお、新規シーン選択画面７００では、新規シーンのシーンアイコン７１０が選択された状態で表示される。具体的には、図８に示すように、新規シーンのシーンアイコン７１０は、枠３６０で囲まれている。このとき、１以上の照明機器は、新規シーンが示す照明状態で空間を照明している。
【０１９８】
例えば、新規シーンである「エクササイズ」のシーンの場所を、「リビングルーム」と設定したとする。この場合、新規シーンのシーンアイコン７１０は、「寝室」のシーンアイコンよりも優先されて表示される。したがって、図８に示すように、新規シーンのシーンアイコン７１０は、「リビングルーム」のシーンである「おやすみ」と、「寝室」のシーンである「しっとり落ち着き」との間に表示される。なお、新規シーンのシーンアイコン７１０は、「リビングルーム」のシーンの中で最も優先されてもよく、例えば、画面の左上に表示されてもよい。
【０１９９】
ここで、表示制御部１３０が生成する新規シーン選択画面の別の一例について、図９を用いて説明する。図９は、実施の形態１に係る新規シーン選択画面７０１を示す図である。
【０２００】
新規シーン選択画面７０１は、新規シーンの設定終了後に表示されるシーン選択画面である。具体的には、新規シーン選択画面７０１は、既存のシーン選択画面に新規シーンのシーンアイコンが追加された画面である。
【０２０１】
新規シーン選択画面７０１は、新規シーンのシーンアイコン７１１及びシーン名７２０を含んでいる。例えば、新規シーン選択画面７０１は、図７に示す撮影確認画面６００の不同意ボタン６３０が選択された場合に表示される。
【０２０２】
シーンアイコン７１１は、既存のシーン選択画面（例えば、図３Ａに示すシーン選択画面３００）に追加された新規シーンのシーンアイコンである。具体的には、シーンアイコン７１１は、デフォルト画像である。
【０２０３】
このように、撮像部１４０による撮影が行われなかった場合には、新規シーンのシーンアイコン７１１としてデフォルト画像が表示される。
【０２０４】
なお、新規シーン選択画面７０１では、新規シーンのシーンアイコン７１１が選択された状態で表示される。具体的には、図９に示すように、新規シーンのシーンアイコン７１１は、枠３６０で囲まれている。このとき、１以上の照明機器は、新規シーンが示す照明状態で空間を照明している。
【０２０５】
続いて、実施の形態１に係るシーンの作成方法について、図１０Ａ〜図１２を用いて説明する。図１０Ａ及び図１０Ｂは、実施の形態１に係るシーンの作成方法の一例を示すフローチャートである。図１１は、実施の形態１に係る表示優先度の設定方法の一例を示すフローチャートである。図１２は、実施の形態１に係るシーンの作成方法において表示される画面遷移の一例を示す図である。
【０２０６】
例えば、本実施の形態に係る携帯端末１００の制御方法は、１以上の照明機器を制御するためのアプリケーションソフトウェアなどによって実現される。例えば、当該アプリケーションソフトウェアが起動されることによって、実施の形態１に係るシーン作成方法が開始される。
【０２０７】
まず、表示制御部１３０は、シーン情報を取得する（Ｓ１００）。具体的には、表示制御部１３０は、照明情報管理部１５０に記憶されているシーン情報を読み出して取得する。シーン情報は、例えば、図２に示すような、既に作成済みの１以上のシーンを示す情報である。
【０２０８】
次に、表示制御部１３０は、取得したシーン情報に基づいて、表示優先度の設定処理を行う（Ｓ１０２）。具体的な処理については、図１１を用いて説明する。
【０２０９】
図１１に示すように、まず、端末場所特定部１８０は、携帯端末１００が存在する場所を示す端末場所情報を取得する（Ｓ２００）。つまり、端末場所特定部１８０は、携帯端末１００の現在場所を特定するための情報を端末場所情報として取得する。端末場所特定部１８０による端末場所情報の取得方法については、後で図１３〜図１６を用いて説明する。
【０２１０】
次に、表示制御部１３０は、シーン情報に含まれる１つのシーンのシーン場所情報と、取得された端末場所情報とが一致するか否かを判定する（Ｓ２０１）。具体的には、表示制御部１３０は、シーン場所情報が特定する部屋又は区域と、端末場所情報が特定する部屋又は区域とが一致するか否かを判定する。
【０２１１】
シーン場所情報と端末場所情報とが一致した場合（Ｓ２０１でＹｅｓ）、表示制御部１３０は、当該シーン場所情報に対応するシーンの表示優先度を高く設定する（Ｓ２０２）。具体的には、表示制御部１３０は、端末場所情報に一致しない場合よりも相対的に高く表示優先度を設定する。
【０２１２】
一方で、シーン場所情報と端末場所情報とが一致しない場合（Ｓ２０１でＮｏ）、表示制御部１３０は、当該シーン場所情報に対応するシーンの表示優先度を低く設定する（Ｓ２０３）。なお、照明情報管理部１５０は、例えば、設定された表示優先度をシーンアイコンに対応付けて一時的に管理する。
【０２１３】
次に、表示制御部１３０は、シーン情報に含まれる全てのシーンに対して、表示優先度の設定が完了したか否かを判定する（Ｓ２０４）。表示優先度の設定が完了していない場合（Ｓ２０４でＮｏ）、表示制御部１３０は、設定対象を、表示優先度が設定されていない別のシーンに変更し（Ｓ２０５）、場所情報の比較（Ｓ２０１）及び表示優先度の設定（Ｓ２０２又はＳ２０３）を行う。
【０２１４】
シーン情報に含まれる全てのシーンに対して、表示優先度の設定が完了した場合（Ｓ２０４でＹｅｓ）、表示優先度の設定処理は終了される。
【０２１５】
以上の動作により、例えば、端末場所情報が「リビングルーム」を特定する情報である場合、表示制御部１３０は、シーン場所が「リビングルーム」のシーンに対して、表示優先度を高く設定する。一方で、表示制御部１３０は、シーン場所が「寝室」などのその他のシーンに対して、表示優先度をシーン場所が「リビングルーム」のシーンよりも低く設定する。
【０２１６】
次に、図１０Ａに示すように、表示制御部１３０は、取得したシーン情報と、設定された表示優先度とに基づいてシーン選択画面を生成し、生成したシーン選択画面を表示部１２０に表示させる（Ｓ１０４）。例えば、表示制御部１３０は、表示優先度が高い順に１以上のシーンアイコンを並び替えることで、シーン選択画面を生成して表示部１２０に表示させる。これにより、例えば、表示部１２０には、図１２の（ａ）に示すように、シーン場所が「リビングルーム」のシーンアイコンが優先的に表示されたシーン選択画面３００が表示される。シーン選択画面３００の詳細は、図３Ａを用いて説明した通りである。
【０２１７】
次に、シーン作成ボタン（作成ボタン３３０）が選択された場合（Ｓ１０６でＹｅｓ）、表示制御部１３０は、携帯端末１００の場所情報を取得し、取得した場所情報を、新規シーンの場所を示す新規シーン場所情報として設定する（Ｓ１０８）。例えば、端末場所特定部１８０は、シーン作成ボタンが選択されたときに携帯端末１００が存在する場所を特定し、特定した場所を示す場所情報を表示制御部１３０に出力する。このように、表示制御部１３０は、端末場所特定部１８０を用いて、シーン作成ボタンが選択されたときに携帯端末１００が存在する場所を示す場所情報を取得する。そして、表示制御部１３０は、取得した場所情報を新規シーン場所情報として設定し、照明情報管理部１５０で管理する。
【０２１８】
なお、シーン作成ボタン（作成ボタン３３０）が選択されない場合（Ｓ１０６でＮｏ）、表示制御部１３０は、作成ボタン３３０が選択されるまで待機する。このとき、１以上のシーンアイコン３１０のいずれか１つが選択された場合は、表示制御部１３０は、選択されたシーンアイコンを囲むように所定の枠３６０を付与して表示させる。また、照明制御部１６０は、選択されたシーンアイコン３１０に対応するシーンが示す照明状態で空間を照明するように１以上の照明機器を制御するための制御信号を生成する。そして、照明制御部１６０は、生成した制御信号を、通信部１７０及びネットワークを介して１以上の照明機器に送信する。これにより、選択されたシーンが示す照明状態で空間を照明することができる。
【０２１９】
次に、表示制御部１３０は、操作対象照明情報を取得する（Ｓ１１０）。具体的には、表示制御部１３０は、入力部１１０が作成ボタン３３０の押下を検出した場合、照明情報管理部１５０に記憶されている操作対象照明情報を読み出して取得する。操作対象照明情報は、例えば、図４に示すように、既に登録済みの１以上の照明機器を示す情報である。
【０２２０】
次に、表示制御部１３０は、取得した操作対象照明情報に基づいてシーン作成画面４００を生成し、生成したシーン作成画面４００を表示部１２０に表示させる（Ｓ１１２）。これにより、表示部１２０には、図１２の（ｂ）に示すようにシーン作成画面４００が表示される。シーン作成画面４００の詳細は、図５を用いて説明した通りである。
【０２２１】
次に、表示制御部１３０及び照明制御部１６０は、シーン作成画面４００においてユーザによって入力された照明機器の設定情報を取得する（Ｓ１１４）。図１２の（ｂ）に示すようにシーン作成画面４００が表示されることで、ユーザは、１以上の照明機器のそれぞれの調光機能又は調色機能の設定値を設定することができる。表示制御部１３０及び照明制御部１６０は、例えば、ユーザによって操作された調光スライダ４１１ａ又は調色スライダ４１１ｂが示す設定値を、入力部１１０を介して取得する。
【０２２２】
そして、表示制御部１３０は、入力部１１０を介して取得した設定値に応じてシーン作成画面４００を生成し、生成したシーン作成画面４００を表示部１２０に表示させる。つまり、表示制御部１３０は、ユーザによる操作に同期させて、逐次、シーン作成画面４００を生成して表示部１２０に表示させる。具体的には、ユーザがスライダを操作させた場合は、ユーザ操作に応じてシーン作成画面４００のスライダの表示が変更される。このようにして、表示部１２０には、図１２の（ｃ）に示すように変更後のシーン作成画面４００が表示される。
【０２２３】
また、照明制御部１６０は、ユーザによる設定画面の操作によって設定された照明状態が示す設定情報に基づいて、１以上の照明機器を制御するための制御信号を生成する（Ｓ１１６）。そして、照明制御部１６０は、生成した制御信号を、通信部１７０及びネットワークを介して１以上の照明機器に送信する。これにより、ユーザによる操作に同期させて、逐次、１以上の照明機器による照明状態が変化する。
【０２２４】
例えば、ユーザが１以上の照明機器のうち、「リビングシーリングライト」の調光スライダ４１１ａを操作した場合、実際の「リビングシーリングライト」の明るさが、ユーザの操作に応じて変化する。例えば、「リビングシーリングライト」の調光比が「１００」になるように、ユーザが調光スライダ４１１ａを操作した場合、「リビングシーリングライト」は、最大の明るさで空間を照明する。
【０２２５】
シーン作成完了ボタン（完了ボタン４２０）が選択されるまで（Ｓ１１８でＮｏ）、ユーザ操作による設定情報の取得（Ｓ１１４）と照明機器の制御（Ｓ１１６）とを繰り返す。
【０２２６】
このように、設定画面４１０におけるユーザの操作に同期して、１以上の照明機器の照明状態を変更する。したがって、ユーザは、照明状態の雰囲気を実際に確認しながら携帯端末１００を操作することで、所望のシーンを作成することができる。
【０２２７】
シーン作成完了ボタン（完了ボタン４２０）が選択された場合（Ｓ１１８でＹｅｓ）、表示制御部１３０は、携帯端末１００の場所情報を取得し、取得した場所情報を、新規シーン場所情報として設定する（Ｓ１２０）。具体的な処理については、作成ボタン３３０が選択された時に行われる新規シーン場所情報の設定処理（Ｓ１０８）と同じである。つまり、表示制御部１３０は、端末場所特定部１８０を用いて、シーン作成完了ボタンが選択されたときに携帯端末１００が存在する場所を示す場所情報を取得する。そして、表示制御部１３０は、取得した場所情報を新規シーン場所情報として設定する。
【０２２８】
なお、今回取得した場所情報が、作成ボタン３３０が選択された時に設定された新規シーン場所情報と異なっている場合は、表示制御部１３０は、新規シーン場所情報を今回取得した場所情報に再設定する。今回取得した場所情報が、作成ボタン３３０が選択された時に設定された新規シーン場所情報と同じである場合は、表示制御部１３０は、新規シーン場所情報の設定を行わなくてもよい。
【０２２９】
次に、表示制御部１３０は、シーン名入力画面５００を生成し、生成したシーン名入力画面５００を表示部１２０に表示させる（Ｓ１２２）。具体的には、入力部１１０が完了ボタン４２０の押下を検出した場合に、表示制御部１３０は、シーン名入力画面５００を生成する。これにより、表示部１２０には、図１２の（ｄ）に示すようにシーン名入力画面５００が表示される。シーン名入力画面５００の詳細は、図６を用いて説明した通りである。
【０２３０】
このとき、シーン名入力画面５００が表示された時点では、テキストボックス５２０には何も入力されていない。つまり、空欄のテキストボックス５２０が表示される。ユーザは、所望のシーン名をテキストボックス５２０に入力する。
【０２３１】
入力部１１０は、テキストボックス５２０に入力されたテキスト（シーン名）を取得する。そして、表示制御部１３０は、入力部１１０によって取得されたテキストをテキストボックス５２０に表示する（Ｓ１２４）。これにより、表示部１２０には、図１２の（ｅ）に示すように、ユーザが入力したテキストが表示されたテキストボックス５２０を含むシーン名入力画面５００が表示される。
【０２３２】
シーン名入力完了ボタン（確認ボタン５３０）が選択された場合（Ｓ１２６でＹｅｓ）、表示制御部１３０は、シーンアイコンの撮影確認画面６００を生成し、生成した撮影確認画面６００を表示部１２０に表示させる（Ｓ１２８）。具体的には、入力部１１０が確認ボタン５３０の押下を検出した場合に、表示制御部１３０は、撮影確認画面６００を生成する。これにより、表示部１２０には、図１２の（ｆ）に示すように撮影確認画面６００が表示される。なお、このとき、照明情報管理部１５０は、確認ボタン５３０が選択された時点でテキストボックス５２０に入力されていたテキストを、新規シーンのシーン名として管理する。
【０２３３】
なお、シーン名入力完了ボタン（確認ボタン５３０）が選択されない場合（Ｓ１２６でＮｏ）、表示制御部１３０は、確認ボタン５３０が選択されるまで待機する。
【０２３４】
次に、表示制御部１３０は、撮影確認画面６００でいずれかのボタンが選択されるまで待機する（Ｓ１３０でＮｏ）。具体的には、入力部１１０が同意ボタン６２０及び不同意ボタン６３０のいずれかの押下を検出するまで、表示制御部１３０は、撮影確認画面６００を表示部１２０に表示させておく。
【０２３５】
いずれかのボタンが選択された場合（Ｓ１３０でＹｅｓ）、選択されたボタンが撮影ボタン（同意ボタン６２０）であれば（Ｓ１３２でＹｅｓ）、撮像部１４０が起動される（Ｓ１３４）。具体的には、入力部１１０が同意ボタン６２０の押下を検出した場合、表示制御部１３０は、撮像部１４０を起動する。
【０２３６】
撮像部１４０が起動されることで、図１２の（ｇ）に示すように、表示部１２０には、撮像部１４０のイメージセンサで取得された画像（ライブビュー画像）が表示される。ユーザは、表示部１２０に表示される画像を見ながら、シャッターボタンを押下することができる。撮像部１４０は、シャッターボタンが押下されたときに、撮影画像を取得する。
【０２３７】
撮像部１４０が起動された時点では、空間は、完了ボタン４２０が選択された時点での照明機器の設定情報に基づいた照明状態で照明されている。すなわち、空間は、ユーザが作成した新規シーンが示す照明状態で照明されている。したがって、空間を撮影することで、ユーザが作成した新規シーンの雰囲気を撮影画像として保存することができる。つまり、ユーザは、撮影画像を目視することで、新規シーンの雰囲気を確認することができる。
【０２３８】
撮影画像が取得された場合（Ｓ１３６でＹｅｓ）、表示制御部１３０は、携帯端末１００の場所情報を取得し、取得した場所情報を、新規シーン場所情報として設定する（Ｓ１３８）。具体的な処理については、作成ボタン３３０又は完了ボタン４２０が選択された時に行われる新規シーン場所情報の設定処理（Ｓ１０８又はＳ１２０）と同じである。
【０２３９】
つまり、表示制御部１３０は、端末場所特定部１８０を用いて、撮像部１４０によって撮像が行われたときに携帯端末１００が存在する場所を示す場所情報を取得する。そして、表示制御部１３０は、取得した場所情報を新規シーン場所情報として設定する。
【０２４０】
なお、今回取得した場所情報が、完了ボタン４２０が選択された時に設定された新規シーン場所情報と異なっている場合は、表示制御部１３０は、新規シーン場所情報を今回取得した場所情報に再設定する。今回取得した場所情報が、完了ボタン４２０が選択された時に設定された新規シーン場所情報と同じである場合は、表示制御部１３０は、新規シーン場所情報の設定を行わなくてもよい。
【０２４１】
さらに、表示制御部１３０は、取得された撮影画像をシーンアイコンとして設定する（Ｓ１４０）。なお、撮影画像が取得されるまで（Ｓ１３６でＮｏ）、撮像部１４０は、撮像が可能な状態に保たれる。つまり、撮像部１４０は、起動された状態に保たれる。
【０２４２】
また、撮影確認画面６００で、選択されたボタンが不同意ボタン６３０である場合（Ｓ１３２でＮｏ）、表示制御部１３０は、デフォルト画像をシーンアイコンとして設定する（Ｓ１４２）。
【０２４３】
そして、照明情報管理部１５０は、１以上の照明機器の設定情報と、入力されたシーン名と、設定された新規シーン場所情報と、シーンアイコンとを対応付けて、新規シーンとして記憶する（Ｓ１４４）。つまり、撮像部１４０によって撮影画像が取得された場合には、取得された撮影画像がシーンアイコンとして管理され、撮像部１４０によって撮影画像が取得されなかった場合には、デフォルト画像がシーンアイコンとして管理される。
【０２４４】
次に、表示制御部１３０は、シーン情報を取得する（Ｓ１４６）。具体的には、表示制御部１３０は、照明情報管理部１５０に記憶されているシーン情報であって、新規シーンを含むシーン情報を読み出して取得する。
【０２４５】
次に、表示制御部１３０は、取得したシーン情報に基づいて、表示優先度の設定処理を行う（Ｓ１４８）。表示優先度の設定処理は、図１１に示した通りである。
【０２４６】
そして、表示制御部１３０は、作成された新規シーンが選択された状態で、新規シーン選択画面７００又は７０１を生成し、生成した新規シーン選択画面７００又は７０１を表示部１２０に表示させる（Ｓ１５０）。これにより、撮影画像が取得された場合には、表示部１２０には、図１２の（ｈ）に示すように新規シーン選択画面７００が表示される。また、撮影画像が取得されなかった場合には、表示部１２０には、図１２の（ｉ）に示すように新規シーン選択画面７０１が表示される。
【０２４７】
なお、新規シーン選択画面７００又は７０１が表示された後は、作成ボタン３３０の押下を検出する処理（Ｓ１０６）以降の処理が繰り返される。
【０２４８】
以上のように、本実施の形態に係る携帯端末１００の制御方法によれば、新規シーンを作成する際に、１以上の照明機器の設定が完了した後で、当該設定に基づいて１以上の照明機器によって照明される空間を撮影し、撮影によって取得された画像を新規シーンのシーンアイコンとして設定する。つまり、新規シーンの雰囲気を示す画像がシーンアイコンとして設定される。
【０２４９】
そして、シーン選択画面では、新規シーンの雰囲気を示す画像がシーンアイコンとして表示されるので、ユーザは、シーンアイコンを目視するだけで、シーンの雰囲気を容易に確認することができる。つまり、シーンアイコンが実際のシーンを撮影した画像であるから、ユーザは、視覚的にシーンの雰囲気を容易に確認することができる。
【０２５０】
なお、図１０Ａ及び図１０Ｂに示すフローチャートでは、新規シーン場所情報の設定処理が、３回（Ｓ１０８、Ｓ１２０、Ｓ１３８）行われる例について示しているが、これに限らない。新規シーン場所情報の設定処理は、少なくとも１回行われればよい。なお、新規シーン場所情報の設定処理を行うタイミングは、シーン作成ボタンが選択されてから新規シーンの記憶までの間（Ｓ１０６〜Ｓ１４４）であればよい。
【０２５１】
続いて、携帯端末の場所を特定するための具体的な構成について、図１３〜図１６を用いて説明する。図１３〜図１６は、実施の形態１に係る携帯端末の場所情報を取得するための構成の一例を示すブロック図である。
【０２５２】
なお、図１３〜図１６は、それぞれ異なる手段を用いて場所情報を自動的に取得するための構成を示している。本実施の形態に係る携帯端末１００は、例えば、図１３〜図１６のいずれか１つの手段を用いればよく、あるいは、別の手段を用いてもよい。
【０２５３】
なお、携帯端末の場所情報は、携帯端末１００が存在する場所を特定する情報である。端末場所情報及びシーン場所情報はともに、場所情報に基づいた情報である。具体的には、端末場所情報は、携帯端末１００が現在存在する場所を特定するための情報であり、シーン場所情報は、携帯端末１００がシーンの選択時又は設定時に存在する場所を特定するための情報である。端末場所情報とシーン場所情報とは、例えば、図１３〜図１６に示すいずれかの手段のうち、同一の手段によって取得された場所情報に基づいた情報である。
【０２５４】
まず、無線ＬＡＮ機能を利用する場合について、図１３を用いて説明する。
【０２５５】
図１３に示す照明システム１１は、図１に示す照明システム１０の一例であり、携帯端末１０１と、第１照明機器２００と、第２照明機器２０１と、無線ＬＡＮ機器８００とを備える。
【０２５６】
なお、図１３では、１つのみの無線ＬＡＮ機器８００を示しているが、照明システム１１は、複数の無線ＬＡＮ機器８００を備えている。そして、複数の無線ＬＡＮ機器８００は、例えば、部屋又は区域ごとに配置されている。
【０２５７】
無線ＬＡＮ機器８００は、無線ＬＡＮ規格に準拠した通信を行う。無線ＬＡＮ機器８００には、固有の識別子が設定されている。例えば、無線ＬＡＮ機器８００には、ＳＳＩＤ（Ｓｅｒｖｉｃｅ  Ｓｅｔ  ＩＤｅｎｔｉｆｉｅｒ）が設定されている。無線ＬＡＮ機器８００は、ＳＳＩＤを含む無線信号情報を定期的に送信する。
【０２５８】
携帯端末１０１は、図１に示す携帯端末１００の一例であり、無線ＬＡＮ機能を利用して自端末が存在する場所を特定する。携帯端末１０１は、無線ＬＡＮ通信部１７１と、端末場所特定部１８１とを備える。
【０２５９】
無線ＬＡＮ通信部１７１は、無線ＬＡＮ機器８００と通信可能である。無線ＬＡＮ通信部１７１は、無線ＬＡＮ機器８００から送信される無線信号情報を取得する。
【０２６０】
なお、無線ＬＡＮ通信部１７１は、図１に示す通信部１７０と同一であってもよい。すなわち、携帯端末１０１は、無線ＬＡＮ通信部１７１及び無線ＬＡＮ機器８００を介して、第１照明機器２００及び第２照明機器２０１と通信可能であってもよい。
【０２６１】
端末場所特定部１８１は、図１に示す端末場所特定部１８０の一例であり、無線ＬＡＮ機器８００が発信する無線信号情報に含まれる、無線ＬＡＮ機器８００に固有の識別子に基づいて、携帯端末１０１が存在する場所を特定する。例えば、端末場所特定部１８１は、無線ＬＡＮ通信部１７１によって受信された無線信号情報に含まれるＳＳＩＤを用いて、携帯端末１０１が存在する場所を特定する。
【０２６２】
例えば、無線ＬＡＮ機器８００又は携帯端末１０１に、無線ＬＡＮ機器８００が存在する場所を、予めＳＳＩＤに対応付けて登録しておく。これにより、端末場所特定部１８１は、ＳＳＩＤを取得することで、携帯端末１０１が存在する場所を特定する。
【０２６３】
このように、無線ＬＡＮ通信を利用して携帯端末の場所を自動的に特定し、場所情報を取得することができる。これにより、表示制御部１３０は、端末場所情報及びシーン場所情報を取得することができる。
【０２６４】
次に、Ｂｌｕｅｔｏｏｔｈ（登録商標）通信機能を利用する場合について、図１４を用いて説明する。
【０２６５】
図１４に示す照明システム１２は、図１に示す照明システム１０の一例であり、携帯端末１０２と、第１照明機器２００と、第２照明機器２０１と、Ｂｌｕｅｔｏｏｔｈ（登録商標）通信機器８１０とを備える。
【０２６６】
なお、図１４では、１つのみのＢｌｕｅｔｏｏｔｈ（登録商標）通信機器８１０を示しているが、照明システム１２は、複数のＢｌｕｅｔｏｏｔｈ（登録商標）通信機器８１０を備えている。そして、複数のＢｌｕｅｔｏｏｔｈ（登録商標）通信機器８１０は、例えば、部屋又は区域ごとに配置されている。
【０２６７】
Ｂｌｕｅｔｏｏｔｈ（登録商標）通信機器８１０は、Ｂｌｕｅｔｏｏｔｈ（登録商標）規格に準拠した通信を行う。Ｂｌｕｅｔｏｏｔｈ（登録商標）通信機器８１０には、固有の識別子が設定されている。Ｂｌｕｅｔｏｏｔｈ（登録商標）通信機器８１０は、固有の識別子を含む無線信号情報を定期的に送信する。
【０２６８】
携帯端末１０２は、図１に示す携帯端末１００の一例であり、Ｂｌｕｅｔｏｏｔｈ（登録商標）通信機能を利用して自端末が存在する場所を特定する。携帯端末１０２は、Ｂｌｕｅｔｏｏｔｈ（登録商標）通信部１７２と、端末場所特定部１８２とを備える。
【０２６９】
Ｂｌｕｅｔｏｏｔｈ（登録商標）通信部１７２は、Ｂｌｕｅｔｏｏｔｈ（登録商標）通信機器８１０と通信可能である。Ｂｌｕｅｔｏｏｔｈ（登録商標）通信部１７２は、Ｂｌｕｅｔｏｏｔｈ（登録商標）通信機器８１０から送信される無線信号情報を取得する。
【０２７０】
なお、Ｂｌｕｅｔｏｏｔｈ（登録商標）通信部１７２は、図１に示す通信部１７０と同一であってもよい。すなわち、携帯端末１０２は、Ｂｌｕｅｔｏｏｔｈ（登録商標）通信部１７２及びＢｌｕｅｔｏｏｔｈ（登録商標）通信機器８１０を介して、第１照明機器２００及び第２照明機器２０１と通信可能であってもよい。
【０２７１】
端末場所特定部１８２は、図１に示す端末場所特定部１８０の一例であり、Ｂｌｕｅｔｏｏｔｈ（登録商標）通信機器８１０が発信する無線信号情報に含まれる、Ｂｌｕｅｔｏｏｔｈ（登録商標）通信機器８１０に固有の識別子に基づいて、携帯端末１０２が存在する場所を特定する。例えば、端末場所特定部１８２は、Ｂｌｕｅｔｏｏｔｈ（登録商標）通信部１７２によって受信された無線信号情報に含まれる識別子を用いて、携帯端末１０２が存在する場所を特定する。
【０２７２】
例えば、Ｂｌｕｅｔｏｏｔｈ（登録商標）通信機器８１０又は携帯端末１０２に、Ｂｌｕｅｔｏｏｔｈ（登録商標）通信機器８１０が存在する場所を、予め識別子に対応付けて登録しておく。これにより、端末場所特定部１８２は、識別子を取得することで、携帯端末１０２が存在する場所を特定する。
【０２７３】
このように、Ｂｌｕｅｔｏｏｔｈ（登録商標）通信を利用して携帯端末の場所を自動的に特定し、場所情報を取得することができる。これにより、表示制御部１３０は、端末場所情報及びシーン場所情報を取得することができる。
【０２７４】
次に、可視光通信機能を利用する場合について、図１５を用いて説明する。
【０２７５】
図１５に示す照明システム１３は、図１に示す照明システム１０の一例であり、携帯端末１０３と、第１照明機器２００と、第２照明機器２０１と、可視光通信機器８２０とを備える。
【０２７６】
なお、図１５では、１つのみの可視光通信機器８２０を示しているが、照明システム１３は、複数の可視光通信機器８２０を備えている。そして、複数の可視光通信機器８２０は、例えば、部屋又は区域ごとに配置されている。
【０２７７】
可視光通信機器８２０は、可視光帯域の電磁波を用いた通信を行う。可視光通信機器８２０には、固有の識別子が設定されている。可視光通信機器８２０は、固有の識別子を含む電磁波を定期的に発信する。
【０２７８】
なお、可視光通信機器８２０は、第１照明機器２００又は第２照明機器２０１のいずれかであってもよい。すなわち、可視光通信機器８２０は、携帯端末１０３によって制御される照明機器の１つでもよい。
【０２７９】
携帯端末１０３は、図１に示す携帯端末１００の一例であり、可視光帯域の電磁波を利用して自端末が存在する場所を特定する。携帯端末１０３は、センサ部１７３と、端末場所特定部１８３とを備える。
【０２８０】
センサ部１７３は、可視光帯域の電磁波を受信する。具体的には、センサ部１７３は、可視光通信機器８２０から発信される電磁波を受信する。
【０２８１】
端末場所特定部１８３は、図１に示す端末場所特定部１８０の一例であり、可視光通信機器８２０が発信する電磁波に含まれる、可視光通信機器８２０に固有の識別子に基づいて、携帯端末１０３が存在する場所を特定する。例えば、端末場所特定部１８３は、センサ部１７３によって受信された電磁波に含まれる識別子を用いて、携帯端末１０３が存在する場所を特定する。
【０２８２】
例えば、可視光通信機器８２０又は携帯端末１０３に、可視光通信機器８２０が存在する場所を、予め識別子に対応付けて登録しておく。これにより、端末場所特定部１８３は、識別子を取得することで、携帯端末１０３が存在する場所を特定する。
【０２８３】
このように、可視光通信を利用して携帯端末の場所を自動的に特定し、場所情報を取得することができる。これにより、表示制御部１３０は、端末場所情報及びシーン場所情報を取得することができる。
【０２８４】
次に、超音波を利用する場合について、図１６を用いて説明する。
【０２８５】
図１６に示す照明システム１４は、図１に示す照明システム１０の一例であり、携帯端末１０４と、第１照明機器２００と、第２照明機器２０１と、スピーカー８３０とを備える。
【０２８６】
なお、図１６では、１つのみのスピーカー８３０を示しているが、照明システム１４は、複数のスピーカー８３０を備えている。そして、複数のスピーカー８３０は、例えば、部屋又は区域ごとに配置されている。
【０２８７】
スピーカー８３０は、超音波を用いた通信を行う。スピーカー８３０には、固有の識別子が設定されている。スピーカー８３０は、固有の識別子を含む超音波を定期的に発信する。
【０２８８】
携帯端末１０４は、図１に示す携帯端末１００の一例であり、超音波を利用して自端末が存在する場所を特定する。携帯端末１０４は、マイクロフォン部１７４と、端末場所特定部１８４とを備える。
【０２８９】
マイクロフォン部１７４は、超音波を受信する。具体的には、マイクロフォン部１７４は、スピーカー８３０から発信される超音波を受信する。
【０２９０】
端末場所特定部１８４は、図１に示す端末場所特定部１８０の一例であり、スピーカー８３０が発信する超音波に含まれる、スピーカー８３０に固有の識別子に基づいて、携帯端末１０４が存在する場所を特定する。例えば、端末場所特定部１８４は、マイクロフォン部１７４によって受信された超音波に含まれる識別子を用いて、携帯端末１０４が存在する場所を特定する。
【０２９１】
例えば、スピーカー８３０又は携帯端末１０４に、スピーカー８３０が存在する場所を、予め識別子に対応付けて登録しておく。これにより、端末場所特定部１８４は、識別子を取得することで、携帯端末１０４が存在する場所を特定する。
【０２９２】
このように、超音波を利用して携帯端末の場所を自動的に特定し、場所情報を取得することができる。これにより、表示制御部１３０は、端末場所情報及びシーン場所情報を取得することができる。
【０２９３】
以上のように、本実施の形態に係る携帯端末１００の制御方法によれば、端末場所情報と１以上のシーン場所情報とに基づいて１以上のシーンアイコンを並び替えて表示させるので、携帯端末１００が存在する場所に応じたシーン選択画面を生成することができる。したがって、ユーザにシーンを容易に選択させることができる。
【０２９４】
なお、図１１のＳ２０１〜Ｓ２０４において、携帯端末１００は各部屋又は各区域から受信する信号強度に基づいて、各部屋又は各区域に対応するシーンの表示優先度を設定してもよい。
【０２９５】
（実施の形態１の変形例１）
実施の形態１に係る携帯端末１００では、端末場所情報を自動的に取得する構成について説明したが、変形例１に係る携帯端末のように、ユーザの指示に基づいて端末場所情報を取得してもよい。すなわち、携帯端末の場所を手動で特定してもよい。
【０２９６】
携帯端末の場所をユーザに入力させることで取得する構成について、図１７〜図１９を用いて説明する。図１７は、実施の形態１の変形例１に係るシーン選択画面３０２を示す図である。図１８は、実施の形態１の変形例１に係る現在場所選択画面９００を示す図である。図１９は、実施の形態１の変形例１に係るシーン場所選択画面１０００を示す図である。
【０２９７】
図１７に示すように、シーン選択画面３０２は、図３Ａに示すシーン選択画面３００とは、現在場所入力ボタン３７０を含む点のみが異なっている。
【０２９８】
現在場所入力ボタン３７０は、場所入力ボタンの一例であり、端末場所情報をユーザに入力させるためのボタンである。現在場所入力ボタン３７０は、ＧＵＩコンポーネントの一例であり、例えば、プッシュボタンである。
【０２９９】
ユーザによって現在場所入力ボタン３７０が選択された場合、例えば、図１１に示す表示優先度の設定処理が開始される。そして、端末場所情報を特定するために、図１８に示す現在場所選択画面９００が表示される。具体的には、入力部１１０が現在場所入力ボタン３７０の押下を検出した場合に、表示制御部１３０は、現在場所選択画面９００を生成し、表示部１２０に表示させる。
【０３００】
現在場所選択画面９００は、端末場所情報をユーザに入力させるための第１入力促進画面の一例である。図１８に示すように、現在場所選択画面９００は、コメント９１０と、リストボックス９２０と、確認ボタン９３０と、キャンセルボタン９４０と、新規追加ボタン９５０とを含んでいる。
【０３０１】
コメント９１０は、ユーザが行うべき操作を提示するためのテキストである。具体的には、コメント９１０は、ユーザに端末場所情報の選択を促すためのテキストである。例えば、図１８に示すように、「現在の場所を選択してください」というコメント９１０が表示される。なお、コメント９１０の代わりに、音声でユーザに場所の選択を促してもよい。
【０３０２】
リストボックス９２０は、ＧＵＩコンポーネントの一例であり、ユーザに端末場所情報を選択させるためのインタフェースである。リストボックス９２０には、「子供部屋」、「寝室」などの場所を特定するための１以上の選択肢が表示され、ユーザは、１以上の選択肢から１つを選択することができる。これらの選択肢は、例えば、ユーザによって予め登録されたものである。
【０３０３】
確認ボタン９３０は、ＧＵＩコンポーネントの一例であり、例えば、プッシュボタンである。確認ボタン９３０は、リストボックス９２０に表示された１以上の選択肢から１つを選択したことをユーザに確認させるためのボタンである。
【０３０４】
確認ボタン９３０が選択された場合、リストボックス９２０で選択された選択肢が端末場所情報として決定される。つまり、表示制御部１３０は、決定された端末場所情報を取得し（図１１のＳ２００）、各シーンに対する表示優先度の設定処理を行う。このため、確認ボタン９３０が選択された後、表示部１２０には、選択された端末場所情報に基づいて並び替えられたシーンアイコンを含むシーン選択画面が表示される。
【０３０５】
キャンセルボタン９４０は、ＧＵＩコンポーネントの一例であり、例えば、プッシュボタンである。キャンセルボタン９４０は、端末場所情報の選択を中止することをユーザに確認させるためのボタンである。キャンセルボタン９４０が選択された場合、端末場所情報の選択は中止され、例えば、シーン選択画面３０２が表示部１２０に表示される。
【０３０６】
新規追加ボタン９５０は、ＧＵＩコンポーネントの一例であり、例えば、プッシュボタンである。新規追加ボタン９５０は、リストボックス９２０に表示させる選択肢を追加するためのボタンである。
【０３０７】
新規追加ボタン９５０が選択された場合、例えば、テキストボックスが表示され、所望の場所を示すテキストをユーザが入力することができる。なお、テキストボックスの代わりに、音声での入力を受け付けることができてもよい。
【０３０８】
以上のように、現在場所入力ボタン３７０が選択された場合に、現在場所選択画面９００が表示される例について示したが、これに限らない。例えば、入力部１１０が現在場所入力ボタン３７０の押下を検出したときに、携帯端末１００は、音声入力を受け付ける状態になってもよい。
【０３０９】
例えば、表示部１２０には、「現在の場所を音声で入力して下さい」というコメントを含むような入力促進画面が表示されてもよい。そして、携帯端末１００は、マイクロフォン部の機能を起動させることで、ユーザからの音声入力を受け付けることができる。これにより、ユーザは、音声で現在場所を入力することができる。
【０３１０】
あるいは、入力部１１０が現在場所入力ボタン３７０の押下を検出したときに、携帯端末１００は、ユーザのジェスチャ入力を受け付ける状態になってもよい。例えば、携帯端末１００は、ユーザの身体の動きを、具体的には、手又は頭などの身体の一部の動きをジェスチャ入力として取得する。ジェスチャ入力には、端末場所情報が予め対応付けられている。例えば、右手を上下に振る動作と「リビングルーム」とが対応付けられて、照明情報管理部１５０に管理されている。
【０３１１】
例えば、入力部１１０が現在場所入力ボタン３７０の押下を検出したときに、撮像部１４０が起動される。ユーザは、予め定められたジェスチャを行うことで、撮像部１４０は、ユーザのジェスチャ入力を受け付ける。表示制御部１３０は、撮像部１４０を介して取得したジェスチャ入力と、照明情報管理部１５０に管理された端末場所情報とに基づいて、端末場所情報を取得することができる。
【０３１２】
なお、携帯端末１００は、ジェスチャ入力として、自端末の動きを取得してもよい。例えば、携帯端末１００は、加速度センサなどを起動し、ユーザが携帯端末１００を動かす方向などを検出してもよい。例えば、携帯端末１００を動かす方向と、端末場所情報とを予め対応付けておくことで、表示制御部１３０は、端末場所情報を取得することができる。
【０３１３】
以上のように、携帯端末１００の現在場所をユーザが入力することができる例について示したが、シーン場所情報も同様にユーザが入力してもよい。
【０３１４】
シーン場所選択画面１０００は、シーン場所情報をユーザに入力させるための第２入力促進画面の一例である。シーン場所選択画面１０００は、例えば、画像が取得されたとき（図１０ＢのＳ１３８）に表示される。あるいは、シーン場所選択画面１０００は、例えば、作成ボタン３３０又は完了ボタン４２０が選択されたとき（図１０ＡのＳ１０８又はＳ１２０）に表示されてもよい。
【０３１５】
なお、図１０Ａと図１０Ｂに示す例では、シーン場所情報の設定処理が、３回行われる例について示しているが、シーン場所選択画面１０００を表示させてユーザに手動で入力させる場合は、１回のみであることが好ましい。
【０３１６】
図１９に示すように、シーン場所選択画面１０００は、コメント１０１０と、リストボックス１０２０と、確認ボタン１０３０と、キャンセルボタン１０４０と、新規追加ボタン１０５０とを含んでいる。
【０３１７】
コメント１０１０は、ユーザが行うべき操作を提示するためのテキストである。具体的には、コメント１０１０は、ユーザにシーン場所情報の選択を促すためのテキストである。例えば、図１９に示すように、「シーンの場所を選択してください」というコメント１０１０が表示される。なお、コメント１０１０の代わりに、音声でユーザに場所の選択を促してもよい。
【０３１８】
リストボックス１０２０は、ＧＵＩコンポーネントの一例であり、ユーザに端末場所情報を選択させるためのインタフェースである。リストボックス１０２０には、「寝室」、「リビングルーム」などの場所を特定するための１以上の選択肢が表示され、ユーザは、１以上の選択肢から１つを選択することができる。これらの選択肢は、例えば、ユーザによって予め登録されたものである。
【０３１９】
なお、リストボックス１０２０に表示される選択肢は、図１８に示すリストボックス９２０に表示される選択肢と同じである。例えば、リストボックス１０２０（及びリストボックス９２０）は、上下にスクロール可能であり、予め登録された全ての選択肢を選択可能に構成されている。
【０３２０】
確認ボタン１０３０は、ＧＵＩコンポーネントの一例であり、例えば、プッシュボタンである。確認ボタン１０３０は、リストボックス１０２０に表示された１以上の選択肢から１つを選択したことをユーザに確認させるためのボタンである。確認ボタン１０３０が選択された場合、リストボックス１０２０で選択された選択肢がシーン場所情報として設定される。
【０３２１】
キャンセルボタン１０４０は、ＧＵＩコンポーネントの一例であり、例えば、プッシュボタンである。キャンセルボタン１０４０は、シーン場所情報の選択を中止することをユーザに確認させるためのボタンである。キャンセルボタン１０４０が選択された場合、シーン場所情報の選択は中止され、例えば、シーンアイコン用の画像の再取得のために撮像部１４０が起動される。あるいは、新規シーンの作成処理が中止されて、シーン選択画面３００などが表示されてもよい。
【０３２２】
新規追加ボタン１０５０は、ＧＵＩコンポーネントの一例であり、例えば、プッシュボタンである。新規追加ボタン１０５０は、リストボックス１０２０に表示させる選択肢を追加するためのボタンである。
【０３２３】
新規追加ボタン１０５０が選択された場合、例えば、テキストボックスが表示され、所望の場所を示すテキストをユーザが入力することができる。なお、テキストボックスの代わりに、音声での入力を受け付けることができてもよい。
【０３２４】
なお、シーン場所選択画面１０００を表示させる代わりに、携帯端末１００は、音声入力又はジェスチャ入力を受け付ける状態になってもよい。具体的な処理は、端末場所情報の入力と同じである。
【０３２５】
以上のように、本変形例に係る携帯端末の制御方法によれば、端末場所情報をユーザが入力することができるので、ユーザが望むタイミングで、ユーザが望むような画面を表示させることができる。例えば、ユーザが携帯端末とともに「リビングルーム」に居る場合であっても、携帯端末は、「寝室」の入力を受け付けることで、「寝室」に応じたシーン選択画面を表示させることができる。これにより、ユーザは、「リビングルーム」に居ながら「寝室」のシーンを確認又は選択することができる。
【０３２６】
また、シーン場所情報をユーザが入力することができるので、ユーザが望む場所でユーザが望むシーンを設定することができる。例えば、ユーザが携帯端末とともに「リビングルーム」に居る場合であっても、「寝室」のシーンを作成することができる。
【０３２７】
（実施の形態１の変形例２）
実施の形態１では、端末場所情報は、携帯端末が存在する部屋又は区域を特定する情報である例について示したが、これに限らない。例えば、端末場所情報は、携帯端末が存在する場所の緯度、経度及び階数を特定する情報でもよい。このとき、１以上のシーン場所情報も同様に、１以上のシーンのそれぞれの場所の緯度、経度及び階数を特定する情報でもよい。具体的には、屋内ＧＰＳ（Ｇｌｏｂａｌ  Ｐｏｓｉｔｉｏｎｉｎｇ  Ｓｙｓｔｅｍ）技術の一例であるＩＭＥＳ（Ｉｎｄｏｏｒ  ＭＥｓｓａｇｉｎｇ  Ｓｙｓｔｅｍ）を用いて、携帯端末の場所及びシーンの場所を特定してもよい。
【０３２８】
以下では、ＩＭＥＳを用いた照明システムの例について、図２０及び図２１を用いて説明する。図２０は、実施の形態１の変形例２に係る携帯端末の場所情報を取得するための構成の一例を示すブロック図である。図２１は、実施の形態１の変形例２に係る表示優先度の設定方法の一例を示すフローチャートである。
【０３２９】
図２０に示す照明システム１５は、図１に示す照明システム１０の一例であり、携帯端末の場所を特定するのに、ＩＭＥＳを利用するシステムである。照明システム１５は、携帯端末１０５と、第１照明機器２００と、第２照明機器２０１と、ＩＭＥＳ送信機８４０とを備える。
【０３３０】
なお、図２０では、１つのみのＩＭＥＳ送信機８４０を示しているが、照明システム１５は、複数のＩＭＥＳ送信機８４０を備えている。そして、複数のＩＭＥＳ送信機８４０は、例えば、部屋又は区域ごとに配置されている。
【０３３１】
ＩＭＥＳ送信機８４０は、位置情報を含む無線信号情報を発信する。具体的には、ＩＭＥＳ送信機８４０は、緯度、経度及び階数を示す情報を含む無線信号情報を発信する。例えば、ＩＭＥＳ送信機８４０は、自端末が存在する場所を示す緯度、経度及び階数を示す情報を無線信号情報に含めて発信する。
【０３３２】
携帯端末１０５は、図１に示す携帯端末１００の一例であり、ＩＭＥＳを利用して自端末が存在する場所を特定する。携帯端末１０５は、ＩＭＥＳ受信部１７５と、端末場所特定部１８５とを備える。
【０３３３】
ＩＭＥＳ受信部１７５は、ＩＭＥＳ送信機８４０と通信可能である。ＩＭＥＳ受信部１７５は、ＩＭＥＳ送信機８４０から送信される無線信号情報を取得する。
【０３３４】
端末場所特定部１８５は、図１に示す端末場所特定部１８０の一例であり、ＩＭＥＳ送信機８４０が発信する無線信号情報に含まれる、緯度、経度及び階数を示す情報に基づいて、携帯端末１０５が存在する場所を特定する。
【０３３５】
本変形例では、ＩＭＥＳを利用することで、携帯端末１０５の場所及びシーンの場所を数値で特定することができるので、図２１に示すように、表示優先度についてもより詳細に設定することができる。
【０３３６】
図２１に示すように、まず、端末場所特定部１８５は、携帯端末１０５が存在する場所を示す端末場所情報を取得する（Ｓ２１０）。つまり、端末場所特定部１８５は、携帯端末１０５の現在場所を示す緯度、経度及び階数を特定するための情報を、端末場所情報としてＩＭＥＳ送信機８４０から取得する。
【０３３７】
次に、表示制御部１３０は、シーン情報に含まれる１つのシーンのシーン場所情報と、取得された端末場所情報との距離を算出する（Ｓ２１１）。具体的には、表示制御部１３０は、シーン場所情報が特定する緯度、経度及び階数によって決定される位置と、端末場所情報が特定する緯度、経度及び階数によって決定される位置との距離を算出する。なお、照明情報管理部１５０は、例えば、算出された距離をシーンに対応付けて一時的に管理する。
【０３３８】
次に、表示制御部１３０は、シーン情報に含まれる全てのシーンに対して、距離の算出が完了したか否かを判定する（Ｓ２１２）。距離の算出が完了していない場合（Ｓ２１２でＮｏ）、表示制御部１３０は、算出対象を、距離が算出されていない別のシーンに変更し（Ｓ２１３）、距離の算出（Ｓ２１１）を行う。
【０３３９】
シーン情報に含まれる全てのシーンに対して、距離の算出が完了した場合（Ｓ２１２でＹｅｓ）、表示制御部１３０は、算出した距離が短いシーンほど、表示優先度を高く設定する（Ｓ２１４）。これにより、表示制御部１３０は、端末場所情報が特定する緯度、経度及び階数から決定される位置までの距離が短い順に、１以上のシーン場所情報に対応する１以上のシーンアイコンを並び替えて、表示部１２０に表示させることができる。
【０３４０】
以上のように、本変形例に係る携帯端末の制御方法によれば、携帯端末１０５が存在する場所を数値で特定することができるので、シーンアイコンの並び替えを精度良く行うことができる。したがって、ユーザにシーンをより容易に選択させることができる。また、ＩＭＥＳを利用して自動的かつ正確に端末場所情報を取得することができるので、ユーザの負担を軽減し、利便性を高めることができる。
【０３４１】
（実施の形態２）
続いて、実施の形態２に係る携帯端末１００の制御方法について説明する。具体的には、シーンの編集方法について説明する。つまり、実施の形態２では、既存のシーンを編集することで、新規シーンを設定する方法について説明する。例えば、実施の形態２では、図３Ａ又は図３Ｂに示すシーン選択画面３００又は３０１の編集ボタン３４０が選択された場合について説明する。
【０３４２】
なお、実施の形態２に係る照明システム１０、携帯端末１００及び１以上の照明機器（第１照明機器２００及び第２照明機器２０１）の構成については、図１と同様であるので、説明を省略する場合がある。
【０３４３】
まず、表示制御部１３０が生成するシーン編集画面について、図２２を用いて説明する。図２２は、実施の形態２に係るシーン編集画面１１００を示す図である。
【０３４４】
シーン編集画面１１００は、シーン設定画面の一例であり、既存のシーンを編集することで新規シーンを設定するための画面である。シーン編集画面１１００は、図３Ａ又は図３Ｂに示すシーン選択画面３００又は３０１において、１つのシーンアイコン３１０が選択された状態で、編集ボタン３４０が選択された場合に表示される。
【０３４５】
図２２に示すように、シーン編集画面１１００は、設定画面１１１０と、完了ボタン４２０と、削除ボタン１１３０と、シーン名１１４０とを含んでいる。
【０３４６】
設定画面１１１０は、選択されたシーンアイコン３１０に対応するシーンを編集することで、１以上の照明機器による新たな照明状態を示す新規シーンを設定するための画面である。具体的には、設定画面１１１０は、既存のシーンを編集することで、新規シーンを設定するための画面である。図２２に示すように、設定画面１１１０は、調光スライダ１１１１ａと、調色スライダ１１１１ｂと、照明機器名４１２と、スクロールボタン４１３とを含んでいる。
【０３４７】
調光スライダ１１１１ａ及び調色スライダ１１１１ｂはそれぞれ、図５に示す調光スライダ４１１ａ及び調色スライダ４１１ｂと比較して、シーン編集画面１１００が表示された時点での初期位置が異なっている。その他の点については、調光スライダ１１１１ａ及び調色スライダ１１１１ｂはそれぞれ、調光スライダ４１１ａ及び調色スライダ４１１ｂと同じである。
【０３４８】
調光スライダ１１１１ａ及び調色スライダ１１１１ｂの初期位置は、選択されたシーンに対応する設定情報に基づいて決定される。つまり、ユーザによる操作前における設定画面１１１０に設定された照明状態は、選択されたシーンアイコンに対応するシーンが示す照明状態である。
【０３４９】
例えば、図２２に示すように「食事」のシーンが選択された場合に、調光スライダ１１１１ａ及び調色スライダ１１１１ｂの初期位置は、図２に示すシーン情報を用いて、「食事」のシーンに対応する照明機器の設定情報に基づいて決定される。具体的には、「リビングシーリングライト」の調光比の初期値は「３０」であり、色温度の初期値は「３５００Ｋ」であるため、調光スライダ１１１１ａ及び調色スライダ１１１１ｂはそれぞれ、「３０」及び「３５００Ｋ」に相当する位置を初期位置として表示される。
【０３５０】
削除ボタン１１３０は、選択されたシーンを削除するためのボタンである。削除ボタン１１３０は、ＧＵＩコンポーネントの一例であり、例えば、プッシュボタンである。ユーザによって削除ボタン１１３０が選択された場合、選択されたシーンに対応するシーン名、シーンアイコン、シーン場所情報及び設定情報がシーン情報から削除される。
【０３５１】
シーン名１１４０は、編集対象となっているシーンを示す情報である。例えば、シーン名１１４０は、図３Ａ又は図３Ｂに示すシーン選択画面３００又は３０１において選択されたシーンアイコン３１０に対応するシーン名３２０に対応する。シーン名１１４０が表示されることにより、ユーザは、現在編集中のシーンが何のシーンであるかを確認することができる。
【０３５２】
続いて、実施の形態２に係るシーンの編集方法について、図２３Ａ、図２３Ｂ及び図２４を用いて説明する。図２３Ａ及び図２３Ｂは、実施の形態２に係るシーンの編集方法の一例を示すフローチャートである。図２４は、実施の形態２に係るシーンの編集方法において表示される画面遷移の一例を示す図である。なお、図２３Ａ及び図２３Ｂにおいて、実施の形態１に係るシーンの作成方法と同じ処理には、同じ符号を付しており、説明を省略する場合がある。
【０３５３】
まず、表示制御部１３０は、シーン情報を取得する（Ｓ１００）。そして、表示制御部１３０は、取得したシーン情報に基づいて、表示優先度の設定処理を行う（Ｓ１０２）。具体的な処理については、図１１を用いて説明した通りである。
【０３５４】
次に、表示制御部１３０は、取得したシーン情報と、設定された表示優先度とに基づいてシーン選択画面を生成し、生成したシーン選択画面を表示部１２０に表示させる（Ｓ１０４）。例えば、表示制御部１３０は、表示優先度が高い順に１以上のシーンアイコンを並び替えることで、シーン選択画面を生成して表示部１２０に表示させる。これにより、例えば、表示部１２０には、図２４の（ａ）に示すように、シーンの場所が「リビングルーム」のシーンアイコンが優先的に表示されたシーン選択画面３００が表示される。シーン選択画面３００の詳細は、図３Ａを用いて説明した通りである。
【０３５５】
次に、表示制御部１３０は、シーンアイコン３１０が選択されるまで待機する（Ｓ３０５でＮｏ）。１以上のシーンアイコン３１０のいずれか１つが選択された場合（Ｓ３０５でＹｅｓ）、表示制御部１３０は、携帯端末１００の場所情報を取得し、取得した場所情報を、選択シーンの場所を示すシーン場所情報として設定する（Ｓ３０６）。なお、選択シーンとは、選択されたシーンアイコンに対応するシーンである。
【０３５６】
例えば、端末場所特定部１８０は、シーンアイコンが選択されたときに携帯端末１００が存在する場所を特定し、特定した場所を示す場所情報を表示制御部１３０に出力する。このように、表示制御部１３０は、端末場所特定部１８０を用いて、１以上のシーンアイコンのうちの１つのシーンアイコンが選択されたときに携帯端末１００が存在する場所を示す場所情報を取得する。そして、表示制御部１３０は、取得した場所情報を、選択シーンの場所を示すシーン場所情報として設定する。
【０３５７】
次に、照明制御部１６０は、選択されたシーンに対応する１以上の照明機器の設定情報に基づいて制御信号を生成し、生成した制御信号を１以上の照明機器に送信する（Ｓ３０７）。つまり、照明制御部１６０は、選択されたシーンアイコン３１０に対応するシーンが示す照明状態で空間を照明するための制御信号を生成する。そして、照明制御部１６０は、生成した制御信号を、通信部１７０及びネットワークを介して１以上の照明機器に送信する。これにより、選択されたシーンが示す照明状態で空間を照明することができる。
【０３５８】
次に、シーン編集ボタン（編集ボタン３４０）が選択された場合（Ｓ３０８でＹｅｓ）、表示制御部１３０は、携帯端末１００の場所情報を取得し、取得した場所情報を、編集後のシーンのシーン場所情報として設定する（Ｓ３０９）。例えば、端末場所特定部１８０は、シーン編集ボタンが選択されたときに携帯端末１００が存在する場所を特定し、特定した場所を示す場所情報を表示制御部１３０に出力する。このように、表示制御部１３０は、端末場所特定部１８０を用いて、シーン編集ボタンが選択されたときに携帯端末１００が存在する場所を示す場所情報を取得する。そして、表示制御部１３０は、取得した場所情報を編集後のシーンのシーン場所情報として設定する。
【０３５９】
なお、シーン編集ボタン（編集ボタン３４０）が選択されない場合（Ｓ３０８でＮｏ）、表示制御部１３０は、編集ボタン３４０が選択されるまで待機する。このとき、別のシーンアイコン３１０が選択された場合は、表示制御部１３０は、選択された別のシーンアイコンを囲むように所定の枠３６０を付与して表示させる。また、照明制御部１６０は、選択された別のシーンアイコン３１０に対応するシーンが示す照明状態で空間を照明するための制御信号を生成する。そして、照明制御部１６０は、生成した制御信号を、通信部１７０及びネットワークを介して１以上の照明機器に送信する。これにより、選択されたシーンが示す照明状態で空間を照明することができる。
【０３６０】
次に、表示制御部１３０は、操作対象照明情報を取得する（Ｓ１１０）。具体的には、表示制御部１３０は、入力部１１０が編集ボタン３４０の押下を検出した場合、照明情報管理部１５０に記憶されている操作対象照明情報を読み出して取得する。
【０３６１】
次に、表示制御部１３０は、選択されたシーンに対応する照明機器の設定情報と、シーン名と、シーンアイコンとを取得する（Ｓ３１１）。具体的には、表示制御部１３０は、選択されたシーンに対応する照明機器の設定情報と、シーン名と、シーンアイコンとを、照明情報管理部１５０から読み出して取得する。
【０３６２】
次に、表示制御部１３０は、取得した操作対象照明情報に基づいてシーン編集画面１１００を生成し、生成したシーン編集画面１１００を表示部１２０に表示させる（Ｓ３１２）。これにより、表示部１２０には、図２４の（ｂ）に示すようにシーン編集画面１１００が表示される。シーン編集画面１１００の詳細は、図２２を用いて説明した通りである。
【０３６３】
このとき、表示制御部１３０は、シーン編集画面１１００に含まれる各スライダの初期位置を、選択されたシーンに対応する照明機器の設定情報に基づいて決定する。つまり、図２４の（ｂ）に示すように、シーン編集画面１１００が表示された時点では、「食事」のシーンに対応する照明機器の設定情報に基づいて決定された位置を初期位置としたスライダが表示される。
【０３６４】
次に、表示制御部１３０及び照明制御部１６０は、シーン編集画面１１００においてユーザによって入力された照明機器の設定情報を取得する（Ｓ３１４）。図２４の（ｂ）に示すようにシーン編集画面１１００が表示されることで、ユーザは、１以上の照明機器のそれぞれの調光機能又は調色機能の設定値を設定することができる。表示制御部１３０及び照明制御部１６０は、例えば、ユーザによって操作された調光スライダ１１１１ａ又は調色スライダ１１１１ｂが示す設定値を、入力部１１０を介して取得する。
【０３６５】
そして、表示制御部１３０は、入力部１１０を介して取得した設定値に応じてシーン編集画面１１００を生成し、生成したシーン編集画面１１００を表示部１２０に表示させる。つまり、表示制御部１３０は、ユーザによる操作に同期させて、逐次、シーン編集画面１１００を生成して表示部１２０に表示させる。具体的には、ユーザがスライダを操作させた場合は、ユーザ操作に応じてシーン編集画面１１００のスライダの表示が変更される。このようにして、表示部１２０には、図２４の（ｃ）に示すように変更後のシーン編集画面１１００が表示される。
【０３６６】
また、照明制御部１６０は、ユーザによる設定画面の操作によって設定された照明状態を示す設定情報に基づいて、１以上の照明機器を制御するための制御信号を生成する（Ｓ１１６）。そして、照明制御部１６０は、生成した制御信号を、通信部１７０及びネットワークを介して１以上の照明機器に送信する。これにより、ユーザによる操作に同期させて、逐次、１以上の照明機器による照明状態が変化する。
【０３６７】
シーン編集完了ボタン（完了ボタン４２０）が選択されるまで（Ｓ３１８でＮｏ）、ユーザ操作による設定情報の取得（Ｓ３１４）と照明機器の制御（Ｓ１１６）とを繰り返す。
【０３６８】
このように、設定画面１１１０におけるユーザの操作に同期して、１以上の照明機器の照明状態を変更する。したがって、ユーザは、照明状態の雰囲気を実際に確認しながら携帯端末１００を操作することで、所望のシーンを設定することができる。
【０３６９】
シーン編集完了ボタン（完了ボタン４２０）が選択された場合（Ｓ３１８でＹｅｓ）、表示制御部１３０は、携帯端末１００の場所情報を取得し、取得した場所情報を、編集後のシーンのシーン場所情報として設定する（Ｓ１２０）。具体的な処理については、編集ボタン３４０が選択された時に行われるシーン場所情報の設定処理（Ｓ３０９）と同じである。つまり、表示制御部１３０は、端末場所特定部１８０を用いて、シーン編集完了ボタンが選択されたときに携帯端末１００が存在する場所を示す場所情報を取得する。そして、表示制御部１３０は、取得した場所情報を編集後のシーンのシーン場所情報として設定する。
【０３７０】
なお、今回取得した場所情報が、編集ボタン３４０が選択された時に設定されたシーン場所情報と異なっている場合は、表示制御部１３０は、編集後のシーンのシーン場所情報を今回取得した場所情報に再設定する。今回取得した場所情報が、編集ボタン３４０が選択された時に設定されたシーン場所情報と同じである場合は、表示制御部１３０は、編集後のシーンのシーン場所情報の設定を行わなくてもよい。
【０３７１】
次に、表示制御部１３０は、シーン名入力画面５００を生成し、生成したシーン名入力画面５００を表示部１２０に表示させる（Ｓ３２２）。具体的には、入力部１１０が完了ボタン４２０の押下を検出した場合に、表示制御部１３０は、シーン名入力画面５００を生成する。これにより、表示部１２０には、図２４の（ｄ）に示すようにシーン名入力画面５００が表示される。シーン名入力画面５００の詳細は、図６を用いて説明した通りである。
【０３７２】
このとき、シーン名入力画面５００が表示された時点では、テキストボックス５２０には、選択されたシーンアイコン３１０に対応するシーン名が表示されている。具体的には、図２４の（ｄ）に示すように、テキストボックス５２０には「食事」が表示されている。ユーザは、表示されているシーン名をそのまま利用することができる。あるいは、表示されているシーン名を削除した上で、所望のシーン名をテキストボックス５２０に入力することができる。
【０３７３】
入力部１１０は、テキストボックス５２０に入力されたテキストを取得する。そして、表示制御部１３０は、入力部１１０によって取得されたテキストをテキストボックス５２０に表示する（Ｓ１２４）。これにより、表示部１２０には、図２４の（ｅ）に示すように、ユーザが入力したテキストが表示されたテキストボックス５２０を含むシーン名入力画面５００が表示される。なお、図２４では、シーン名を「食事」から「夕食」に変更する場合について示している。
【０３７４】
以降、シーン名入力画面５００の確認ボタン５３０の検出処理（Ｓ１２６）から撮影画像をシーンアイコンとして設定する処理（Ｓ１４０）までは、図１０Ｂに示すシーン作成方法と同じである。
【０３７５】
具体的には、確認ボタン５３０が選択された場合には、図２４の（ｆ）に示すように、撮影確認画面６００が表示される。さらに、撮影確認画面６００の同意ボタン６２０が選択された場合には、撮像部１４０が起動されて、図２４の（ｇ）に示すように、表示部１２０には、撮像部１４０のイメージセンサで取得された画像（ライブビュー画像）が表示される。ユーザがシャッターボタンを押下することで、撮像部１４０は、撮影画像を取得する。
【０３７６】
一方で、撮影確認画面６００において選択されたボタンが不同意ボタン６３０である場合（Ｓ１３２でＮｏ）、表示制御部１３０は、選択されたシーン、すなわち、編集中のシーンに対応するシーンアイコンをそのまま編集後のシーンのシーンアイコンとして設定する（Ｓ３４２）。なお、このとき、表示制御部１３０は、デフォルト画像をシーンアイコンとして設定してもよい。
【０３７７】
そして、照明情報管理部１５０は、１以上の照明機器の設定情報と、入力されたシーン名と、設定されたシーン場所情報と、シーンアイコンとを対応付けて、編集後のシーンとしてメモリに記憶する（Ｓ３４４）。つまり、撮像部１４０によって撮影画像が取得された場合には、取得された撮影画像がシーンアイコンとして管理され、撮像部１４０によって撮影画像が取得されなかった場合には、編集前のシーンアイコン又はデフォルト画像がシーンアイコンとして管理される。
【０３７８】
次に、表示制御部１３０は、シーン情報を取得する（Ｓ１４６）。具体的には、表示制御部１３０は、照明情報管理部１５０に記憶されているシーン情報であって、編集後のシーンを含むシーン情報を読み出して取得する。
【０３７９】
次に、表示制御部１３０は、取得したシーン情報に基づいて、表示優先度の設定処理を行う（Ｓ１４８）。表示優先度の設定処理は、図１１に示した通りである。
【０３８０】
そして、表示制御部１３０は、編集後のシーン、すなわち、新規シーンが選択された状態で、新規シーン選択画面７０２を生成し、生成した新規シーン選択画面７０２を表示部１２０に表示させる（Ｓ３５０）。このように、表示制御部１３０は、１以上のシーンアイコン３１０のうち選択されたシーンアイコン（編集対象のシーンアイコン）の代わりに、新規シーンのシーンアイコンを含む新規シーン選択画面７０２を表示部１２０に表示させる。これにより、表示部１２０には、図２４の（ｈ）に示すような新規シーン選択画面７０２が表示される。
【０３８１】
なお、新規シーン選択画面が表示された後は、シーンアイコンの押下を検出する処理（Ｓ３０５）以降の処理が繰り返される。
【０３８２】
以上のように、本実施の形態に係る携帯端末１００の制御方法によれば、端末場所情報と１以上のシーン場所情報とに基づいて１以上のシーンアイコンを並び替えて表示させるので、携帯端末１００が存在する場所に応じたシーン選択画面を生成することができる。したがって、ユーザにシーンを容易に選択させることができる。
【０３８３】
なお、本実施の形態では、既存のシーンを編集することで新規シーンを設定する例について説明した。このとき、既存のシーンは新規シーンによって上書きされてしまうが、新規シーンを既存のシーンとは別に保存してもよい。すなわち、既存のシーンと新規シーンとの両方をシーン情報に含めてもよい。言い換えると、表示制御部１３０は、１以上のシーンアイコン３１０とともに、新規シーンのシーンアイコンを追加で含む新規シーン選択画面を、表示部１２０に表示させてもよい。
【０３８４】
（実施の形態１及び２の変形例）
上記の実施の形態１及び２では、携帯端末１００の制御方法について、詳細な構成について説明したが、例えば、シーンの作成又は編集ができなくてもよい。言い換えると、予め定められた１以上のシーンアイコンが、端末場所情報に基づいて並び替えて表示されればよい。具体的には、携帯端末１００は、図２５に示すフローチャートに従って制御されてもよい。なお、図２５は、実施の形態１及び２の変形例に係るシーンの設定方法の一例を示すフローチャートである。
【０３８５】
まず、表示制御部１３０は、端末場所特定部１８０を用いて、携帯端末１００が存在する場所を示す端末場所情報を取得する（Ｓ４００）。具体的には、端末場所特定部１８０は、携帯端末１００が存在する部屋又は区域を特定する情報を、端末場所情報として取得し、表示制御部１３０へ出力する。
【０３８６】
次に、表示制御部１３０は、１以上の照明機器による１以上の照明状態を示す１以上のシーンと、１以上のシーンのそれぞれの場所を示す１以上のシーン場所情報とを対応付けて記憶する照明情報管理部１５０を用いて、端末場所情報と１以上のシーン場所情報とに基づいて、１以上のシーンのそれぞれに対応する１以上のシーンアイコン３１０を並び替えて、表示部１２０へ表示させる（Ｓ４０１）。具体的には、表示制御部１３０は、図１１又は図２１に基づいて表示優先度を各シーンに設定し、設定した表示優先度が高いシーンに対応するシーンアイコンを優先的に表示させる。なお、このとき、作成ボタン３３０及び編集ボタン３４０は表示されなくてもよい。
【０３８７】
次に、１以上のシーンアイコンのうちの１つのシーンアイコンが選択された場合に（Ｓ４０２でＹｅｓ）、照明制御部１６０は、選択されたアイコンに対応するシーンが示す照明状態で空間を照明するように１以上の照明機器を制御するための制御信号を、１以上の照明機器へ送信させる（Ｓ４０３）。
【０３８８】
なお、シーンアイコンが選択されない場合（Ｓ４０２でＮｏ）、表示制御部１３０は、シーンアイコンが選択されるまで待機する。
【０３８９】
以上のように、本変形例に係る携帯端末１００の制御方法によれば、端末場所情報に基づいて１以上のシーンアイコンを並び替えて表示させる。これにより、携帯端末１００が存在する場所に応じたシーンアイコンを優先的に表示させることができるので、ユーザにシーンを容易に選択させることができる。
【０３９０】
また、上記の各実施の形態では、携帯端末１００が、表示制御部１３０、照明情報管理部１５０及び照明制御部１６０を備える例について説明したが、これに限らない。例えば、携帯端末１００とネットワークを介して接続されたサーバが表示制御部１３０、照明情報管理部１５０及び照明制御部１６０を備えてもよい。つまり、携帯端末は、サーバからネットワークを介して送信される指示に基づいて、画面の表示及び撮像を行う端末でもよい。
【０３９１】
図２６は、実施の形態の変形例に係る照明システム１６を示すブロック図である。図２６に示すように、照明システム１６は、第１携帯端末１２００と、第２携帯端末１２０１と、第１照明機器２００と、第２照明機器２０１と、サーバ装置１３００とを備える。
【０３９２】
第１携帯端末１２００は、空間を照明する１以上の照明機器を制御する端末の一例である。具体的には、第１携帯端末１２００は、１以上の照明機器（図２６に示す例では、第１照明機器２００及び第２照明機器２０１）を、サーバ装置１３００を介して制御する。
【０３９３】
図２６に示すように、第１携帯端末１２００は、入力部１１０と、表示部１２０と、撮像部１４０と、通信部１７０と、端末場所特定部１８０とを備える。
【０３９４】
各処理部は、サーバ装置１３００からの指示に基づいて処理をする。例えば、表示部１２０は、サーバ装置１３００の表示制御部１３０によって生成され、通信部１７０を介して取得した画面を表示する。また、撮像部１４０は、撮像により取得した画像を、通信部１７０を介してサーバ装置１３００へ送信する。また、入力部１１０は、ユーザによる操作入力を、通信部１７０を介してサーバ装置１３００へ送信する。また、端末場所特定部１８０は、取得した端末場所情報を、通信部１７０を介してサーバ装置１３００へ送信する。
【０３９５】
第２携帯端末１２０１は、第１携帯端末１２００と同様に、空間を照明する１以上の照明機器を制御する端末の一例である。つまり、第１照明機器２００及び第２照明機器２０１は、第１携帯端末１２００及び第２携帯端末１２０１のそれぞれからの制御が可能である。言い換えると、１以上の照明機器は、１以上の携帯端末のそれぞれによって制御されうる。なお、図示しないが、第２携帯端末１２０１は、第１携帯端末１２００と同様に、入力部１１０と、表示部１２０と、撮像部１４０と、通信部１７０と、端末場所特定部１８０とを備える。
【０３９６】
サーバ装置１３００は、空間を照明する１以上の照明機器を制御する携帯端末を制御するサーバである。具体的には、サーバ装置１３００は、第１携帯端末１２００及び第２携帯端末１２０１を制御する。
【０３９７】
図２６に示すように、サーバ装置１３００は、通信部１３１０と、表示制御部１３０と、照明情報管理部１５０と、照明制御部１６０とを備える。
【０３９８】
通信部１３１０は、照明制御部１６０によって生成された制御信号を、ネットワークを介して接続された１以上の照明機器に送信する。また、通信部１３１０は、表示部１２０へ表示させるための表示制御部１３０によって生成された画面を示す情報を第１携帯端末１２００又は第２携帯端末１２０１に送信する。また、通信部１３１０は、入力部１１０及び表示部１２０を介して取得されたユーザからの操作入力を第１携帯端末１２００又は第２携帯端末１２０１から受信する。また、通信部１３１０は、撮像部１４０によって取得された画像を第１携帯端末１２００又は第２携帯端末１２０１から受信する。また、通信部１３１０は、端末場所特定部１８０によって取得された端末場所情報を第１携帯端末１２００又は第２携帯端末１２０１から受信する。
【０３９９】
例えば、通信部１３１０は、無線ＬＡＮ（Ｌｏｃａｌ  Ａｒｅａ  Ｎｅｔｗｏｒｋ）モジュール、Ｂｌｕｅｔｏｏｔｈ（登録商標）モジュール、ＮＦＣ（Ｎｅａｒ  Ｆｉｅｌｄ
Ｃｏｍｍｕｎｉｃａｔｉｏｎ）モジュールなどの通信インタフェースである。なお、通信部１３１０は、有線ＬＡＮ端子などでもよい。
【０４００】
例えば、第１携帯端末１２００が第１シーンを作成し、第２携帯端末１２０１が第２シーンを作成した場合を想定する。具体的には、第１携帯端末１２００及び第２携帯端末１２０１はそれぞれ、サーバ装置１３００と通信することで、第１シーン及び第２シーンを作成する。このとき、サーバ装置１３００の照明情報管理部１５０は、第１シーン及び第２シーンを含むシーン情報を管理する。
【０４０１】
表示制御部１３０は、照明情報管理部１５０によって管理されたシーン情報に基づいてシーン選択画面を生成するので、シーン選択画面には第１シーンのシーンアイコンと第２シーンのシーンアイコンとが表示される。これにより、第１携帯端末１２００及び第２携帯端末１２０１のいずれでも、第１シーン及び第２シーンを選択することができる。
【０４０２】
このとき、第１携帯端末１２００及び第２携帯端末１２０１が互いに異なる場所に存在する場合、第１携帯端末１２００及び第２携帯端末１２０１には、それぞれ異なるシーン選択画面が表示される。例えば、第１携帯端末１２００から受信した端末場所情報が「リビングルーム」を特定する情報である場合、サーバ装置１３００は、第１携帯端末１２００の表示部１２０に、図３Ａに示すシーン選択画面３００を表示させる。また、第２携帯端末１２０１から受信した端末場所情報が「寝室」を特定する情報である場合、サーバ装置１３００は、第２携帯端末１２０１の表示部１２０に、図３Ｂに示すシーン選択画面３０１を表示させる。
【０４０３】
以上のように、サーバ装置１３００が１以上の携帯端末及び１以上の照明機器を制御することにより、ユーザにとっての利便性を高めることができる。例えば、ユーザは、１以上の携帯端末のいずれを用いてシーンを作成したとしても、いずれの携帯端末からもシーンの選択が可能となる。
【０４０４】
なお、このとき、第１携帯端末１２００及び第２携帯端末１２０１が、表示制御部１３０及び照明制御部１６０を備え、サーバ装置１３００が、照明情報管理部１５０を備えてもよい。つまり、サーバ装置１３００は、シーン情報及び操作対象照明情報をまとめて管理し、第１携帯端末１２００及び第２携帯端末１２０１は、制御信号を生成して１以上の照明機器に送信してもよい。
【０４０５】
また、実施の形態２は実施の形態１と組み合わせて実施されてもよい。
【０４０６】
（実施の形態３）
続いて、実施の形態３に係る携帯端末の制御方法について説明する。実施の形態３に係る携帯端末の制御方法では、実施の形態１及び２とは異なり、現在時刻に基づいて、１以上のシーンに対応する１以上のシーンアイコンを並び替えて、表示部１２０へ表示させる。
【０４０７】
まず、実施の形態３に係る照明システムの機能構成について、図２７を用いて説明する。図２７は、実施の形態３に係る照明システム２０を示すブロック図である。なお、以下では、実施の形態１と同じ構成については説明を省略し、異なる点を中心に説明する場合がある。
【０４０８】
図２７に示すように、照明システム２０は、携帯端末１４００と、第１照明機器２００と、第２照明機器２０１とを備える。携帯端末１４００は、第１照明機器２００及び第２照明機器２０１とネットワークを介して接続されている。
【０４０９】
次に、携帯端末１４００の構成について説明する。
【０４１０】
携帯端末１４００は、図１に示す携帯端末１００と同様に、１以上の空間を照明する１以上の照明機器を制御する端末の一例である。図２７に示すように、携帯端末１４００は、図１に示す携帯端末１００と比較して、表示制御部１３０、照明情報管理部１５０及び端末場所特定部１８０の代わりに、表示制御部１４３０、照明情報管理部１４５０及び計時部１４８０を備える点が異なっている。
【０４１１】
表示制御部１４３０は、図１に示す表示制御部１３０と同様に、表示部１２０に表示するための画面を生成する。具体的には、表示制御部１４３０は、照明情報管理部１４５０によって管理されるシーン情報と、計時部１４８０によって取得される時間情報とに基づいて、シーン選択画面を生成する。例えば、表示制御部１４３０は、ＣＰＵ、ＲＯＭ及びＲＡＭなどで構成される。
【０４１２】
照明情報管理部１４５０は、シーン情報及び操作対象照明情報を管理する。シーン情報は、１以上のシーンと、対応するシーンの時刻を示す１以上のシーン時間情報とを含む情報である。操作対象照明情報は、携帯端末１４００によって制御可能な１以上の照明機器を示す情報である。シーン情報については、図２８を用いて後で説明する。操作対象照明情報は、図４と同様である。
【０４１３】
例えば、照明情報管理部１４５０は、ＲＡＭ又は不揮発性メモリなどのメモリである。なお、照明情報管理部１４５０は、携帯端末１４００に着脱可能なメモリでもよい。
【０４１４】
計時部１４８０は、タイマであり、時間情報を取得する。例えば、計時部１４８０は、現在時刻を示す現在時間情報を表示制御部１４３０へ出力する。
【０４１５】
また、計時部１４８０は、新規シーンの設定を行う際に、所定のタイミングで時刻を示す時間情報を表示制御部１４３０及び照明情報管理部１４５０に出力する。出力された時間情報は、新規シーンの時刻を示す新規シーン時間情報として、設定された新規シーンに対応づけて照明情報管理部１４５０によって管理される。
【０４１６】
続いて、表示制御部１４３０が生成する画面であって、表示部１２０に表示される画面について、図２８〜図３０を用いて説明する。
【０４１７】
まず、照明情報管理部１４５０に管理されているシーン情報と、シーン情報に基づいて生成されるシーン選択画面とについて、図２８、図２９Ａ及び図２９Ｂを用いて説明する。図２８は、実施の形態３に係るシーン情報の一例を示す図である。図２９Ａ及び図２９Ｂは、実施の形態３に係るシーン選択画面１５００及び１５０１を示す図である。
【０４１８】
シーン情報は、図２に示す実施の形態１に係るシーン情報と同様に、１以上のシーンを示す情報である。図２８に示すシーン情報は、図２に示すシーン情報と比較して、シーン場所情報（シーンの場所）の代わりに、シーン時間情報（シーンの時刻）を含む点が異なっている。
【０４１９】
シーン時間情報は、対応するシーンの時刻を示す情報である。具体的には、シーン時間情報は、対応するシーンが設定された時刻、又は、対応するシーンが選択された時刻を示す情報である。例えば、シーン時間情報は、図２８に示すように、「２０：００」、「１９：００」などの時刻を示している。
【０４２０】
以上のようなシーン情報に基づいて、シーン選択画面は生成される。具体的には、表示制御部１４３０は、現在時刻に基づいて、１以上のシーンのそれぞれに対応する１以上のシーンアイコンを並び替えて、表示部１２０へ表示させる。具体的には、表示制御部１４３０は、現在時刻に近い順に、１以上のシーン時間情報に対応する１以上のシーンアイコンを並び替えて、表示部１２０へ表示させる。
【０４２１】
例えば、表示制御部１３０は、図２８に示すシーン情報と、計時部１４８０によって取得される現在時刻とに基づいて、図２９Ａ又は図２９Ｂに示すシーン選択画面１５００又は１５０１を生成して表示部１２０へ表示させる。
【０４２２】
なお、シーン選択画面１５００又は１５０１は、図３Ａ又は図３Ｂに示すシーン選択画面３００又は３０１と比較して、シーンアイコン３１０の並びが異なっているだけで、他のボタンなどは同じである。
【０４２３】
以下では、図２９Ａに示すシーン選択画面１５００と、図２９Ｂに示すシーン選択画面１５０１とを比較することで、現在時刻に基づいてシーンアイコンを並び替える処理について説明する。
【０４２４】
表示制御部１４３０は、表示優先度が高いシーンに対応するシーンアイコンを優先的に並び替えて表示させる。なお、複数のシーンのそれぞれに表示優先度を設定する処理の具体例については、図３２を用いて後で説明する。
【０４２５】
図２９Ａに示すシーン選択画面１５００は、例えば、現在時刻が「２０：００」である場合に表示されるシーン選択画面である。図２８に示すシーン情報のうち、「２０：００」に近いシーン（例えば、「パーティー」、「食事」など）に対応するシーンアイコン３１０が優先的に表示される。
【０４２６】
一方で、図２９Ｂに示すシーン選択画面１５０１は、例えば、現在時刻が「０８：００」である場合に表示されるシーン選択画面である。図２８に示すシーン情報のうち、「０８：００」に近いシーン（例えば、「省エネ」など）に対応するシーンアイコン３１０が優先的に表示される。
【０４２７】
このように、シーン選択画面を表示する時刻（現在時刻）に応じて並び替えられたシーンアイコンが表示部１２０に表示される。
【０４２８】
次に、表示制御部１４３０が生成する新規シーン選択画面について、図３０を用いて説明する。図３０は、実施の形態３に係る新規シーン選択画面１６００を示す図である。
【０４２９】
新規シーン選択画面１６００は、新規シーンの設定終了後に表示されるシーン選択画面である。具体的には、新規シーン選択画面１６００は、既存のシーン選択画面に新規シーンのシーンアイコンが追加された画面である。
【０４３０】
なお、新規シーン選択画面１６００は、図８に示す新規シーン選択画面７００と比較して、シーンアイコン３１０及び７１０の並びが異なっているだけで、他のボタンなどは同じである。
【０４３１】
新規シーンのシーン時間情報は、通常、現在時刻に最も近いことが多いため、新規シーン選択画面では、新規シーンのシーンアイコンが最優先で表示される。図３０に示す例では、新規シーンである「エクササイズ」は、画面の左上に表示される。
【０４３２】
続いて、本実施の形態に係るシーンの作成方法について、図３１Ａ〜図３３を用いて説明する。図３１Ａ及び図３１Ｂは、実施の形態３に係るシーンの作成方法の一例を示すフローチャートである。図３２は、実施の形態３に係る表示優先度の設定方法の一例を示すフローチャートである。図３３は、実施の形態３に係るシーンの作成方法において表示される画面遷移の一例を示す図である。
【０４３３】
例えば、本実施の形態に係る携帯端末１４００の制御方法は、１以上の照明機器を制御するためのアプリケーションソフトウェアなどによって実現される。例えば、当該アプリケーションソフトウェアが起動されることによって、実施の形態３に係るシーン作成方法が開始される。
【０４３４】
まず、表示制御部１４３０は、シーン情報を取得する（Ｓ１００）。具体的には、表示制御部１４３０は、照明情報管理部１４５０に記憶されているシーン情報を読み出して取得する。シーン情報は、例えば、図２８に示すような、既に作成済みの１以上のシーンを示す情報である。
【０４３５】
次に、表示制御部１４３０は、取得したシーン情報に基づいて、表示優先度の設定処理を行う（Ｓ５０２）。具体的な処理については、図３２を用いて説明する。
【０４３６】
図３２に示すように、まず、計時部１４８０は、現在時刻を示す現在時間情報を取得する（Ｓ６００）。
【０４３７】
次に、表示制御部１４３０は、シーン情報に含まれる１つのシーンのシーン時間情報と、取得された現在時間情報との差の絶対値を算出する（Ｓ６０１）。具体的には、表示制御部１４３０は、シーン時間情報が示す時刻と、現在時間情報が示す現在時刻との差の絶対値を算出する。なお、照明情報管理部１４５０は、例えば、算出された時刻の差の絶対値をシーンに対応付けて一時的に管理する。
【０４３８】
次に、表示制御部１４３０は、シーン情報に含まれる全てのシーンに対して、時刻の差の絶対値の算出が完了したか否かを判定する（Ｓ６０２）。絶対値の算出が完了していない場合（Ｓ６０２でＮｏ）、表示制御部１４３０は、算出対象を、絶対値が算出されていない別のシーンに変更し（Ｓ６０３）、絶対値の算出を行う（Ｓ６０１）。
【０４３９】
シーン情報に含まれる全てのシーンに対して、時刻の差の絶対値の算出が完了した場合（Ｓ６０２でＹｅｓ）、表示制御部１４３０は、算出した絶対値が小さいシーンほど、表示優先度を高く設定する（Ｓ６０４）。これにより、表示制御部１４３０は、現在時刻に近い順に、１以上のシーン時間情報に対応する１以上のシーンアイコンを並び替えて、表示部１２０に表示させることができる。
【０４４０】
次に、図３１Ａに示すように、表示制御部１４３０は、取得したシーン情報と、設定された表示優先度とに基づいてシーン選択画面を生成し、生成したシーン選択画面を表示部１２０に表示させる（Ｓ１０４）。例えば、表示制御部１４３０は、表示優先度が高い順に１以上のシーンアイコンを並び替えることで、シーン選択画面を生成して表示部１２０に表示させる。これにより、例えば、表示部１２０には、図３３の（ａ）に示すように、「２０：００」に近い時刻のシーンアイコンが優先的に表示されたシーン選択画面１５００が表示される。シーン選択画面１５００の詳細は、図２９Ａを用いて説明した通りである。
【０４４１】
次に、シーン作成ボタン（作成ボタン３３０）が選択された場合（Ｓ１０６でＹｅｓ）、表示制御部１３０は、時間情報を取得し、取得した時間情報を新規シーンの時刻を示す新規シーン時間情報として設定する（Ｓ５０８）。例えば、計時部１４８０は、シーン作成ボタンが選択された時刻を示す時間情報を表示制御部１３０に出力する。
【０４４２】
なお、シーン作成ボタン（作成ボタン３３０）が選択されない場合（Ｓ１０６でＮｏ）、表示制御部１３０は、作成ボタン３３０が選択されるまで待機する。
【０４４３】
以降、シーン作成完了ボタンが選択されるまで（Ｓ１１８でＹｅｓ）は、図１０Ａに示すシーン作成方法と同じである。具体的には、図３３の（ｂ）及び（ｃ）に示すように、表示部１２０には、ユーザ操作に応じてシーン作成画面４００が表示される。
【０４４４】
シーン作成完了ボタン（完了ボタン４２０）が選択された場合（Ｓ１１８でＹｅｓ）、表示制御部１４３０は、時間情報を取得し、取得した時間情報を、新規シーン時間情報として設定する（Ｓ５２０）。具体的な処理については、作成ボタン３３０が選択された時に行われる新規シーン時間情報の設定処理（Ｓ５０８）と同じである。つまり、表示制御部１４３０は、計時部１４８０を用いて、シーン作成完了ボタンが選択された時刻を示す時間情報を取得する。そして、表示制御部１４３０は、取得した時間情報を新規シーン時間情報として設定する。
【０４４５】
なお、今回取得した時間情報は、作成ボタン３３０が選択された時に設定された新規シーン時間情報と異なっている場合は、表示制御部１４３０は、新規シーン時間情報を今回取得した時間情報に再設定する。今回取得した時間情報が、作成ボタン３３０が選択された時に設定された新規シーン時間情報と同じである場合は、表示制御部１４３０は、新規シーン時間情報の設定を行わなくてもよい。あるいは、表示制御部１４３０は、作成ボタン３３０が選択された時刻と、完了ボタン４２０が選択された時刻との平均時刻を、新規シーン時間情報として設定してもよい。
【０４４６】
以降、シーン名入力画面５００の生成及び表示処理（Ｓ１２２）から撮影画像の取得処理（Ｓ１３６）までは、図１０Ａ及び図１０Ｂに示すシーン作成方法と同じである。具体的には、図３３の（ｄ）〜（ｆ）に示すように、シーン名入力画面５００及び撮影確認画面６００が表示される。撮像部１４０が起動された場合には、図３３の（ｇ）に示すように、ライブビュー画像が表示され、ユーザがシャッターボタンを押下することで、撮像部１４０は、撮影画像を取得する。
【０４４７】
撮影画像が取得された場合（Ｓ１３６でＹｅｓ）、表示制御部１４３０は、時間情報を取得し、取得した時間情報を、新規シーン時間情報として設定する（Ｓ５３８）。具体的な処理については、作成ボタン３３０又は完了ボタン４２０が選択された時に行われる新規シーン時間情報の設定処理（Ｓ５０８又はＳ５２０）と同じである。
【０４４８】
つまり、表示制御部１４３０は、計時部１４８０を用いて、撮像部１４０によって撮像が行われた時刻を示す時間情報を取得する。そして、表示制御部１３０は、取得した時間情報を新規シーン時間情報として設定する。
【０４４９】
なお、今回取得した時間情報が、完了ボタン４２０が選択された時に設定された新規シーン時間情報と異なっている場合は、表示制御部１４３０は、新規シーン時間情報を今回取得した時間情報に再設定する。今回取得した時間情報が、完了ボタン４２０が選択された時に設定された新規シーン時間情報と同じである場合は、表示制御部１４３０は、新規シーン時間情報の設定を行わなくてもよい。あるいは、表示制御部１４３０は、作成ボタン３３０が選択された時刻と、完了ボタン４２０が選択された時刻と、撮影時刻との平均時刻を、新規シーン時間情報として設定してもよい。
【０４５０】
さらに、表示制御部１４３０は、取得された撮影画像をシーンアイコンとして設定する（Ｓ１４０）。なお、撮影画像が取得されるまで（Ｓ１３６でＮｏ）、撮像部１４０は、撮像が可能な状態に保たれる。つまり、撮像部１４０は、起動された状態に保たれる。
【０４５１】
また、撮影確認画面６００で、選択されたボタンが不同意ボタン６３０である場合（Ｓ１３２でＮｏ）、表示制御部１４３０は、デフォルト画像をシーンアイコンとして設定する（Ｓ１４２）。
【０４５２】
そして、照明情報管理部１４５０は、１以上の照明機器の設定情報と、入力されたシーン名と、設定された新規シーン時間情報と、シーンアイコンとを対応付けて、新規シーンとして記憶する（Ｓ５４４）。つまり、撮像部１４０によって撮影画像が取得された場合には、取得された撮影画像がシーンアイコンとして管理され、撮像部１４０によって撮影画像が取得されなかった場合には、デフォルト画像がシーンアイコンとして管理される。
【０４５３】
次に、表示制御部１４３０は、シーン情報を取得する（Ｓ１４６）。具体的には、表示制御部１４３０は、照明情報管理部１４５０に記憶されているシーン情報であって、新規シーンを含むシーン情報を読み出して取得する。
【０４５４】
次に、表示制御部１４３０は、取得したシーン情報に基づいて、表示優先度の設定処理を行う（Ｓ５４８）。表示優先度の設定処理は、図３２に示した通りである。
【０４５５】
そして、表示制御部１４３０は、作成された新規シーンが選択された状態で、新規シーン選択画面１６００又は１６０１を生成し、生成した新規シーン選択画面１６００又は１６０１を表示部１２０に表示させる（Ｓ１５０）。これにより、撮影画像が取得された場合には、表示部１２０には、図３３の（ｈ）に示すように新規シーン選択画面１６００が表示される。また、撮影画像が取得されなかった場合には、表示部１２０には、図３３の（ｉ）に示すように新規シーン選択画面１６０１が表示される。
【０４５６】
なお、新規シーン選択画面１６００又は１６０１が表示された後は、作成ボタン３３０の押下を検出する処理（Ｓ１０６）以降の処理が繰り返される。
【０４５７】
なお、図３１Ａ及び図３１Ｂに示すフローチャートでは、新規シーン時間情報の設定処理が、３回（Ｓ５０８、Ｓ５２０、Ｓ５３８）行われる例について示しているが、これに限らない。新規シーン時間情報の設定処理は、少なくとも１回行われればよい。なお、新規シーン時間情報の設定処理を行うタイミングは、シーン作成ボタンが選択されてから新規シーンの記憶までの間（Ｓ１０６〜Ｓ５４４）であればよい。
【０４５８】
以上のように、本実施の形態に係る携帯端末１４００の制御方法によれば、現在時間情報と１以上のシーン時間情報とに基づいて１以上のシーンアイコンを並び替えて表示させるので、現在時刻に応じたシーン選択画面を生成することができる。したがって、ユーザにシーンを容易に選択させることができる。
【０４５９】
（実施の形態４）
続いて、実施の形態４に係る携帯端末１４００の制御方法について説明する。具体的には、シーンの編集方法について、図３４Ａ〜図３５を用いて説明する。つまり、実施の形態４では、既存のシーンを編集することで、新規シーンを設定する方法について説明する。例えば、実施の形態４では、図２９Ａ又は図２９Ｂに示すシーン選択画面１５００又は１５０１の編集ボタン３４０が選択された場合について説明する。なお、実施の形態４に係る照明システム２０、携帯端末１４００及び１以上の照明機器（第１照明機器２００及び第２照明機器２０１）の構成については、実施の形態３の図２７と同様であるので、説明を省略する場合がある。その他、実施の形態１〜３と同様の点は説明を省略し、以下では、異なる点を中心に説明する。
【０４６０】
図３４Ａ及び図３４Ｂは、実施の形態４に係るシーンの編集方法の一例を示すフローチャートである。図３５は、実施の形態４に係るシーンの編集方法において表示される画面遷移の一例を示す図である。
【０４６１】
シーン情報の取得（Ｓ１００）からシーン選択画面の生成（Ｓ１０４）までは、図３１Ａに示すシーン作成方法と同じである。具体的には、図３５の（ａ）に示すように、現在時刻に基づいて並び替えられたシーンアイコンを含むシーン選択画面１５００が表示部１２０に表示される。
【０４６２】
次に、表示制御部１４３０は、シーンアイコン３１０が選択されるまで待機する（Ｓ３０５でＮｏ）。１以上のシーンアイコン３１０のいずれか１つが選択された場合（Ｓ３０５でＹｅｓ）、表示制御部１４３０は、時間情報を取得し、取得した時間情報を選択シーンの時刻を示すシーン時間情報として設定する（Ｓ７０６）。なお、選択シーンとは、選択されたシーンアイコンに対応するシーンである。
【０４６３】
例えば、計時部１４８０は、シーンアイコンが選択された時刻を示す時間情報を表示制御部１３０に出力する。そして、表示制御部１４３０は、計時部１４８０から出力された時間情報を取得し、取得した時間情報を選択シーンの時間情報として設定する。
【０４６４】
なお、同一のシーンが複数回選択されることが考えられる。このとき、例えば、図３６に示すように、１つのシーンアイコンが選択される度に、取得された時間情報は、照明情報管理部１４５０によって記憶されてもよい。そして、表示制御部１４３０は、照明情報管理部１４５０に記憶された複数の時間情報が示す複数の時刻の平均時刻を、選択シーンのシーン時間情報として設定してもよい。
【０４６５】
ここで、図３６は、実施の形態４に係る選択履歴情報を示す図である。選択履歴情報は、シーンが選択された時刻をシーン毎に示している。
【０４６６】
図３６に示すように、照明情報管理部１４５０は、シーン毎に、対応するシーンが選択された時刻を示す１以上の時間情報を管理する。選択履歴情報には、新たにシーンが選択される度に、選択された時刻を示す時間情報が追加される。さらに、追加された時刻を含む複数の時間情報が示す時刻の平均時刻を算出し、選択されたシーンのシーン時間情報として設定される。
【０４６７】
以降、照明機器に制御信号を送信する処理（Ｓ３０７）から撮影画像をシーンアイコンとして設定する処理（Ｓ１４０）までは、図２３Ａ、図２３Ｂに示すシーン編集方法と同じである。具体的には、図３５の（ｂ）〜（ｇ）に示すように、シーン編集画面１１００、シーン名入力画面５００、撮影確認画面６００、及び、撮影用のライブビュー画像が表示部１２０に表示される。
【０４６８】
そして、照明情報管理部１４５０は、１以上の照明機器の設定情報と、入力されたシーン名と、設定されたシーン時間情報と、シーンアイコンとを対応付けて、編集後のシーンとしてメモリに記憶する（Ｓ７４４）。つまり、撮像部１４０によって撮影画像が取得された場合には、取得された撮影画像がシーンアイコンとして管理され、撮像部１４０によって撮影画像が取得されなかった場合には、編集前のシーンアイコン又はデフォルト画像がシーンアイコンとして管理される。
【０４６９】
次に、表示制御部１４３０は、シーン情報を取得する（Ｓ１４６）。具体的には、表示制御部１４３０は、照明情報管理部１４５０に記憶されているシーン情報であって、編集後のシーンを含むシーン情報を読み出して取得する。
【０４７０】
次に、表示制御部１４３０は、取得したシーン情報に基づいて、表示優先度の設定処理を行う（Ｓ５４８）。表示優先度の設定処理は、図３２に示した通りである。
【０４７１】
そして、表示制御部１４３０は、編集後のシーン、すなわち、新規シーンが選択された状態で、新規シーン選択画面を生成し、生成した新規シーン選択画面を表示部１２０に表示させる（Ｓ３５０）。このように、表示制御部１４３０は、１以上のシーンアイコン３１０のうち選択されたシーンアイコン（編集対象のシーンアイコン）の代わりに、新規シーンのシーンアイコンを含む新規シーン選択画面を表示部１２０に表示させる。これにより、表示部１２０には、図３５の（ｈ）に示すような新規シーン選択画面１６０２が表示される。
【０４７２】
なお、新規シーン選択画面が表示された後は、シーンアイコンの押下を検出する処理（Ｓ３０５）以降の処理が繰り返される。
【０４７３】
以上のように、本実施の形態に係る携帯端末１４００の制御方法によれば、現在時間情報と１以上のシーン時間情報とに基づいて１以上のシーンアイコンを並び替えて表示させるので、現在時刻に応じたシーン選択画面を生成することができる。したがって、ユーザにシーンを容易に選択させることができる。
【０４７４】
（実施の形態３及び４の変形例）
上記実施の形態３及び４では、現在時刻に近いシーン程、表示優先度を高く設定したが、例えば、現在時刻が属する時間帯と、シーン時間情報が属する時間帯とが一致する場合に、表示優先度を高く設定してもよい。以下では、時間帯に基づいて表示優先度を設定する方法について、図３７及び図３８を用いて説明する。
【０４７５】
図３７は、実施の形態３及び４の変形例に係るシーン情報の一例を示す図である。図３８は、実施の形態３及び４の変形例に係る表示優先度の設定方法の一例を示すフローチャートである。
【０４７６】
図３７に示すように、１以上のシーンのそれぞれは、シーン時間情報に基づいて予め定められた時間帯のいずれかに属している。例えば、「２４時間」を複数に分割することで、複数の時間帯が予め定められている。図３７に示す例では、「５：００−１１：００」、「１１：００−１８：００」及び「１８：００−５：００」の３つの時間帯が定められている。
【０４７７】
なお、複数の時間帯は、一部が重複していてもよい。つまり、１以上のシーンのそれぞれは複数の時間帯に属していてもよい。
【０４７８】
次に、時間帯を用いた表示優先度の設定方法について説明する。
【０４７９】
図３８に示すように、まず、計時部１４８０は、現在時刻を示す現在時間情報を取得する（Ｓ６１０）。次に、表示制御部１４３０は、シーン情報に含まれる１つのシーンのシーン時間情報が属する時間帯と、現在時間情報が属する時間帯とが一致するか否かを判定する（Ｓ６１１）。
【０４８０】
時間帯が一致した場合（Ｓ６１１でＹｅｓ）、表示制御部１４３０は、当該シーン時間情報に対応するシーンの表示優先度を高く設定する（Ｓ６１２）。具体的には、表示制御部１４３０は、時間帯が一致しない場合よりも相対的に高く表示優先度を設定する。
【０４８１】
一方で、時間帯が一致しない場合（Ｓ６１１でＮｏ）、表示制御部１４３０は、当該シーン情報に対応するシーンの表示優先度を低く設定する（Ｓ６１３）。なお、照明情報管理部１４５０は、例えば、設定された表示優先度をシーンアイコンに対応付けて一時的に管理する。
【０４８２】
次に、表示制御部１４３０は、シーン情報に含まれる全てのシーンに対して、表示優先度の設定が完了したか否かを判定する（Ｓ６１４）。表示優先度の設定が完了していない場合（Ｓ６１４でＮｏ）、表示制御部１４３０は、設定対象を、表示優先度が設定されていない別のシーンに変更し（Ｓ６１５）、時間帯の比較（Ｓ６１１）及び表示優先度の設定（Ｓ６１２又はＳ６１３）を行う。
【０４８３】
シーン情報に含まれる全てのシーンに対して、表示優先度の設定が完了した場合（Ｓ６１４でＹｅｓ）、表示優先度の設定処理は終了される。
【０４８４】
以上のように、時間帯に基づいてシーンアイコンを並び替えて表示させることができるので、ユーザにシーンを容易に選択させることができる。
【０４８５】
また、上記の実施の形態３及び４では、携帯端末１４００の制御方法について、詳細な構成について説明したが、例えば、シーンの作成又は編集ができなくてもよい。言い換えると、予め定められた１以上のシーンアイコンが、現在時刻に基づいて並び替えて表示されればよい。具体的には、携帯端末１４００は、図３９に示すフローチャートに従って制御されてもよい。なお、図３９は、実施の形態３及び４の変形例に係るシーンの設定方法の一例を示すフローチャートである。
【０４８６】
まず、表示制御部１４３０は、計時部１４８０を用いて、現在時刻を示す現在時間情報を取得する（Ｓ８００）。
【０４８７】
次に、表示制御部１４３０は、１以上の照明機器による１以上の照明状態を示す１以上のシーンと、１以上のシーンのそれぞれの時刻を示す１以上のシーン時間情報とを対応付けて記憶する照明情報管理部１４５０を用いて、現在時間情報と１以上のシーン時間情報とに基づいて、１以上のシーンのそれぞれに対応する１以上のシーンアイコン３１０を並び替えて、表示部１２０へ表示させる（Ｓ８０１）。具体的には、表示制御部１４３０は、図３２又は図３８に基づいて表示優先度を各シーンに設定し、設定した表示優先度が高いシーンに対応するシーンアイコンを優先的に表示させる。なお、このとき、作成ボタン３３０及び編集ボタン３４０は表示されなくてもよい。
【０４８８】
次に、１以上のシーンアイコンのうちの１つのシーンアイコンが選択された場合に（Ｓ４０２でＹｅｓ）、照明制御部１６０は、選択されたアイコンに対応するシーンが示す照明状態で空間を照明するように１以上の照明機器を制御するための制御信号を、１以上の照明機器へ送信させる（Ｓ４０３）。
【０４８９】
なお、シーンアイコンが選択されない場合（Ｓ４０２でＮｏ）、表示制御部１４３０は、シーンアイコンが選択されるまで待機する。
【０４９０】
以上のように、本変形例に係る携帯端末１４００の制御方法によれば、現在時間情報に基づいて１以上のシーンアイコンを並び替えて表示させる。これにより、現在時刻に応じたシーンアイコンを優先的に表示させることができるので、ユーザにシーンを容易に選択させることができる。
【０４９１】
また、上記の各実施の形態では、携帯端末１４００が、表示制御部１４３０、照明情報管理部１４５０及び照明制御部１６０を備える例について説明したが、これに限らない。例えば、携帯端末１４００とネットワークを介して接続されたサーバが表示制御部１４３０、照明情報管理部１４５０及び照明制御部１６０を備えてもよい。つまり、携帯端末は、サーバからネットワークを介して送信される指示に基づいて、画面の表示及び撮像を行う端末でもよい。
【０４９２】
図４０は、実施の形態の変形例に係る照明システム２１を示すブロック図である。図４０に示すように、照明システム２１は、第１携帯端末１７００と、第２携帯端末１７０１と、第１照明機器２００と、第２照明機器２０１と、サーバ装置１８００とを備える。
【０４９３】
第１携帯端末１７００は、空間を照明する１以上の照明機器を制御する端末の一例である。具体的には、第１携帯端末１７００は、１以上の照明機器（図４０に示す例では、第１照明機器２００及び第２照明機器２０１）を、サーバ装置１８００を介して制御する。
【０４９４】
図４０に示すように、第１携帯端末１７００は、入力部１１０と、表示部１２０と、撮像部１４０と、通信部１７０と、計時部１４８０とを備える。
【０４９５】
各処理部は、サーバ装置１８００からの指示に基づいて処理をする。例えば、表示部１２０は、サーバ装置１８００の表示制御部１４３０によって生成され、通信部１７０を介して取得した画面を表示する。また、撮像部１４０は、撮像により取得した画像を、通信部１７０を介してサーバ装置１８００へ送信する。また、入力部１１０は、ユーザによる操作入力を、通信部１７０を介してサーバ装置１８００へ送信する。また、計時部１４８０は、取得した現在時間情報を、通信部１７０を介してサーバ装置１８００へ送信する。
【０４９６】
第２携帯端末１７０１は、第１携帯端末１７００と同様に、空間を照明する１以上の照明機器を制御する端末の一例である。つまり、第１照明機器２００及び第２照明機器２０１は、第１携帯端末１７００及び第２携帯端末１７０１のそれぞれからの制御が可能である。言い換えると、１以上の照明機器は、１以上の携帯端末のそれぞれによって制御されうる。なお、図示しないが、第２携帯端末１７０１は、第１携帯端末１７００と同様に、入力部１１０と、表示部１２０と、撮像部１４０と、通信部１７０と、計時部１４８０とを備える。
【０４９７】
サーバ装置１８００は、空間を照明する１以上の照明機器を制御する携帯端末を制御するサーバである。具体的には、サーバ装置１８００は、第１携帯端末１７００及び第２携帯端末１７０１を制御する。
【０４９８】
図４０に示すように、サーバ装置１８００は、通信部１３１０と、表示制御部１４３０と、照明情報管理部１４５０と、照明制御部１６０とを備える。
【０４９９】
通信部１３１０は、照明制御部１６０によって生成された制御信号を、ネットワークを介して接続された１以上の照明機器に送信する。また、通信部１３１０は、表示部１２０へ表示させるための表示制御部１４３０によって生成された画面を示す情報を第１携帯端末１７００又は第２携帯端末１７０１に送信する。また、通信部１３１０は、入力部１１０及び表示部１２０を介して取得されたユーザからの操作入力を第１携帯端末１７００又は第２携帯端末１７０１から受信する。また、通信部１３１０は、撮像部１４０によって取得された画像を第１携帯端末１７００又は第２携帯端末１７０１から受信する。また、通信部１３１０は、計時部１４８０によって取得された現在時間情報を第１携帯端末１７００又は第２携帯端末１７０１から受信する。
【０５００】
以上のように、サーバ装置１８００が１以上の携帯端末及び１以上の照明機器を制御することにより、ユーザにとっての利便性を高めることができる。例えば、ユーザは、１以上の携帯端末のいずれを用いてシーンを作成したとしても、いずれの携帯端末からもシーンの選択が可能となる。
【０５０１】
なお、このとき、第１携帯端末１７００及び第２携帯端末１７０１が、表示制御部１４３０及び照明制御部１６０を備え、サーバ装置１８００が、照明情報管理部１４５０を備えてもよい。つまり、サーバ装置１８００は、シーン情報及び操作対象照明情報をまとめて管理し、第１携帯端末１７００及び第２携帯端末１７０１は、制御信号を生成して１以上の照明機器に送信してもよい。
【０５０２】
（その他）
以上、本開示に係る携帯端末の制御方法について、上記実施の形態及び変形例に基づいて説明したが、本開示は、上記の実施の形態及び変形例に限定されるものではない。
【０５０３】
例えば、ユーザ情報に基づいて表示優先度を設定してもよい。以下では、ユーザ情報に基づいて表示優先度を設定する方法について、図４１及び図４２を用いて説明する。
【０５０４】
図４１は、実施の形態の変形例に係るシーン情報の一例を示す図である。図４２は、実施の形態の変形例に係る表示優先度の設定方法の一例を示すフローチャートである。
【０５０５】
図４１に示すように、１以上のシーンのそれぞれには、ユーザ識別情報が対応付けられている。ユーザ識別情報は、例えば、対応するシーンを設定したユーザ、具体的には、対応するシーンを作成又は編集したユーザを示す情報である。あるいは、ユーザ識別情報は、対応するシーンを選択したユーザ、具体的には、直前に選択したユーザ、又は、所定回数以上選択したユーザを示す情報である。
【０５０６】
なお、１以上のシーンのそれぞれには、複数のユーザ識別情報が対応付けられてもよい。例えば、図４１に示す例では、「パーティー」のシーンには「ユーザＡ」のみが対応付けられているが、「ユーザＡ」及び「ユーザＢ」を含む複数のユーザ識別情報が対応付けられていてもよい。
【０５０７】
次に、ユーザ識別情報を用いた表示優先度の設定方法について説明する。
【０５０８】
図４２に示すように、まず、表示制御部は、ユーザ情報を取得する（Ｓ９００）。ユーザ情報は、例えば、携帯端末を使用しているユーザである。例えば、ユーザ情報は、携帯端末に固有の識別子でもよい。あるいは、ユーザに直接入力させてもよい。
【０５０９】
次に、表示制御部は、シーン情報に含まれる１つのシーンのユーザ識別情報と、取得したユーザ情報とが一致するか否かを判定する（Ｓ９０１）。
【０５１０】
ユーザ識別情報とユーザ情報とが一致した場合（Ｓ９０１でＹｅｓ）、表示制御部は、当該ユーザ識別情報に対応するシーンの表示優先度を高く設定する（Ｓ９０２）。具体的には、表示制御部は、ユーザ識別情報とユーザ情報とが一致しない場合よりも相対的に高く表示優先度を設定する。  一方で、ユーザ識別情報とユーザ情報とが一致しない場合（Ｓ９０１でＮｏ）、表示制御部は、当該シーン情報に対応するシーンの表示優先度を低く設定する（Ｓ９０３）。なお、照明情報管理部は、例えば、設定された表示優先度をシーンアイコンに対応付けて一時的に管理する。
【０５１１】
次に、表示制御部は、シーン情報に含まれる全てのシーンに対して、表示優先度の設定が完了したか否かを判定する（Ｓ９０４）。表示優先度の設定が完了していない場合（Ｓ９０４でＮｏ）、表示制御部は、設定対象を、表示優先度が設定されていない別のシーンに変更し（Ｓ９０５）、ユーザ情報の比較（Ｓ９０１）及び表示優先度の設定（Ｓ９０２又はＳ９０３）を行う。
【０５１２】
シーン情報に含まれる全てのシーンに対して、表示優先度の設定が完了した場合（Ｓ９０４でＹｅｓ）、表示優先度の設定処理は終了される。
【０５１３】
以上のように、ユーザ情報に基づいて１以上のシーンアイコンを並び替えて表示させるので、ユーザに応じたシーン選択画面を生成することができる。例えば、複数のユーザが複数のシーンを設定した場合、あるユーザが設定したシーンを優先的に並び替えて表示させることで、当該ユーザの利便性を高めることができる。したがって、ユーザにシーンを容易に選択させることができる。
【０５１４】
また、１以上のシーンアイコンを選択的に並び替えてもよい。例えば、１画面に表示可能な最大数以上のシーンが登録されている場合に、１画面に表示させるシーンアイコンの数は、最大数でなくてもよい。
【０５１５】
例えば、上記の実施の形態１において、図３Ａに示すように、「リビングルーム」に対応する６個のシーンアイコン３１０を表示させ、「リビングルーム」に対応しない２個のシーンアイコン３１０を表示させたが、これに限らない。例えば、図３Ａにおいて、「リビングルーム」に対応する６個のシーンアイコン３１０のみを表示させてもよい。このとき、スクロールボタン３５０が選択された場合には、「リビングルーム」に対応しないシーンアイコンを表示させてもよい。
【０５１６】
このように、端末場所情報とシーン場所情報とが一致するシーンに対応するシーンアイコンのみを表示させてもよい。そして、端末場所情報とシーン場所情報とが一致しないシーンに対するシーンアイコンは、画面スクロール後に表示されてもよい。
【０５１７】
このとき、端末場所情報とシーン場所情報とが緯度、経度及び階数を特定する情報である場合、端末場所情報とシーン場所情報との距離の差が所定の閾値より小さいときには、端末場所情報とシーン場所情報とが一致するとみなしてもよい。同様に、端末場所情報とシーン場所情報との距離の差が所定の閾値より大きいときには、端末場所情報とシーン場所情報とが一致しないとみなしてもよい。
【０５１８】
同様に、現在時間情報とシーン時間情報との差の絶対値が所定の閾値より小さいときには、対応するシーンアイコンのみを表示させてもよい。現在時間情報とシーン時間情報との差の絶対値が所定の閾値より大きいときには、対応するシーンアイコンを、画面スクロール後に表示させてもよい。
【０５１９】
また、上記の各実施の形態において、複数のシーンアイコンを並び替える例について示したが、これに限らない。例えば、１つのみのシーンアイコンを並び替えてもよい。
【０５２０】
例えば、シーンアイコンが１つの場合、端末場所情報とシーン場所情報とが一致した場合は、シーンアイコンを表示させ、一致しない場合は、表示させなくてもよい。このとき、一致しない場合は、シーンアイコンは、画面スクロール後に表示させてもよい。
【０５２１】
また、上記の各実施の形態において、シーンアイコンを平面的に並び替える例について説明したが、３次元的に並び替えてもよい。
【０５２２】
また、上記の各実施の形態において、シーンアイコンは撮影画像又はデフォルト画像である例について説明したが、これに限らない。例えば、シーンアイコンは、シーン名に相当するテキストでもよい。
【０５２３】
また、上記の各実施の形態において、各ボタンは、プッシュボタンである例について示したが、これに限らない。例えば、各ボタンは、ラジオボタン、チェックボックス、ドロップダウンリスト、又は、リストボックスなどのＧＵＩコンポーネントでもよい。
【０５２４】
また、上記の各実施の形態において、時間情報は任意に設定されてもよい。また、一日の時間（何時何分）だけではなく、一年の日（何月何日）、季節（春夏秋冬）の情報を含んでもよい。
【０５２５】
なお、上記の各実施の形態において、各構成要素は、専用のハードウェアで構成されてもよく、あるいは、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。ここで、上記の各実施の形態の携帯端末を実現するソフトウェアは、次のようなプログラムである。
【０５２６】
すなわち、当該プログラムは、１以上の空間を照明する１以上の照明機器を制御する携帯端末の制御プログラムであって、前記携帯端末は、表示部を備え、前記携帯端末の制御方法は、前記携帯端末のコンピュータに対して、前記携帯端末が存在する場所を示す端末場所情報を取得させ、前記１以上の照明機器による１以上の照明状態を示す１以上のシーンと、前記１以上のシーンのそれぞれの場所を示す１以上のシーン場所情報とを対応付けて記憶するメモリを用いて、前記端末場所情報と前記１以上のシーン場所情報とに基づいて、前記１以上のシーンのそれぞれに対応する１以上のシーンアイコンを並び替えて、前記表示部へ表示させ、前記１以上のシーンアイコンのうちの１つのシーンアイコンが選択された場合に、選択されたシーンアイコンに対応するシーンが示す照明状態で前記１以上の空間を照明するように前記１以上の照明機器を制御するための制御信号を、前記１以上の照明機器へ送信させる。
【０５２７】
あるいは、当該プログラムは、１以上の空間を照明する１以上の照明機器を制御する携帯端末の制御プログラムであって、前記携帯端末は、表示部を備え、前記携帯端末の制御方法は、前記携帯端末のコンピュータに対して、現在時刻を示す現在時間情報を取得させ、前記１以上の照明機器による１以上の照明状態を示す１以上のシーンと、前記１以上のシーンのそれぞれの時刻を示す１以上のシーン時間情報とを対応付けて記憶するメモリを用いて、前記現在時間情報と前記１以上のシーン時間情報とに基づいて、前記１以上のシーンのそれぞれに対応する１以上のシーンアイコンを並び替えて、前記表示部へ表示させ、前記１以上のシーンアイコンのうちの１つのシーンアイコンが選択された場合に、選択されたシーンアイコンに対応するシーンが示す照明状態で前記１以上の空間を照明するように前記１以上の照明機器を制御するための制御信号を、前記１以上の照明機器へ送信させてもよい。
【産業上の利用可能性】
【０５２８】
本発明は、カメラ機能を有する携帯端末の制御方法に利用可能であり、例えば、スマートフォンや携帯電話、タブレット端末、ＰＤＡなどに利用することができる。
【符号の説明】
【０５２９】
１０、１１、１２、１３、１４、１５、１６、２０、２１  照明システム
１００、１０１、１０２、１０３、１０４、１０５、１４００  携帯端末
１１０  入力部
１２０  表示部
１３０、１４３０  表示制御部
１４０  撮像部
１５０、１４５０  照明情報管理部
１６０  照明制御部
１７０、２１０、１３１０  通信部
１７１  無線ＬＡＮ通信部
１７２  Ｂｌｕｅｔｏｏｔｈ（登録商標）通信部
１７３  センサ部
１７４  マイクロフォン部
１７５  ＩＭＥＳ受信部
１８０、１８１、１８２、１８３、１８４、１８５  端末場所特定部
２００  第１照明機器
２０１  第２照明機器
２２０  運転制御部
３００、３０１、３０２、１５００、１５０１  シーン選択画面
３１０、７１０、７１１  シーンアイコン
３２０、７２０、１１４０  シーン名
３３０  作成ボタン
３４０  編集ボタン
３５０、４１３  スクロールボタン
３６０  枠
３７０  現在場所入力ボタン
４００  シーン作成画面
４１０、１１１０  設定画面
４１１ａ、１１１１ａ  調光スライダ
４１１ｂ、１１１１ｂ  調色スライダ
４１２  照明機器名
４２０  完了ボタン
５００  シーン名入力画面
５１０、６１０、９１０、１０１０  コメント
５２０  テキストボックス
５３０、９３０、１０３０  確認ボタン
５４０、９４０、１０４０  キャンセルボタン
６００  撮影確認画面
６２０  同意ボタン
６３０  不同意ボタン
７００、７０１、７０２、１６００、１６０１、１６０２  新規シーン選択画面
８００  無線ＬＡＮ機器
８１０  Ｂｌｕｅｔｏｏｔｈ（登録商標）通信機器
８２０  可視光通信機器
８３０  スピーカー
８４０  ＩＭＥＳ送信機
９００  現在場所選択画面
９２０、１０２０  リストボックス
９５０、１０５０  新規追加ボタン
１０００  シーン場所選択画面１１００  シーン編集画面
１１３０  削除ボタン
１２００、１７００  第１携帯端末
１２０１、１７０１  第２携帯端末
１３００、１８００  サーバ装置
１４８０  計時部
【図１】
2015144116.tif 000003
【図２】
2015144116.tif 000004
【図３Ａ】
2015144116.tif 000005
【図３Ｂ】
2015144116.tif 000006
【図４】
2015144116.tif 000007
【図５】
2015144116.tif 000008
【図６】
2015144116.tif 000009
【図７】
2015144116.tif 000010
【図８】
2015144116.tif 000011
【図９】
2015144116.tif 000012
【図１０Ａ】
2015144116.tif 000013
【図１０Ｂ】
2015144116.tif 000014
【図１１】
2015144116.tif 000015
【図１２】
2015144116.tif 000016
【図１３】
2015144116.tif 000017
【図１４】
2015144116.tif 000018
【図１５】
2015144116.tif 000019
【図１６】
2015144116.tif 000020
【図１７】
2015144116.tif 000021
【図１８】
2015144116.tif 000022
【図１９】
2015144116.tif 000023
【図２０】
2015144116.tif 000024
【図２１】
2015144116.tif 000025
【図２２】
2015144116.tif 000026
【図２３Ａ】
2015144116.tif 000027
【図２３Ｂ】
2015144116.tif 000028
【図２４】
2015144116.tif 000029
【図２５】
2015144116.tif 000030
【図２６】
2015144116.tif 000031
【図２７】
2015144116.tif 000032
【図２８】
2015144116.tif 000033
【図２９Ａ】
2015144116.tif 000034
【図２９Ｂ】
2015144116.tif 000035
【図３０】
2015144116.tif 000036
【図３１Ａ】
2015144116.tif 000037
【図３１Ｂ】
2015144116.tif 000038
【図３２】
2015144116.tif 000039
【図３３】
2015144116.tif 000040
【図３４Ａ】
2015144116.tif 000041
【図３４Ｂ】
2015144116.tif 000042
【図３５】
2015144116.tif 000043
【図３６】
2015144116.tif 000044
【図３７】
2015144116.tif 000045
【図３８】
2015144116.tif 000046
【図３９】
2015144116.tif 000047
【図４０】
2015144116.tif 000048
【図４１】
2015144116.tif 000049
【図４２】
2015144116.tif 000050